(57)【要約】【課題】従来技術では、広告情報が一方通行で単調になりがちで、消費者の好みで選べず広告効果の定量化ができなかった。また、広告情報がリアルタイムなものでなく、固定的であったり、地域固有のローカルな広告などには適さない、などの問題があった。【解決手段】透明な有機ELディスプレイを用いた広告情報提供方法であって、広告情報提供サーバが、通信網を介して送信されてきた広告情報を受信し、受信した広告情報から画像データと音声データとに分離し、通信網を介して広告情報提供装置へ送信し、別に必要に応じて消費者端末装置へ広告情報を配信する処理と、前記広告情報提供装置が、前記広告情報提供サーバから送信されてきた広告情報を受信して、透明な有機ELディスプレイに出力表示する処理とを含むことを特徴とする広告情報提供方法。【選択図】  図５
2005070740.tif 000002
【特許請求の範囲】
【請求項１】
透明な太陽電池を組み合わせた有機ELディスプレイシステムであって、太陽光や室内光、ディスプレイ自体の紫外光から電力を得る太陽電池と、電力を蓄電し供給する蓄電池と、蓄電池から太陽電池への逆流を防止するダイオードと、外界の照度を検出する光（照度）センサ−と、電圧の検知をしたり電力を供給する電力供給切換手段と、電力を供給する電源と、有機太陽電池と融合した有機ELディスプレイと、停電を検出して、停電信号を生成し、電力供給切換手段に送る停電検出手段とを、備えることを特徴とする有機ELディスプレイシステムである。
【請求項２】
透明な有機ELディスプレイを用いた広告情報提供システムであって、広告情報提供サーバが、送信されてきた広告情報を受信する広告情報管理部と、広告情報を記憶する広告情報記憶部と、送信されてきた広告情報を映像データと画像データとに分離する分離部と、広告情報を広告情報提供装置へ送信する通信情報管理部と、広告情報提供者端末装置から広告情報提供希望データなどを受信し消費者端末装置へ広告情報を配信する回線制御部とを備え、情報提供装置が、サーバから送られてきた広告情報を受信する通信部と、通信部から送られてきた映像データと音声データを映像データベース、音声データベースにそれぞれ格納するように指示する広告情報制御部と、広告情報を出力する透明な有機ELディスプレイとスピーカーと、を備えることを特徴とする広告情報提供システム。
【請求項３】
透明な有機ELディスプレイを用いた広告情報提供方法であって、広告情報提供サーバが、通信網を介して送信されてきた広告情報を受信し、受信した広告情報から画像データと音声データとを分離し、通信網を介して広告情報提供装置へ送信し、消費者端末装置へ広告情報を配信する処理と、前記広告情報提供装置が、前記広告情報提供サーバから送信されてきた広告情報を受信して、透明な有機ELディスプレイに出力表示する処理とを含むことを特徴とする広告情報提供方法。
【請求項４】
透明な有機ELディスプレイを用いた広告情報提供方法プログラムが記録された記録媒体であって、通信網を介して送信されてきた広告情報を受信し、受信した広告情報から画像データと音声データとを分離し、通信網を介して広告情報提供装置へ送信し、消費者端末装置へ広告情報を配信する処理を前記広告情報提供サーバに実行させる広告情報提供方法プログラムが記録されたことを特徴とする記録媒体。
【発明の詳細な説明】
【技術分野】
【０００１】
本発明は、透明な太陽電池を組み合わせた有機ELディスプレイシステム及び透明な有機ELディスプレイを用いた広告情報提供システムを実現するための技術に関する。
【背景技術】
【０００２】
従来、消費者に広告情報を提供する際、テレビやラジオのCM、新聞や雑誌の広告、折込みチラシ、屋外広告、交通広告、SP、ダイレクトメール、LEDなどを使った街頭ディスプレイ、チラシを配る、ホームページ上での広告、プロジェクターを使った宣伝、各種サイン、看板、屋外・街頭宣伝、車両にシールやステッカーを貼る、車両内での吊り広告、コンビニなどに設置したキオスク端末、液晶ディスプレイやプラズマディスプレイを使った広告、FM文字放送、等の方法があった。
【特許文献１】特開2003-122266
【特許文献２】特開2002-351374
【特許文献３】特開2003-43963
【特許文献４】特開2003-108858
【特許文献５】特開2001-202455
【特許文献６】特開2001-283084
【特許文献７】特開2002-215076
【特許文献８】特開2002-251158
【特許文献９】特開2003-308025
【発明の開示】
【発明が解決しようとする課題】
【０００３】
従来のプラズマディスプレイは、大型テレビにしか使用できず、発光素子の寿命の短さで、焼き付きも起きやすい。また、曲げにくく消費電力も大きい。また、液晶ディスプレイは、バックライトを使うため消費電力が大きく、コントラストが比較的悪い。また、応答速度も遅く、視野角も狭い。
【０００４】
また、照明には点光源の白熱灯、線光源の蛍光灯などがあった。しかしながら、白熱灯は熱を生じやすく消費電力も大きく、寿命も比較的短い。また、蛍光灯には水銀が使われており、環境に悪影響を与える。
【０００５】
POPにおいて、何処で何を購入するかのイニシアチブはお客様にある。お客様に数あるお店の中から自店を選んで頂き、またより多くお買物をして頂く為には、お店は元より取扱商品についても、より良くご理解を頂くことが大変必要となる。
【０００６】
景気の動向は、お客様の購買意識を大きく左右する。景気低迷時は当然のように購買意欲を盛り上げる仕掛けを、景気好調時にも衝動購買への仕掛けが必要となる。POP広告は景気・不景気にかかわらず、お客様の購買意識を左右する。時代とともに生活様式も変わってくる。また理想を求めた新しい生活感も存在する。そうした生活意識の変革とともに、ものに対する考え方や購買意識も変わる。従ってその時代に即応した生活向上意識を満足させる仕掛けが必要となる。
【０００７】
技術の開発や革新により、新種の商品が開発されると、当然のように新しい形態の業種や業態が誕生する。そうした商品や販売店では、顧客に認知をして頂くことが不可欠である。例え同じものであっても、年齢や性別、性格や生活環境などの違いから、顧客ごとに捉え方は千差万別である。従って客層や商品ごとの顧客ターゲットに合わせた商品紹介が必要となる。
【０００８】
国際競争の激化時代を迎え、外国製品の氾濫は元より、国外の小売業者の参入も
増加しつつある。国産品との差別化を始め輸入先の原産国表示もお客様にとって大切な情報源である。POP広告への単価の低下、少ロット化への要求も、依然強い。
【０００９】
POP広告の効果測定指標として、売上数量がよく用いられているが、最も基本的指標である「掲出率」を用いる企業は、わずかである。POP広告において、「販売効果」の把握が、今後の大きな焦点である。
【００１０】
またOOHでは、都市生活者のライフスタイルが変化し、自宅でのマスコミ４媒体への接触時間が減少し、自宅外で過ごす時間帯が増加傾向にあることに着目した動きであるが、屋外メディアと、交通メディアをバランス良く、ミックスしたメディア展開のニーズが強まってきている。
【００１１】
またプロジェクターでは、広告媒体としてターゲットが見え、顧客のわかりやすさがあるが、昼間の訴求力が弱い。また、一瞬で通過する入口では、利用者の注意を引くのが難しい。またプロジェクターのランプ切れの心配もある。
【００１２】
また屋外広告においては、地方と都市を結ぶネットワーク型プランや、夕方のみ放映をするプライム型プランなどクライアントのニーズにあったプランを提供する必要性も高まっている。
【００１３】
また駅構内媒体には、今後、整理・統合・販売方式改変等が、必要とされている。
【００１４】
また交通広告には、旧態依然とした業界の体制・体質や広告効果指標の未整備、割り当て制度に代表されるバイイングの不透明性さなどが、最もたるものとしてあげられる。少子化による輸送人員低下も課題である。
【００１５】
また、広告情報が一方通行で単調になりがちで、消費者の好みで選べず広告効果の定量化ができなかった。
【００１６】
また、広告情報がリアルタイムなものでなく、固定的であったり地域固有のローカルな広告などには適さない、などの問題があった。
【００１７】
本発明では、上記課題を克服するために、透明な太陽電池を組み合わせた有機ELディスプレイシステム及び透明な有機ELディスプレイを用いた情報提供システム及び方法及び記録媒体の提供を目的とする。
【課題を解決するための手段】
【００１８】
請求項1に係る発明は、透明な太陽電池を組み合わせた有機ELディスプレイシステムであって、太陽光や室内光、ディスプレイ自体の紫外光から電力を得る太陽電池と、電力を蓄電し供給する蓄電池と、蓄電池から太陽電池への逆流を防止するダイオードと、外界の照度を検出する光（照度）センサ−と、電圧の検知をしたり電力を供給する電力供給切換手段と、電力を供給する電源と、有機太陽電池と融合した有機ELディスプレイと、停電を検出して、停電信号を生成し、電力供給切換手段に送る停電検出手段とを、備えることを特徴とする有機ELディスプレイシステムである。
【００１９】
請求項2に係る発明は、透明な有機ELディスプレイを用いた広告情報提供システムであって、広告情報提供サーバが、送信されてきた広告情報を受信する広告情報管理部と、広告情報を記憶する広告情報記憶部と、送信されてきた広告情報を画像データと音声データとに分離する分離部と、広告情報を広告情報提供装置へ送信する通信情報管理部と、広告情報提供者端末装置からの広告情報提供希望データなどを受信し消費者端末装置へ広告情報を配信する回線制御部とを備え、情報提供装置が、サーバから送られてきた広告情報を受信する通信部と、通信部から送られてきた映像データと音声データを映像データベース、音声データベースにそれぞれ格納するように指示する広告情報制御部と、広告情報を出力する透明な有機ELディスプレイとスピーカーと、を備えることを特徴とする広告情報提供システムである。
【００２０】
また、請求項3に係る発明は、透明な有機ELディスプレイを用いた広告情報提供方法であって、広告情報提供サーバが、通信網を介して送信されてきた広告情報を受信し、受信した広告情報から画像データと音声データとを分離し、通信網を介して広告情報提供装置へ送信し、消費者端末装置へ広告情報を配信する処理と、前記広告情報提供装置が、前記広告情報提供サーバから送信されてきた広告情報を受信して、透明な有機ELディスプレイに出力表示する処理とを含むことを特徴とする広告情報提供方法である。
【００２１】
また、請求項4に係る発明は、透明な有機ELディスプレイを用いた広告情報提供方法プログラムが記録された記録媒体であって、通信網を介して送信されてきた広告情報を受信し、受信した広告情報から画像データと音声データとを分離し、通信網を介して広告情報提供装置へ送信し、消費者端末装置へ広告情報を配信する処理を前記広告情報提供サーバに実行させる広告情報提供方法プログラムが記録されたことを特徴とする記録媒体である。
【発明の効果】
【００２２】
有機ELディスプレイは、耐震・耐熱性に富み、応答速度が速く消費電力が少なくてすみ、寿命も長く視野覚もよい自発光型のディスプレイである。
【００２３】
色素増感太陽電池を有機ELディスプレイに組み合わせシステム化することで、紫外光から保護しまた、消費電力を節約することが出来る。
【００２４】
POPとして、にぎやかな店舗を演出でき集客向上につながる、ショッピングの直前にPRできる、売上効果を生む、メディアミックスを実現できるなどの効果がある。また販売直結型の広告、キャンペーン期間中のPOSデータと連動した効果検証がしやすい。また、ディスプレイに二次元バーコードなどを表示したり、チップを埋め込んだ広告物とのコミュニケーションなど携帯端末と連動した企画もつくりやすい。
【００２５】
また、セールスキャンペーン型への展開がしやすい。携帯端末と連動したサービスの入口にもなる。単純なサーキュレーションでは測れない価値もあり、テストマーケティングのツールとして非常に有効である。多額の費用がかかるテレビ広告を出す前に電子ポスターで反応を見ることができる
【００２６】
また重量が軽く、メンテナンスがしやすく、お客様のニーズにあったリーズナブルなものを提案しやすい。
【００２７】
プロジェクターにおいて、イメージの演出に成功させ新しいメディアとなる。お客様誘導効果やイメージにぴったりのディスプレイとして効果をあげる。また、多彩な内容の情報を提供される、鮮やかな映像が浮かび上がる、説明映像が浮かび上がる、内部が見えるとともに、購買意欲を煽る、色々な店舗に応用できるなどの効果もあり、室内からの視界を妨げず、外部に鮮明な映像を表示することも出来る。ガラスをスクリーンとして利用する新しい情報媒体が通行する人々の目を引きつけ、高いアイキャッチ効果がある。
【００２８】
また、ウィンドウをスクリーンに利用しながら、開放感を損なうことなく、新たな広告スペースとして利用できる。省スペース型の映像情報表示システムである。プロジェクタ−と透明なフィルムを使う方法などでは不可能であったが、大きな面でより鮮明に映像表示できる、スペースをとらない、複数箇所で表示できる、また持ち運びもできるようになる、といった効果もある。
【００２９】
店舗・ショールームなどにおいて、明るくすっきりしたディスプレイデザインにマッチする。チラシ広告、キャンペーン情報などを独自に編集してタイムリーに表示できるなどの効果もある。
【００３０】
屋外広告において、ユビキタスネットワーク社会の実現と、地球環境と共存する社会づくりをし、街全体を活性化し集客につながるソリューションになる。
【００３１】
また、街の景観と一体化していることの大切さを認識し、街のもつ雰囲気、イメージを的確につかみ、見る層ににあったコンテンツを流す。
【００３２】
屋外のメリットは、TVよりもコストが安い、マスとしても、限定メディアとしても使える。地域密着でターゲットを絞り込むことができる。双方向性も有す。
【００３３】
また、派手に明るくしたり、音を出し人の視線を引きつけることで様々な街の犯罪を防止する効果もある。
【００３４】
モバイル端末と連動したマーケティング機能をもたせることも可能で、交通広告を合理化する手法として期待は大きい、サーキュレーションは絶大、広告単価が安く、接触頻度が高い。
【００３５】
またETCが広まれば、料金所のノンストップ通行による料金所通過時間の短縮やキャッシュレス化が実現し、利用者の利便性、快適性が大幅に向上する。
【００３６】
また家電などに付けることで、表示機能を付与し補助的な表示機能を付与することができる。また、電子機器への着脱性および表示装置の携帯性に優れ、ユーザに高い利便性を提供できる。
【００３７】
また、従来にない場所で広告し、広告情報を消費者が無料で受信したり、また買うことで広告情報そのものに新たな付加価値がうまれ、新たなビジネスや市場をうみ、産業の活性化につながる。また、環境に優しく、省エネ効果があり、ローコストで効率的である。
【００３８】
また、映像を重ねることで、空間が重なっていると知覚できるようになり、その空間を形作る一部または全てを壊すことなく低コストで改装・改築し、その空間を再生し甦らせることができる。また、複雑で多様な空間を映像や文字を使って情報表示することで宣伝・演出効果がより促進される。
【００３９】
また、本発明では、ディスプレイを通して視覚できるようにするだけでなく、ディスプレイに反射する景色と、ディスプレイを透かしてみる景色と、ディスプレイによって映し出される映像とを重ねることができ、非常に美観をともなうものとなる。
【００４０】
また、夜はイルミネーション効果をうむことができる。
【００４１】
また、アクセス履歴を記録しておくことで、広告効果の定量化を行うことができ、ニーズに対応した広告情報を提供でき、消費者の好みで選べるようになることで広告効果も増し、双方向なものとなる。
【００４２】
また、広告情報がリアルタイムなものになり、地域固有のローカルな広告などもしやすくなり、地域振興・地場産業の発展に貢献する。
【００４３】
欲しい人が、欲しい情報をリアルタイムで得られるメディア、一般の人がいかに使いやすいかを考えた優しいメディアとして用いることができターゲットが明確なため、広告媒体としての評価も高い。
【発明を実施するための最良の形態】
【００４４】
将来的に新しい販促・集客ツールとして活用する道も開ける。
【００４５】
以下、本発明の実施の形態について、図面を参照して説明する。
【００４６】
図1は透明な太陽電池を組み合わせた有機ELディスプレイシステムの構成を示すブロック図である。同図に示す場合、太陽電池1a、蓄電池1b、ダイオード1c、光（照度）センサー1d、電力供給切換手段1e、有機ELディスプレイ1f、電源1g、停電検出手段1hから構成されている。
【００４７】
太陽電池1aは、色素増感太陽電池を用いる（公知の技術）。色素増感太陽電池は、製造コストが大幅に削減でき、透明なものやフレキシブルなものができるなど大きな特徴を有している。リサイクル製造も容易である。特開2003-324206、特開2004-39471などに詳しい。該太陽電池1aは、太陽からの紫外光だけでなく、室内などの照明や本発明で用いられる有機ELディスプレイ1f自体から得られた電力を、該ディスプレイ1fや蓄電池1bに供給する。
【００４８】
蓄電池1bは、太陽電池1aからの電力を蓄電し、電力供給切換手段1eからの命令で、随時有機ELディスプレイ1fに電力を供給する。透明にする方が好ましい。
【００４９】
ダイオード1cは、蓄電池1bから太陽電池1aへの逆流を防止する。
【００５０】
光（照度）センサ1dはフォトダイオードなどからなる。特開2003-347568などに詳しい。光の量を電流に変換した後、電圧値として電力供給切換手段1eへ入力される。この入力電圧の高低によって、外界の照度が検出される。
【００５１】
電力供給切換手段1eは電源1gや太陽電池1a、蓄電池1bの電圧を検知したり、電源1gや太陽電池1a、蓄電池1bからの電力を状況に応じて有機ELディスプレイ1fに供給する。
【００５２】
電源1gは、通常の家庭用電源が想定されるが、電力を供給する方法は有線に限らず無線方式もある。
【００５３】
有機ELディスプレイ1fは、有機EL素子と有機太陽電池を融合した発光素子であり、外部の自然光の光エネルギーを素子に取り込むことで、発光輝度を増強する。明るい環境の中ではより明るく光る明順応発光素子である（公知の技術）。通常の映像などを表示するディスプレイや、照明の白色照明などを含む。バックライトなどにも用いられる。
【００５４】
停電検出手段1hは、停電を検出して停電信号を生成し、電力供給切換手段1eに送る。
【００５５】
図2は透明な太陽電池を組み合わせた有機ELディスプレイシステムの動作を示すフローチャートを示す図である。
【００５６】
まず有機ELディスプレイ1fをまわりの明るさにあわせるために、光センサー1dで感知した照度と、予めプログラムされている照度レベルとを比較し、有機ELディスプレイ1fの明るさを調整する。
【００５７】
そして、蓄電池1bに有機ELディスプレイ1fを駆動するのに、充分な電力があればここから電力供給切換手段1eを通じて有機ELディスプレイ1fに電力を供給する（ステップ１）。このとき、有機ELディスプレイ1fそのもの、あるいはそれに加えて外光からの太陽電池1aで発生する電力は、蓄電池1bに充電される。
【００５８】
次に、太陽電池1aで得られる電力がある値を超えたら、有機ELディスプレイ1fには、蓄電池1bと太陽電池1aからの電力を電力供給切換手段1eを介して、供給される（ステップ2）。この時、太陽電池1aからの電力はある値以下は、蓄電池1bに充電される。
【００５９】
次に、電源1gと太陽電池1aと蓄電池1bの三つからの電力供給を行う（ステップ3）。ここで、電源1gからの電力供給が最小となるように、蓄電池1bと太陽電池1aからの電力供給を電力供給切換手段1eで調整する。まず太陽電池1aからの電力を最大に、次に蓄電池1bからの電力を最大に、そして電源1gから供給する。
【００６０】
次に、太陽電池1aに発生する電力がある値より低くなれば、そのまま発生がなくなるまで、蓄電池1bに充電する（ステップ4）。そして、有機ELディスプレイ1fには、電源1gからの電力が最小となるように、蓄電池1bから供給する。そして、蓄電池1bに電力がなくなれば、電源1gから太陽電池1aから直接電力供給切換手段1eを介して、有機ELディスプレイ1fに供給される（ステップ5）。
【００６１】
そして、蓄電池1bに蓄えがなくなった時、電源1gから電力供給切換手段1eを介して有機ELディスプレイ1fに電力が供給される（ステップ6）。この時、電源1gの消費電力が最大となる。
【００６２】
このようにすれば、電源1gからの消費電力をおさえることができ、エネルギーを節約することが出来る。また、電源の消費電力を節約することが、最大の目的であるが随時、一次電池、二次電池を備えて電力を供給しても構わない。
【００６３】
また、電力供給切換手段1eがそれぞれのステップにおいて、電力を供給できなくなったり、蓄電池1bに充分に充電されるなどを検知した場合、すなわち、ステップを遡れる場合、再び最初からやり直す。
【００６４】
また、停電状態になると、停電検出手段1hは停電を検出して、停電信号を生成する。すると、この停電信号に基づいて、電力供給切換手段1eが作動されるとともに、予備蓄電池（不図示）からの電力が電力供給切換手段1eを介して、有機ELディスプレイ1fに供給される。
【００６５】
もちろん、明るさのレベルの設定は、任意に変えることができる。例えば、そんなにまわりが明るくなくても、明るさレベルを下げることで、有機ELディスプレイ1fの明るさは増す。
【００６６】
図3は、本発明に用いる有機ELディスプレイの模式的な構造図である。3aは陰極、3bは電子注入層、3cは電子輸送層、3dは発光層、3eはホール輸送層、3fはホール注入層、3gは陽極である。
【００６７】
陽極3gにはITO、陰極3aには、マグネシウムやリチウムなどの薄い膜をつけて陰極処理などをしたITOを用いることで透明にする。
【００６８】
低分子系の場合、電子注入層3bには、リチウムなどアルカリ金属、フッ化リチウム、酸化リチウム、リチウム錯体、アルカリ金属ドープ有機層、電子輸送層3cには、アルミ錯体、オキサジアゾール類、トリアゾール類、フェナントロリン類、発光層3dには、アルミ錯体、アントラセン類、希土類錯体、イリジウム錯体、各種蛍光色素、ホール輸送層3eには、アリールアミン類、ホール注入層3fには、アリールアミン類、フタロシアニン類、ルイス酸ドープ有機層が用いられる。また、高分子系の場合、電子注入層3bには、バリウム、カルシウム、発光層3dには、π共役系（ポリフェニレンビニレン類、ポリフルオレン類、ポリチオフェン類）、色素含有ポリマー系（非共役系）側錯型ポリマー、主錯型ポリマー、ホール注入層3fには、ポリアニリン＋有機酸、ポリチオフェン＋ポリマー酸が用いられる。
【００６９】
図4は、フレキシブル有機ELディスプレイの典型的な構造図である。4aはバリアフィルム,4bは高分子有機EL,4cは陰極,4dは陽極,4eは接着剤,4fは絶縁層である。
【００７０】
フレキシブル基板に設けられたEL素子からなるEL発光部及び各ＥＬ素子に接続される電極を設けるとともに、表示面をフィルム等の透明材料で覆い、かつ全体を可撓性材料で封止することにより、ディスプレイ全体に可撓性を持たせている。
【００７１】
有機ELディスプレイのピクセルを、フルカラーで光らせる方法はパッシブマトリクス法と、アクティブマトリクス法の二種類ある。
【００７２】
図５は、パッシブマトリクスの構造を示す図である。パッシブマトリクス（パッシブ型）は、陽極と陰極が縦横に交差していて、その交点を選択してドライバICで光らせる方法である。5aは一画素の開口スペース、5bは外付けドライバICである。原理的には、テレビの走査線と同じで、時間差（時間分割）がある。外付けのドライバIC5bで駆動する。構造が比較的簡単で製造装置が安価にできる。
【００７３】
図6は、アクティブマトリクスの構造を示す図である。アクティブマトリクス（アクティブ型）は、一つ一つの発光素子にスイッチング素子として、トランジスタ（TFT）がすべてについている。6aはTFT,6bは発光スペースである。TFT6aは一画素について一つとは限らず、二、三個ついていてもよい。このTFT6aで発光輝度をコントロールする。発光に必要な電流は、キャパシタから供給する。キャパシタとは、電荷容量ともいい、電荷を蓄える働きをする。
【００７４】
低分子系の有機トランジスタでは、ペンタセンやナフタレンなどの単結晶が半導体層に用いられている。
【００７５】
高分子系の有機トランジスタでは、導体にPEDOT（ポリチオフェニン）やPPV（ポリエチレンビニレン）などが用いられる。絶縁膜には、PVPh（ポリビニルフェノール）などが用いられる。半導体層にはポリチオフェン系などのものが使われている。
【００７６】
高電子移動度の有機半導体（ペンタセン）と、非常に薄い（2.5nm）SAM（自己組織化単分子膜）ゲート絶縁膜を使用する分子TFTなどもある。
【００７７】
高性能透明有機トランジスタ、チオール酸と呼ばれる有機半導体の素材を使った有機トランジスタ、ナノ材料の自己組織化現象を利用した有機トランジスタなどもある。また、酸化チタンは短波長の光しか吸収しないので、太陽光を効率良く電気に変える為に、増感剤として色素（Ru錯体）が用いられる。この色素はアンテナとして働き、太陽光を吸収して電子を酸化チタン膜に注入して発電が行われる。太陽光だけでなく、室内の電灯の光も発電に利用できるという利点を持っている。
【００７８】
2〜20インチの小〜中型はアクティブ型でTFTは低温ポリシリコン、20〜40インチの中〜大型はアクティブ型でTFTはアモルフォスシリコン、40〜100インチの大〜特大型はパッシブ型が考えられる。将来的には、2〜100インチまでを、フィルム基板ですべて有機TFTを用いたアクティブ駆動で実現できる。
【００７９】
また、該ディスプレイは、できるだけ透明な方が好ましいが、様々な用途に使用されることを考えると、むしろ透明度には幅があった方がよい。また立体的に見えるようにするなどのために、何重にも重ねてもよい。また色素などを使って着色しても良い。
【００８０】
透明な照明として用いる時は、ラッピングなどをすれば透明な看板・サインになる。透明な白色有機ELに電気泳動式パネルやフィルムを組み合わせたものでも良い。
【００８１】
白色有機ELは特開2004-63349、特開2004-63209、特開2002-164170などに詳しい。また、白熱灯のように球状にしたり、蛍光灯のように円筒状にしたりと、その形状は問わない。
【００８２】
また、本発明ではこの透明有機ELディスプレイの両側面を、透明な太陽電池で覆う。こうすることで、紫外光に弱い有機ELディスプレイを保護すると同時に、電力を得ることが出来る（不図示）。
【００８３】
また、マルチフォトン素子（公知の技術）を使うことで、発光効率を増すことが出来る。マルチフォトン素子とは、陽極と陰極の間に電荷発生層を何層か挿入することであり、量子効率を高めることである（不図示）。
【００８４】
従来のボトムエミッション型において、金属陰極を透明なITOにすれば、表裏同じくらいの輝度の発光を示すが、必ずしも同じである必要はない。
【００８５】
封止膜には、金属酸化物や窒化物などの薄膜がある。また、ポリマー膜と、セラミック膜を数層にわたって繰り返し成膜する方法もある。
【００８６】
また、エリアカラーとフルカラーがありエリアカラーで十分なこともある。
【００８７】
また、フルカラーの技術には、３色発光法、フィルター法（白色法）、色変換法、フォトブリーチング法などがある。
【００８８】
また、フレキシブルディスプレイ自体をフラットスピーカーにしても良い（公知の技術）。
【００８９】
図7は、本実施形態の広告情報表示システムの構成を示すブロック図である。データベースを除く各ブロックともに具体的には、CPU並びにメモリを含む周辺LSIで構成され、CPUがメモリに記録されたオペレーティングシステムを含むプログラムを読み出し、逐次実行することにより、以下に示すブロックが持つ各機能を実現するものである。
【００９０】
同図に示すように、広告情報表示システムは広告情報提供サーバ70と、広告情報提供装置71と通信網72を備えている。ここで広告情報管理サーバ70は、回線制御部7aと、通信情報管理部7bと、位置情報管理部7cと、広告情報管理部7dと、プログラム設計部7eと、分離部7fと、アクセス履歴データベース7gと、広告情報データベース7hと、画像データベース7iと、音声データベース7jと、プログラムデータベース7kとにより構成されている。サーバの場所は問わない。
【００９１】
広告情報は、画像データと、音声データから構成される。画像データは、ディスプレイに画面表示されるデータであり、文字表示と映像表示、静止画像と動作画像の別を問わない。音声データは、画像データに連動して出力される音声からなるデータである。なお、画像データ又は音声データの一方を広告情報としても良い。
【００９２】
また、広告情報には付加データが付される。付加データには、広告情報対象消費者の性別、年齢層、他の指定データとが含まれる。また例えば、ある地域内に設置したカメラによるリアルタイム映像情報、及び地域内に設置したセンサによって検出した情報、例えば温度センサや湿度センサ、騒音センサによって検出した温度や、湿度、騒音などの情報を地域情報としても良い。またこれらのセンサ情報と前述した情報を組み合させたものを地域情報として提供しても良い。また、緊急時の警察、消防、役所などからの緊急情報でも構わない。
【００９３】
回線制御部7aは、広告情報提供者端末装置からの広告情報提供希望データを受信し、また消費者端末装置から、広告情報の配信要求を受け付け希望の広告情報を配信する。広告情報表示希望情報には、広告情報対象消費者の性別、年齢層、希望時間帯、曜日などがある。
【００９４】
消費者端末装置は、携帯電話機、PHS、PDA、PCなどに代表される通信端末により構成されている。
【００９５】
通信情報管理部7bは、広告情報を広告情報提供装置71に送信する。
【００９６】
位置情報管理部7cは、例えばGPS（Global Positioning System）の機能又は、PHSもしくは携帯電話機等の機能の一部を有する。GPSは、地球上に打ち上げられた人工衛星からの電波を利用して、現在位置や高度を求める装置である。受信装置の電源投入によって動作させるようにすることにより、電源投入後に受信装置の現在位置を自動的に取得することができる。ディファレンシャルGPS、車速センサ、ジャイロなどを組み合わせ、計算することで、位置を知ることも出来る。
【００９７】
また、PHSや携帯電話等を用いた移動体通信においては、電話機が現在いずれの基地局のエリア内に位置するかを把握するために、電源投入直後や、移動により異なる基地局の電波が強くなった時に、電話機と基地局との間で交信を行って、常に最新の位置を把握するようになっている。この機能を積極的に利用したものとして、PHSの位置情報確認サービス等がある。このような移動体通信の位置情報把握機能を備えることにより、GPSの場合と同様に受信する。
【００９８】
広告情報管理部7dは、情報源から広告情報を含んだ情報を受信し、広告情報データベース7hへ送信し保存する。また、位置情報管理部7cから位置情報を取得する。
【００９９】
また、広告情報管理部7dは、掲示場所を含む通信端末装置のアクセス履歴をアクセス履歴データベース7gに記憶する。
【０１００】
また、広告情報管理部7dは、受信した広告情報の内容が有害か否かを判断する機能を有する。有害とされる広告情報には、公の秩序又は善良の風俗を害するおそれがあるもの等が該当する。判断の結果、有害とされた広告情報は、更新されるまで広告情報データベース7hに記憶するか、又は、広告情報管理部7dにおいて消去される。このように受信した広告情報の内容を確認することにより、有害とされる広告情報を排除することができる。
【０１０１】
プログラム設計部7eは、広告情報提供者から受信した広告情報提供希望データにもとづいて、タイムプログラムを設計する。設計されたタイムプログラムは、プログラム設計部7eからプログラムデータベース7kに送信され、記憶される。
【０１０２】
分離部7fは、広告情報を画像データと音声データに分離する。
【０１０３】
情報源としては、各種プロバイダサーバ、行政サービスなどのサービスセンター、衛星放送、TV放送、VTR、DVDビデオ、ビデオCD、公衆回線（ISDN）、広告作成業者のつくったデータ、気象庁の気象情報、警察庁・国交省の道路情報、内閣府・消防庁の危機管理情報、などがある。
【０１０４】
通信網72には、IrDA通信、デジタル放送の地上波又は衛星通信網や、公衆回線・CATV・ADSL・光ファイバーなどのインターネット網、光ファイバーケーブル、同軸ケーブル、光・電波ビーコン、FM多重放送、DOPA網、パケット通信、UHF（300MHz〜3GHz）での移動体衛星通信、CATVインターネット、WLL（FWA）の無線インターネット、配電線網やPHS網・PLC網などがあるが、特に限定しない。MMACなども利用できる。
【０１０５】
広告提供装置71は、通信部7lと、広告情報制御部7mと、表示制御部7nと、音声出力部7oと、プログラムデータベース7pと、画像データベース7qと音声データベース7rと、透明な有機ELディスプレイ7sと、スピーカー7tとにより構成されている。ディスプレイ7sがスピーカー7tを兼ねても良い。
【０１０６】
広告情報制御部7mは、画像データを画像データベース7qへ、音声データを音声データベース7rへ、タイムプログラムをプログラムデータベース7pへ、それぞれ送信して記憶させる。また広告情報制御部7mは、タイムプログラムにしたがって、広告情報を出力表示させる。
【０１０７】
次に、本実施形態の広告情報提供システムの動作について、図8を参照して説明する。同図は、広告情報提供システムの動作を示すフローチャートである。
【０１０８】
同図に示すように、まず広告情報提供者端末装置から通信網72を介して送信されてきた広告情報提供希望データが、広告情報提供サーバ70の回線制御部7aにおいて受信される（ステップ1）。
【０１０９】
これにもとづいて、広告情報管理部7dは広告情報を、広告情報提供希望データや位置情報管理部7cからの位置情報にもとづいて、選択して受信する。また、上記広告情報を広告情報データベース7hへ送信して記憶させる（ステップ2）。
【０１１０】
一方プログラム設計部7eにおいて、広告情報提供希望データにもとづいて、提供する広告情報のタイムプログラムが設計される。設計されたタイムプログラムは、プログラム設計部7eからプログラムデータベース7kへ送信され記憶される。
【０１１１】
また、広告情報データベース7hから広告情報が読み出され、広告情報管理部7dを介し、分離部7fへ送られる。分離部7fは、広告情報を画像データと音声データに分離する（ステップ3）。分離されたデータは、画像データベース7i、音声データベース7jへそれぞれ送信され記憶される。
【０１１２】
その後、広告情報提供サーバ70から広告情報提供装置71へ、広告情報を送信する時刻になると、画像データと音声データが読み出され、広告情報管理部7d、通信情報管理部7b、及び通信網72を介して広告情報提供装置71へ送信される。この広告情報の転送にともない、プログラムデータベース7kに記憶されたタイムプログラムも転送される（ステップ4）。
【０１１３】
広告情報提供装置71の通信部7lにおいて、受信された広告情報である画像データと音声データは、広告情報制御部7mを介し、それぞれ画像データベース7q、音声データベース7rへ送信され記憶される。これら広告情報とともに転送されたタイムプログラムもプログラムデータベース7pへ送信され記憶される。
【０１１４】
広告情報制御部7mにおいて、受信したタイムプログラムにしたがい、画像データベース7q、音声データベース7rから画像データと、音声データが順次読み出され、表示制御部7nと、音声出力部7oへ送信される。透明な有機ELディスプレイ7s、スピーカー7tにおいて、受信した広告情報がそれぞれ出力される（ステップ5）。
【０１１５】
一方、消費者端末装置から広告情報配信希望信号が回線制御部7aにおいて受信される。その際、消費者からのアクセス履歴が、回線制御部7a、通信情報管理部7bを介してアクセス履歴データベース7gに送信され、記憶される。広告情報管理部7dにおいて、回線制御部7aで上記広告情報配信希望信号が着信したことが確認されると（ステップ6）、広告情報である、画像データと音声データを、画像データベース7i、音声データベース7jからそれぞれ読み出し、広告情報管理部7dから通信情報管理部7b、回線制御部7aを介して、消費者端末装置に配信される（ステップ7）。そして消費者端末装置において、受信した広告情報が出力される。
【０１１６】
そして、消費者端末装置、広告情報提供サーバ70及び広告情報提供装置710において終了の操作が行われるまで、以上の動作が繰り返される（ステップ8）。
【０１１７】
また、例えば交通広告に用いられる場合、前記広告情報提供装置71又は、広告情報提供サーバ70と広告情報提供装置71の双方が、乗合輸送車に設置し、管理センター（不図示）を設ける。管理センターの設置場所は問わない。サーバは電信柱や信号機などにも設置されうる。
【０１１８】
管理センターは、所定地域の鉄道路線を運行する全ての列車を管理しており、この運行管理に用いるコンピュータを主体とした周知の運行管理装置が設けられている。これは、管理対象となる全ての列車の運行位置を実時間で把握し、この運行位置情報を列車番号とともに、実時間で供給する。
【０１１９】
乗合輸送車が複数の地域を順次移動すると、各地域に進入する毎に広告情報データベース7hに蓄積されている広告情報を順次更新していく。
【０１２０】
各車両に搭載されている制御CPUは、更新された広告情報を指定された広告情報提供装置71に表示させて広告情報を切り換える。広告情報は各地域毎に対応して用意されている。
【０１２１】
乗合輸送車として、鉄道列車を適用したが、これに限定されることはなく、他の乗合輸送車、例えばタクシーや乗合バス、船や旅客機など他の乗合輸送車に適用しても同様の効果が得られることはいうまでもない。
【０１２２】
また、電車や路線バスなどは、予め定められた軌道路線を予め定められたタイムテーブルにしたがって移動することから、このタイムテーブルにもとづいて、現在時刻から運行車両の現在位置を判断することができる。車両ID、時刻、位置情報（GPS）などからも判断できる。
【０１２３】
一方、タクシーなどの移動車両は、運行位置や、運行時間が定まっていないため、GPSにより現在位置を判断し、かつ実際に乗車している時間帯に適した内容の広告情報を提供する。
【０１２４】
上記広告情報提供システムは、鉄道、バス、タクシーなどの事業者が独自に構築する場合は、広告依頼者と事業者との間で、料金体系を設定すればよい。また、複数の事業者とそれらを擁する広告代理店とでシステムを構築する場合は、広告依頼者が広告代理店に料金を支払い、広告システムを導入する各事業者は広告実績に応じて、広告代理店から広告掲載料金を徴収する。
【実施例】
【０１２５】
以下、本発明の実施の形態について、図面を参照して説明する。
【０１２６】
図9は、コンビニやスーパーの出入口を示す図である。9は出入口のドアや、窓ガラスに貼った場合である。
【０１２７】
図10は、コンビニやスーパーの店内を示す図である。10aは商品棚に、10bは買い物カゴに、10cはフロア−広告として用いる場合である。
【０１２８】
図11は、コンビニやスーパーの店内を示す図である。11は催事コーナーのPOP
に付けた場合である。
【０１２９】
図12は、その他の店舗やホテルの出入口を示す図である。12は店舗やホテルなどの出入口に貼った場合である。この他、レジや窓口でも良い。
【０１３０】
POP（ポップ）は、お店にとって比較的安価な費用で、高い効果が得られる販促ツールであると同時に、ご来店のお客様にとっても、安心してお買物をして頂く為の道標となる情報源である。POP（ピーオーピーまたはポップ）広告といって、英語の「Point Of Purchase advertising」の頭文字を取った略語で、日本では購買時点の広告と訳されている。従って、POP広告はお店のものであると同時に、お客様の為のものでもある。
【０１３１】
「ものを言わぬセールスマン」とも言われ、店員の商品説明を補ってくれる販促ツールである。購買時点でのお客様の購買意欲を高め、購買決定に大きな役割を果たす。
昨今はショッピングを楽しむお客様も多く、そのような方々には店員の口頭説明などの過剰サービスが、却って「わずらわしい」存在になっている。描き方や取付方によっては、POP広告本来の効果や役割が発揮されないばかりか販売姿勢をも問われるなど経営にもかかわることから、お店の活性化や商売繁盛の決め手ともなる大切なものである。
【０１３２】
材料には、紙、段ボール、プラスチック、金属、木、布などが用いられている。
メーカーは、カテゴリー全体のアピールをしたいと考えており、カテゴリー・マネージメント・ツールとして必要とされている小売店独自に改良できる。
【０１３３】
店舗の広告媒体は今後、物流システムや顧客情報データベースと密接に連動する方向へと進化を遂げる。
【０１３４】
図13は、レストランなどを示す図である。13はレストランなどのメニューに用いられる場合である。
【０１３５】
図14は、エスカレーターもしくは階段を示す図である。14aは、エスカレーターもしくは階段などのガラス部分、14bはエスカレーターもしくは階段の蹴上げや踏み面、14cはエスカレーターもしくは階段の手すり、14dはエスカレーターもしくは階段の掲示板に用いられる場合である。
【０１３６】
図15は、電話ボックスを示す図である。15は電話ボックスに用いられる場合である。この場合、事故、事件、災害などの緊急用に地図などを表示したり様々な補助をする。
【０１３７】
従来の広告媒体として、交通機関の停車駅の通路、壁、電車の車内等に設置されるポスタ−や各種販売店舗の内外に設置されるPOP広告、さらには列車の中吊り広告があり、人目に付く場所に設置される。
【０１３８】
交通広告は、近年ではマスコミ４媒体の保管メディアとしてのみならず、ビジネスマンやOLなどをターゲットとした生活動線メディアとしてクライアントにも注目されている。
【０１３９】
アウト・オブ・ホーム（OOH）・メディアとは、自宅外で接触するメディアであり、主に屋外広告、交通広告を包括した新しい概念である。OOH概念は、マスコミ４媒体との統合したプランニングやバイイングを目指すものといえる。
【０１４０】
広告主ニーズが、商品・サービス中心・キャンペーン志向に変化する中で、マスコミ４媒体と、OOHのメディアミックス展開も着実に増えており、特にターミナル駅や繁華街などの拠点で集中的に屋外広告、交通広告を展開する例が目立っている。
【０１４１】
広告媒体の多様化と、景気低迷において、広告主が費用対効果をシビアに求め、効果の数値化のデータの必要性がある。複数のビジョンに、同じタイミングで同一の映像を流すビジョンジャックなども好調である。
【０１４２】
ビジョンジャックとは、通常のテレビCF素材の流用ではない、街の特性とオーディエンスのマッチングにより、巨大な情報装置の様相を呈す。
【０１４３】
また、避難、案内誘導標識、誘導灯などとしても利用される。
【０１４４】
また、家の中と外、それに店内で、同じ宣伝を違う媒体で見るというトータルコミュニケーションのツールとなることもできる。
【０１４５】
また、屋外広告の質が高い欧州では、広告主にテレビCMよりはるかに高い効果が得られる媒体として認識されている。
【０１４６】
また、今後も街の特性と、連動しながらエンターテインメント系や通信系など、様々な若者をターゲットとした商品告知に利用されていくメディアとして発展が期待される。
【０１４７】
図16は、駅を示す図である。16aは駅でん、16bは駅貼り、16cは駅だて、16dはベンチ広告に用いられる場合である。
【０１４８】
図17は、改札口を示す図である。17aはフリーポスター、17bはフラッグ広告、17cは横断幕広告、17dはフロア−広告である。
【０１４９】
図18は、駅構内など建物内を示す図である。18はアドピラーと呼ばれ、柱に巻きつける場合である。駅フラッグ、柱巻広告、フロア−広告といった駅空間を利用した媒体も大型キャンペーン時には、駅ジャックとして人気を博している。
【０１５０】
図19は、自動改札機を示す図である。19は自動改札機に付けられる場合である。
【０１５１】
図20は、電車前面を示す図である。20は電車前面に用いられる場合である。
【０１５２】
図21は、電車側面を示す図である。21は、側面（外貼り）ステッカーである。
【０１５３】
車内媒体では、額面、窓上、ドア横が、掲出機関が比較的長いため、年間を通じて人気がある。また、IT関連企業がURLアドレスを全面的に訴求するべく、ロングレンジでブランディングを目的として、活用している。
【０１５４】
ステッカーはサイズが小さいものの、戸袋位置に掲出されるため、良媒体として広告主に好評である。
【０１５５】
広告貸切電車は、大型キャンペーン対応として、広告主がビジュアルに工夫を凝らした展開に運用されている。
【０１５６】
図22は、電車内部を示す図である。22aは中吊り、22bは手すり、22cは窓上ポスター、22dはドア上ポスター、22eはツインステッカー、22fは戸袋ステッカー、22gは網棚横ステッカー、22hは窓ステッカー、22iはフロア−広告、22jは貫通路上ステッカー、22kは車両連結部ポスター、22lはドア横ポスター、22mはドア横下ステッカー、22nはドア横上ポスター、22oは小枠額面ポスター、22pはアドシーリング（天井）である。
【０１５７】
この他に、ドア注意ステッカー、出入口上部ポスター、連結ステッカー、正面ポスター、妻窓ステッカーなどがある。
【０１５８】
図23は、バスの外観を示す図である。23aは普通ステッカー、23bは外側板、23cはフロントガラスである。
【０１５９】
バスロケーションシステムは、車載器を積んだバスから、移動体通信を使用し車両ＩＤ（個々の車両を識別する番号）、時刻、位置情報（緯度・経度）などをセンタ側に一定間隔で送信し、センタ側で計算した結果として、車両の現在位置を把握し、インターネットや携帯電話などを通じて、利用者に対して路線バス・高速バスの運行状況やバス停への接近情報などを表示・提供することにより、バス利用の利便性の向上を図るシステムである。
【０１６０】
バスの車内で目的地の到着予測時刻を提供したり、パソコンや携帯電話でバスの遅れや到着予測時刻、ダイヤ・料金等を提供することで、バス利用者の利便性が向上する。
【０１６１】
また、乗務員に対して、異常気象時の運行規制の設定などの指示が可能となることから、バスの安全性が向上する。
【０１６２】
さらに、運行状況のデータを蓄積・統計処理することで、運行管理の高度化に活用することができるし、自家用車から高速バスへの利用転換を促し、高速道路での交通量減少に伴う渋滞の軽減が期待できる。
【０１６３】
図24は、バスの後部を示す図である。24aは後部ステッカー、24bは後部板である。
【０１６４】
図25は、バス内部を示す図である。25aは車内額面ポスター、25bは吊り革広告、25cは運転座席背面ポスター、25dは天吊りポスター、25eは普通ステッカーである。この他に、車内扉上広告、側吊りポスター、横枠ポスターなどもある。
【０１６５】
ITSは、Intelligent Transport Systemsの略で、DSRCなどの通信を用いて、人と道路と車とを、情報でネットワークすることにより、道路ユーザーの利便性を向上させるとともに、交通事故、渋滞などの道路交通問題の解決を目指す。ITSは以下のナビゲーションシステムの高度化、自動料金収受システム、安全運転の支援、交通管理の最適化、道路管理の効率化、公共交通の支援、商用車の効率化、歩行者等の支援、緊急車両の運行支援の９つの開発分野から構成されている。
【０１６６】
DSRCはDedicated Short Range Communicationの略で、日本のETCで使われている5.8GHzアクティブ方式DSRCは大量の情報を高速で受信できる。双方向・高速大容量通信（最大無線伝送速度4Mbps）が可能であり、路車間での多様なITSサービスを官民が、共通の通信方式で提供できるように、ITU（国際電気通信連合）において、国際標準化されている。
【０１６７】
ETCは、コンピュータシステムで課金が行われるので、これが普及すれば、乗り継ぎ割引、夜間割引や、環境対策のためルートによって料金を変えるなど利用者ニーズや環境対策のためのルートによって料金を変えるなど、利用者ニーズや環境対策などに対応したきめ細かな料金制度の導入が可能になる。
【０１６８】
主に車載器、ICカード、路側アンテナで構成されている。車両に装着した車載器に契約情報などを記録したICカードを挿入し、有料道路の料金所のトールゲートに接続した有料道路のコンピュータシステムとICカードとの双方に記録して、料金所で料金所支払いのために止まることなく、通行することができる。
【０１６９】
車載器は、車両のダッシュボードの上などに設置する無線装置で、ICカードを挿入してICカードと路側アンテナとの間で料金計算に必要な情報の通信を行う。ＵＴＭＳ（新交通管理システム）とは、光ビーコンを用いた個々の車両と交通管制システムとの双方向通信等の高度な情報通信技術により「安全・快適にして環境にやさしい交通社会」の実現を目指すシステムである。
【０１７０】
また、PTPS（公共車両優先システム）、ITCS（高度交通管制システム）、HELP（緊急通報システム）、MOCS（車両通行管理システム）、DRGS（動的経路誘導システム）、EPMS（交通公害提言システム）、PICS（歩行者等支援情報通信システム）FAST（緊急車両支援情報通信システム）、DSSS（安全運転支援システム）、IIIS（高度画像情報システム）、AMIS（交通情報提供システム）などがあり、それぞれの分野で本発明は重要な役割を果たす。
【０１７１】
図26は、タクシー外観を示す図である。26aはサイドステッカー、26bは表示板に用いられる場合である。
【０１７２】
図27は、タクシー後部を示す図である。27はリア−ウィンドウステッカーに用いられる場合である。
【０１７３】
図28は、タクシー内後部座席を示す図である。28は座席広告に用いられる場合である。最先端の情報通信技術を用いて、道路、車両、人を一体のシステムとして構築するＩＴＳは、公共交通機関であるタクシーと深く関連していることから、ＩＴＳの動向注視は重要であり、ＩＴＳとタクシーの関わりについては常に検討しながらタクシー無線の高度化を進める必要がある。タクシー無線の高度化を進め、タクシー事業全体が活性化し、利用者へのサービスが飛躍的に向上することが望まれる。
【０１７４】
図29は、自動車の運転座席を示す図である。29は自動車の運転補助のために、用いられる場合である。この場合、安全運転の邪魔にならないようにする点が最も大切である。また、ミラーに付けることもある。
【０１７５】
図30は、車いすを示す図である。30は車いすに用いられる場合である。この場合、様々な補助をするディスプレイとして利用される。
【０１７６】
歩行者ITSはITSの主要な開発分野の一つであり、高齢者や障害者を含む歩行者、車いす使用者、自転車利用者などに、安全・安心・円滑な移動環境を提供するためのシステムである。
【０１７７】
具体的には、歩行者の位置を高精度に測定する技術、詳細なデジタル地図、通信機能を持った携帯端末などにより、注意喚起、周辺情報提供、経路案内の３つのサービスを総合的に提供する。
【０１７８】
この他に、パチンコ台や受付カウンター、自動販売機、電柱広告などにも用いることができる。
【０１７９】
上記本発明において、照明に用いる場合、100ボルトの交流電流をコンバーターで直流に変換したり、インバーターを付けて、高周波で光らせる。
【０１８０】
また、本発明における有機ELディスプレイにマイクロサーバ（公知の技術）を組み込んで、ネットワーク越しに他のサーバと相互連携を行いながら、利用者の状況に応じた情報支援を行い、ユビキタスコンピューティングの一端を担うことも考えられる。
【０１８１】
また、本発明に用いられる太陽電池は、発生する電気を利用して熱作用が強い赤外光の反射率を制御することで、夏は赤外光を反射させ、冬は室内に取り入れるなどへの応用も期待できる。
【０１８２】
また、紫外線だけを吸収して発電する。酸化亜鉛の半導体と銅アルミ酸化物の半導体を組み合わせて作る。発電に使用する紫外光は太陽光の輻射エネルギーのうち６％と小さいが、赤外光の制御などを含めて考えると、太陽光の利用効率は現在の太陽電池よりも優れている。
【０１８３】
また、太陽電池自体を含めて紫外光による種々の劣化が未然に防止される。赤外光（熱線）制御により節約できるエネルギーまで含めると、太陽光の利用効率は通常の太陽電池を超える。バンドギャップ３eV以上の半導体が透明半導体となりうる。
【０１８４】
また、クマリン系色素増感酸化物半導体光電極。様々な色をもつ有機色素を用いることにより、透明でカラフルなファッション性のある太陽電池を作成できる。
【０１８５】
また、フタロシアニンやぺリレンを用い、色素型はシリコンより安価で制約のないタイプの実用化につながる。
【０１８６】
また、タッチパネルを利用することも出来る。タッチパネルには感圧式と静電式の二通りがある。前者は圧力の変化を感知し、後者は静電気による電機信号を感知する。
【０１８７】
また、画面に二次元バーコードを表示させることもできる。表示した二次元バーコードを、二次元バーコードリーダ機能を持つカメラ付携帯電話で読み取らせると、二次元バーコードに埋め込まれているテキストやURLが携帯電話に表示され、簡便に指定のサイトにアクセスすることができる。
【０１８８】
また、広告物などにつけられたIDタグの情報を読み取ることで、より詳しい情報や音楽・映像などのコンテンツを楽しむことが可能になる。
【０１８９】
また、上記各実施形態において、広告情報管理部7dが受信するアプリケーションプログラムは、ハイパーメディアに対応しており、所定画面上のアイコン又は絵文字等を指定することによって、リンクされた他の画面に移動することができるようになっている。
【０１９０】
国内での電波の主な利用例として
30kHz〜300kHzの長波LFでは、船舶・航空機用ビーコン、標準電波
300kHz〜3MHzの中波MFでは、船舶通信、中波放送（AMラジオ）、アマチュア無線、船舶・航空機用ビーコン
3MHz〜30MHzの短波HFでは、船舶・航空機無線、短波放送、アマチュア無線
30MHz〜300MHzの超短波VHFでは、FM放送（コミュニティ放送）、TV放送、防災行政無線、消防無線、列車無線、警察無線、簡易無線、航空管制無線、無線呼び出し、アマチュア無線、コードレス無線
300MHz〜3GHzの極長短波UHFでは、携帯電話、PHS、MCAシステム、タクシー無線、TV放送、防災行政無線、移動体衛星通信、警察無線、簡易無線、レーダー、アマチュア無線、パーソナル無線、無線LAN（2.4GHz帯）、コードレス電話、無線アクセス（2.4GHz帯）、ISM機器
3GHz〜30GHzのマイクロ波SHFでは、マイクロ波中継、衛星通信、衛星放送、レーダー、電波天文・宇宙研究、無線LAN（5.2GHz帯）、無線アクセスシステム（5,22,26,38GHz帯）、狭域通信システム、ISM機器
30GHz〜300GHzのミリ波EHFでは、電波天文、衛星通信、簡易通信、レーダー
などがある。
【０１９１】
また、現在の第３世代移動通信システム（IMT-2000,International  Mobile Telecommunications-2000）は、デジタル方式の次世代移動通信システムとして、世界中どこでも使えるグローバルサービス、固定網並みの高品質音声サービス、簡単な動画の伝送やインターネットアクセスなどのマルチメディア移動通信サービスの提供を特徴としている。
【０１９２】
さらに、セルラーに対応し、より通信速度の速い新たな、第４世代移動通信システムも利用できる。また、搬送波の周波数帯域を広げ、出力の低い電波にするスペクトラム拡散通信（直接拡散方式）でもよい。
【０１９３】
超広帯域無線方式（UWB：Ultra Wideband）とは、パルス状の電波を発射するなど数GHz幅以上の非常に広い周波数帯域にわたって電力を放射するシステムで、100Mbps規模の高速通信を可能にする無線方式である。また、同方式により、正確な測位も可能とされる。具体的には、デジタルテレビやビデオの動画像・大容量データの高速伝送、測位・測定を必要とする分野での利用が考えられている。
【０１９４】
また、Bluetoothは世界共通ISMバンド（2.4GHz）使用短距離無線規格で低コスト、低消費電力、小型、軽量で、高度な相互接続性をもっている。
【０１９５】
今後は、テレビの電波状態がデジタル化されるとともに、インターネットとテレビが一つの画面に表示されるようになる。
【０１９６】
また、デジタル衛星放送システムは、単にテレビジョン放送を視聴するということにとどまらず、多くのチャンネル数による大容量のデジタルデータの伝送システムとして利用することが可能である。即ち、デジタル衛星放送の受信機は、映像・音声データ以外にその番組の視聴者に関連した契約情報等や、パーソナルコンピュータ用のデータ等を多重化して送出するデジタルデータの受け口としての機能をもっている。
【０１９７】
例えば、現在の衛星放送システムにおける一つの放送においては、現在放送中或いは放送予定の番組の内容説明EIT（ Event Information Table）、電子番組表EPG（Electric Program Guide）、視聴料金、視聴年齢制限を始めとするとともに配信される。具体的には、視聴料金、視聴年齢制限等の情報が受信端末に共通の共通情報ECM（Entitlement Management Message）として番組情報とともに放送される。
【０１９８】
またターゲットIDは、各受信端末のICカード部に登録されている視聴者属性情報と同様に規定されている。すなわち、広告に関する商品、サービスを供給したい消費者あるいは、購買層の範囲を特定するために、ターゲットIDが使用される。具体的には、性別・年齢・地域趣味等の情報をターゲットIDが有する。このターゲットIDは放送信号中では、一連の広告のデータの先頭に付加される。
【０１９９】
また、音声情報と画像情報の双方を提供する場合、音声情報は画像情報に対応しているものであっても良いし、画像とは全く独立したものであっても良い。
【０２００】
また、サーバと表示部とを専用回線を用いて接続しており、これら専用回線を用いて閉鎖的なネットワークにて接続するようにすることは、これらが不正なアクセスにさらされる危険性を低く抑えることができることから好ましいが、本発明はこれに限定されるものではなく、その他の手法としては、ケーブルテレビ（CATV）のデータ通信網や、衛生データ放送等の無線回線を用いたもの、或いはインターネット網に接続可能な機能を有する携帯電話機を内蔵したものとしても良く、これら接続手法は、設置環境や表示能力にあわせて適宜選択すれば良い。
【０２０１】
また上記実施形態において正確な時刻を知る手段として、電波時計がある。電波時計は、腕時計や、置き時計等でも実用化されており、特定の周波数で送信されてくる時刻情報を受信して、自動的にその時刻に時計をあわせることにより、ユーザーが設定操作を行うことなく、常に正確な時刻を得ることを可能にしたものである。
【０２０２】
また、ＦＭ放送の時刻情報機能は、近年開始された付加機能サービスであり、ＦＭ放送に時刻情報を多重することによって、ラジオ等の表示部に現在時刻を表示可能にすることができる。
【０２０３】
また、PHSや携帯電話の時刻情報取得機能は、既存の時刻確認番号（１１７）等にダイヤルすることにより、現在時刻を取得するものである。
【０２０４】
また、上記実施形態において、位置情報通知手段には、GPS（人口衛星位置決定システム）や、道路交通情報システム（VICS）などを利用する他に、移動体通信網の基地局の識別情報から得られる位置情報を利用することができる。また、路線バス等の場合は、次のバス停留所に乗客に知らせるための車内放送の録音テープ等の記録媒体に各バスの停留所に対応した位置情報を重畳しておけば、バス運行中に行われる車内放送により、現在の路線バスの位置検出を行うことができる。
【０２０５】
移動体との通信手段に移動体通信を用いる他に、DSRC通信方式などの狭域無線通信を用いても、同様の効果が得られる。
【０２０６】
機器組込み用コンピュータのソフトウェアは、1つ1つの個別開発になりがちであり、類似した機能もそれぞれ新たに開発していた。さらに一方、要求される機能は高度化し、開発期間の短縮化も求められているという状況があった。そこで、T-Engineプロジェクトは、この問題を解決するために、「ミドルウェアの流通」「永く使える100年ソフトの実現」をキーワードとし、ハードウェア開発プラットフォームとリアルタイムオペレーティングシステムの規格化を行い、ミドルウェアというオペレーティングシステムと応用ソフトウェアの中間に位置するソフトウェア部品群の流通を促すガイドラインを提供しようとしている。
【０２０７】
また、TRONは瞬時に命令をこなせるためリアルタイムOSとして優れているうえ、オープンOSのため使用量がいらず低コストですむ。TRONとはThe Realtime Operating system Nucleusの略である。ITRONは機器組み込み用で携帯電話やビデオカメラ、エンジン制御などに使われる。BTRONは人と対話に用いられ、パソコン、PDA、電子ブックなどに使われる。CTRONは通信制御に用いられ、電話局の電子交換機などに使われる。eTRONは電子チケットなどに使われる。
【０２０８】
また、Linuxとは、ユーザが必要な機能やソフトを自分達で開発し、ユーザが自由にソースを入手、変更可能であり、これらTRONやLinuxが使われることが好ましい。
【０２０９】
また、ETCにより、料金所の処理能力が大幅に向上し、料金所渋滞が解消に向かう。料金所でのストップ＆ゴーが減少するため、発進・加速に伴う騒音や窒素酸化物などが軽減され、料金所周辺の環境が改善される。
【０２１０】
インターチェンジが近くにある地域は、人口も増え、所得の伸びも高く、企業立地も進む傾向にあることから、地域の活性化や利便性の向上などを目的に、新たなインターチェンジ設置の強い要望がある。従来の料金支払いシステムでは、料金所を一箇所に集約するため、広い敷地の大規模な構造のインターチェンジが必要だったが、ETCを活用すれば、処理能力が大きく、料金所を集約する必要もないので、コンパクトな料金所構造が必要となり、地域の実情に即してインターチェンジを追加することも容易になる。
【０２１１】
この他、既存の料金所でも、ETCが普及すれば有人ブースの減少などにより、管理コストの削減が見込まれる。また、地域が活性化する。
【０２１２】
また、スマートコミュニケーションの実現により道路利用者は、従来のETCサービスに加え、リクエストに応じた、詳細な走行サポート情報（渋滞情報、車線規制情報、休憩施設情報等）の入手、外部インターネット接続による様々な情報源入手、音楽データ配信、Eメール、電子決済等の、様々なサービスを受けることが可能となる。
【０２１３】
スマートコミュニケーションとは、ETCで用いられている路車間通信（狭域専用通信:DSRC）技術を活用し、車内への多様なサービスを提供するものである。
【０２１４】
情報サービス内容には、道路交通、天候、緊急、休憩施設、観光、宿泊、レストラン予約、一般駐車場、カーナビデータの更新、医療機関、インターネット接続、ライブ映像、道路管理者からのお知らせ、自動車のメンテナンス、IP電話、メールの送受信、受信エリア外のTV放送受信、音楽データ配信、電子決済、地域情報、異常・災害、ダウンロード・ストリ−ミング、ガソリンスタンド注文、修理予約および決済などがある。
【０２１５】
マルチDSRCサービスとは、ETCの双方向・高速大容量のDSRCを活用して行う官民の多様なサービスで、車内への各社情報提供や、駐車場での料金決済などが考えられる。
【０２１６】
このようなマルチDSRCサービスを一つの共通無線機で効率良く提供していくための技術が、スマートコミュニケーション基盤である。具体的には、無線通信の処理手順（プロトコル）である。
【０２１７】
ETCに加えて、マルチDSRCサービスのような多様なサービスが実現することになり、道路利用者の利便性向上とETC普及促進が期待される。
【０２１８】
また、道路交通における安全と円滑を図り、交通公害の防止につながる。安全・快適にして環境にやさしい交通社会を実現する。信号機を整備することで、交通事故を防止する。
【０２１９】
また、車の流れに応じて、交通信号機や可変情報板をコントロールすることに、交通渋滞や混雑が、大幅に減少する。
【０２２０】
また、交通信号機による停止回数が少なくなったり、渋滞のない道路への案内情報により、イライラ運転などによる事故が減少する。
【０２２１】
また、渋滞や混雑などでの車の停止回数が少なくなることで、停止・発進時に排出される排気ガスや騒音が減少し、人にやさしい環境を実現できる。
【０２２２】
また、スムーズな流れによる車の燃料消費量の減少は、エネルギーの省電力化と安定した低物価の確保につながり、地球にやさしい環境が実現できる。
【０２２３】
また、高速道路の走行も、交差点での分岐も安心で快適である。
【０２２４】
また、見やすい情報表示と適切なボイスサポートによるルート案内し、状況や目的に合わせて必要な情報をわかりやすく、まるで通い慣れた道のように車は目的地を目指す。
【０２２５】
また、現在位置や経路案内などの静的情報をはじめ、交通管制センターで把握している渋滞情報や、事故等の動的情報を提供することで、状況に応じた適切な迂回措置や、経路選択を可能にし、交通安全の円滑化、そして環境の改善に寄与する。
【０２２６】
また、光ビーコンとの双方向通信を行うことで、広範囲の交通情報だけでなく、進行方向の交通状況についても簡易図形表示型等により、詳細かつ容易な形で交通情報を受信できる。
【０２２７】
また、交差点間を走行するために要する時間（リンク旅行時間）を受信することにより、渋滞を避け最短時間で目的地に向かう経路を誘導・案内することができる。
ETCは、「Electronic Toll Collection System」の略で、有料道路の料金所で一旦停止することなく、DSRCを用いて自動的に料金の支払いを行うシステムである。
【０２２８】
また、車載器と料金所ゲート設置のアンテナとのロ車間には、国際電気通信連合（ITU）で国際標準化された5.8GHzDSRCの無線通信技術を採用している。
【０２２９】
また、ノンストップ自動料金所収受システムもある。
【０２３０】
AHSは、道路側のカメラ等、情報収集インフラや経路誘導インフラと、車両側のカメラ、車載センサなどによる情報収集、路―車間通信や、車−車間通信による情報のやり取りにより、自車両及び周辺車両の位置や、挙動をリアルタイムに把握し、安全な運転を支援する。
【０２３１】
VICSとは、道路交通情報通信システムのことで、Vehicle Information and Communication Systemの略である。VICSは、警察庁、総務省及び国土交通省が、協力して進める事業であり、システムセンターで編集処理されて、光ビーコン、電波ビーコン、FM多重放送の３つのメディアを通して、VICS対応の車載器に提供される。
【０２３２】
また、AHS（Advanced Cruise-assist Highway systems;走行支援道路システム）は、道路と自動車が無線通信により連携し、ドライバーに対してリアルタイムで情報提供や警報、操作支援を行う走行支援システムでもある。
【０２３３】
また、AHSは、事故を回避するために、危険事象の未発見や発見の遅れに対する「情報提供」、判断の誤りに対する「警報」、操作の誤りに対する「操作支援」を段階的に行う。
【０２３４】
また、カーナビは、自車位置を表示、目的地の地図検索、目的地までの経路探索、目的地までのルート検索をする。
【０２３５】
VICS３メディア（光ビーコン、電波ビーコン、FM放送）、ETC、iモード,インターナビシステム、G-BOOK、緊急情報支援（HELPNET）などのメディアもある。
【０２３６】
光ビーコンは、光（近赤外線）を媒体として利用し、一般道路に設置する。また、都道府県警察が設置し、一般道と高速道路の情報を提供する（設置された場所に必要な情報を詳細に提供）。
【０２３７】
電波ビーコンは、電波（準マイクロ波）を媒体として利用し、主に高速道路に設置する。道路管理者が設置し、高速道路（一部の一般道路を含む）の情報を提供する（設置された場所に必要な情報を詳細に提供）。
【０２３８】
FM多重放送は、電波（FM放送波）を媒体として利用し、VICSセンタ−が、NHKのFM多重放送の設備を使って放送する。
【０２３９】
なお、各部は専用のハードウェアにより実現されるものであっても良く、また、この各部はメモリ及びCPU（中央演算装置）により構成、各部の機能を実現するためのプログラムをメモリにロードして実行することにより、その機能を実行させるものであっても良い。
【０２４０】
また、各部の機能を実現するためのプログラムをコンピュータ読み取り可能な記録媒体に記録して、この記録媒体に記録させたプログラムをコンピュータシステムに読み込ませ、実行させることにより、実現しても良い。なおここでいう「コンピュータシステム」とは、OSや周辺機器等のハードウェアを含むものとする。
【０２４１】
また、「コンピュータ読み取り可能な記録媒体」とは、フレキシブルディスク、光磁気ディスク、RAM、CD-ROM等の可搬媒体、コンピュータシステムに内蔵されるハードディスク等の記憶装置のことをいう。さらに、「コンピュータ読み取り可能な記録媒体」とは、インターネット等のネットワーク回線等の通信回線を介してプログラムを送信する場合の通信線のように、短時間の間、動的にプログラムを保持するもの、その場合のホストサーバやクライアントとなるコンピュータシステム内部の揮発性メモリのように、一定時間プログラムを保持しているものも含むものとする。また、上記プログラムは、前述した機能の一部を実現するためのものであっても良く、さらに前述した機能をコンピュータシステムにすでに記録されているプログラムとの組み合わせで実現できるものであっても良い。
【０２４２】
以上説明したシステムは、これを機能させるためのプログラムでも実現される。このプログラムはコンピューターで読み取り可能な記録媒体に格納されている。本発明では、この記録媒体としてROMがプログラムメディアであっても良いし、また外部記憶装置として、CD-ROMドライブ等のプログラムメディアであっても良い。いずれの場合においても、格納されているプログラムはCPUがアクセスして実行させる構成であっても良いし、あるいはいずれの場合もプログラムを読み出し、読み出されたプログラムは、図示されていないプログラム記憶エリアにダウンロードされて、そのプログラムが実行される方式であっても良い。このダウンロード用のプログラムは予め本体装置に格納されているものとする。
【０２４３】
ここで、上記プログラムメディアは、本体と分離可能に構成される記録媒体であり、磁気テープやカセットテープ等のテープ系、フレキシブルディスク（商標登録）ディスクやハードディスク等の磁気ディスクや、CD-ROM／MO／MD／DVD等の光ディスクのディスク系、ICカード／光カード等のカード系、あるいは、マスクROM，EPROM，EEPROM，フラッシュROM等による半導体メモリを含めた固定的にプログラムを担持する媒体であっても良い。
【０２４４】
さらに、外部の通信ネットワークとの通信接続手段を介して、通信ネットワークからプログラムをダウンロードするように、流動的にプログラムを担持する媒体であっても良い。なお、このように通信ネットワークからプログラムをダウンロードする場合には、そのダウンロード用プログラムは予め本体装置に格納しておくか、あるいは別の記録媒体からインストールされるものであっても良い。なお、記録媒体に格納されている内容としては、プログラムに限定されずデータであっても良い。
【０２４５】
広告情報は、広告提供サーバのハードディスク等に格納されていてもよく、またRAM（Randam Access Memory）のような揮発性のメモリ等に格納し提示してもよい。
【０２４６】
なお、メモリは、ハードディスク装置や光磁気ディスク装置、フラッシュメモリ等の不揮発性のメモリや、CD-ROM等の読み出しのみが可能な記録媒体、RAMのような揮発性のメモリ、あるいはこれらの組み合わせにより構成されるものとする。光メモリや、有機メモリ、分子メモリでも良い。
【０２４７】
広告データを保持するメモリは、予め複数の広告データを保持する他、車両内においてCD-ROMやDVD等の外部記録媒体から取り込んだ画像データを保持したり、車両外に設置されたサーバ等に蓄積されている画像データや携帯端末から送信される画像データを受信機を介してダウンロードして取り込み保持する。また、フラッシュEEPROM、記憶素子に有機材料を採用した有機メモリ、データの記憶に原子間力顕微鏡（AFM;atomic force microscope）の仕組みを応用した「Millipede」、光ディスクで使用されてきた相変化膜を記憶素子とした相変化メモリ（OUM）、磁性材料を用いる磁器メモリなどもある。
【０２４８】
プラスチック製光メモリは、いっそうに複数のホログラムを重ね合わせて記録し、最盛時に液晶シャッターによるフィルタ−を透過させることで特定のパターンのみを読み出すことができる。
【０２４９】
各実施形態における広告事業者サーバ及び街頭広告装置での処理は、プログラムに制御されたコンピュータにより実行される。このプログラムは、例えば、磁気ディスク、半導体メモリ、その他の任意のコンピュータで読み取り可能なものを使用することができる。また、記録媒体に記憶されたプログラムは、記録媒体を直接コンピュータに装着して、当該コンピュータに読み込ませてもよいし、通信回線を介してコンピュータに読み込ませても良い。
【０２５０】
以上、この発明の実施形態を図面を参照して詳述してきたが、具体的な構成はこの実施形態に限られるものではなく、この発明の要旨を逸脱しない範囲の設計変更等も含まれる。
【０２５１】
また、各情報提供装置では、広告の時間帯や放映時間、放映回数等を装置ごとに調整可能にして広告を行う。
【０２５２】
前述した実施例は、本発明の一具体例にすぎず、本発明がこれらの実施形態の構成に限定されることはなく、組み合わせなども本発明に含まれることはいうまでもないことである。
【図面の簡単な説明】
【０２５３】
【図１】本発明に係る透明な太陽電池を組み合わせた有機ELディスプレイシステムの構成を示すブロック図である。
【図２】本発明に係る透明な太陽電池を組み合わせた有機ELディスプレイシステムの動作を示すフローチャートである。
【図３】本発明に係る有機ELディスプレイの模式的な構造図である。
【図４】本発明に係るフレキシブル有機ELディスプレイの典型的な構造図である。
【図５】本発明に係るパッシブマトリクスの構造を示す図である。
【図６】本発明に係るアクティブマトリクスの構造を示す図である。
【図７】本発明に係る広告情報表示システムの構成を示すブロック図である。
【図８】本発明に係る広告情報提供システムの動作を示すフローチャートである。
【図９】本発明に係るコンビニやスーパーの出入口を示す図である。
【図１０】本発明に係るコンビニやスーパーの店内を示す図である。
【図１１】本発明に係るコンビニやスーパーの店内を示す図である。
【図１２】本発明に係るその他の店舗やホテルの出入口を示す図である。
【図１３】本発明に係るレストランなどを示す図である。
【図１４】本発明に係るエスカレーターもしくは階段を示す図である。
【図１５】本発明に係る電話ボックスを示す図である。
【図１６】本発明に係る駅を示す図である。
【図１７】本発明に係る改札口を示す図である。
【図１８】本発明に係る駅構内など建物内を示す図である。
【図１９】本発明に係る自動改札機を示す図である
【図２０】本発明に係る、電車前面を示す図である。
【図２１】本発明に係る電車側面を示す図である。
【図２２】本発明に係る電車内部を示す図である。
【図２３】本発明に係るバスの外観を示す図である。
【図２４】本発明に係るバスの後部を示す図である。
【図２５】本発明に係るバス内部を示す図である
【図２６】本発明に係るタクシー外観を示す図である。
【図２７】本発明に係るタクシー後部を示す図である。
【図２８】本発明に係るタクシー内後部座席を示す図である。
【図２９】本発明に係る自動車の運転座席を示す図である。
【図３０】本発明に係る車いすを示す図である。
【符号の説明】
【０２５４】
1a  太陽電池
1b  蓄電池
1c  ダイオード
1d  光（照度）センサー
1e  電力供給切換手段
1f  有機ELディスプレイ
1g  電源
1h  停電検出手段
3a  陰極
3b  電子注入層
3c  電子輸送層
3d  発光層
3e  ホール輸送層
3f  ホール注入層
3g  陰極
4a  バリアフィルム
4b  高分子有機EL
4c  陰極
4d  陽極
4e  接着剤
4f  絶縁層
5a  一画素の開口スペース
5b  外付けドライバ IC
6a  TFT
6b  発光スペース
70  広告情報提供サーバ
71  広告情報提供装置
72  通信網
7a  回線制御部
7b  通信情報管理部
7c  位置情報管理部
7d  広告情報管理部
7e  プログラム設計部
7f  分離部
7g  アクセス履歴データベース
7h  広告情報データベース
7i  画像データベース
7j  音声データベース
7k  プログラムデータベース
7l  通信部
7m  広告情報制御部
7n  表示制御部
7o  音声出力部
7p  プログラムデータベース
7q  画像データベース
7r  音声データベース
7s  透明な有機ELディスプレイ
7t  スピーカー
9  出入口のドアや、窓ガラスに貼った透明な有機ELディスプレイ
10a  商品棚のPOP
10b  買い物カゴに用いられる透明な有機ELディスプレイ
10c  フロア−広告
11  催事コーナーのPOP
12  店舗やホテルなどの出入口に貼った透明な有機ELディスプレイ
13  レストランなどのメニュー
14a  エスカレーターもしくは階段などのガラス部分に貼った透明な有機ELディスプレイ
14b  エスカレーターもしくは階段の蹴上げや踏み面
14c  エスカレーターもしくは階段の手すり
14d  エスカレーターもしくは階段の掲示板
15  電話ボックスに貼った透明な有機ELディスプレイ
16a  駅でん
16b  駅貼り
16c  駅だて
16d  ベンチ広告
17a  フリーポスター
17b  フラッグ広告
17c  横断幕広告
17d  フロア−広告
18  アドピラー
19  自動改札機に付けられる透明な有機ELディスプレイ
20  電車前面に用いられる透明な有機ELディスプレイ
21  側面（外貼り）ステッカー
22a  中吊り
22b  手すり
22c  窓上ポスター
22d  ドア上ポスター
22e  ツインステッカー
22f  戸袋ステッカー
22g  網棚横ステッカー
22h  窓ステッカー
22i  フロア−広告
22j  貫通路上ステッカー
22k  車両連結部ポスター
22l  ドア横ポスター
22m  ドア横下ステッカー
22n  ドア横上ポスター
22o  小枠額面ポスター
22p  アドシーリング（天井）
22q  網棚ポスター
23a  普通ステッカー
23b  外側板
23c  フロントガラス
24a  後部ステッカー
24b  後部板
25a  車内額面ポスター
25b  吊り革広告
25c  運転座席背面ポスター
25d  天吊りポスター
25e  普通ステッカー
26a  サイドステッカー
26b  表示板
27  リア−ウィンドウステッカー
28  座席広告
29  自動車の運転補助のための透明な有機ELディスプレイ
30  車いすに用いられる透明な有機ELディスプレイ
【図１】
2005070740.tif 000003
【図２】
2005070740.tif 000004
【図３】
2005070740.tif 000005
【図４】
2005070740.tif 000006
【図５】
2005070740.tif 000007
【図６】
2005070740.tif 000008
【図７】
2005070740.tif 000009
【図８】
2005070740.tif 000010
【図９】
2005070740.tif 000011
【図１０】
2005070740.tif 000012
【図１１】
2005070740.tif 000013
【図１２】
2005070740.tif 000014
【図１３】
2005070740.tif 000015
【図１４】
2005070740.tif 000016
【図１５】
2005070740.tif 000017
【図１６】
2005070740.tif 000018
【図１７】
2005070740.tif 000019
【図１８】
2005070740.tif 000020
【図１９】
2005070740.tif 000021
【図２０】
2005070740.tif 000022
【図２１】
2005070740.tif 000023
【図２２】
2005070740.tif 000024
【図２３】
2005070740.tif 000025
【図２４】
2005070740.tif 000026
【図２５】
2005070740.tif 000027
【図２６】
2005070740.tif 000028
【図２７】
2005070740.tif 000029
【図２８】
2005070740.tif 000030
【図２９】
2005070740.tif 000031
【図３０】
2005070740.tif 000032
【手続補正書】
【提出日】平成16年9月3日(2004.9.3)
【手続補正１】
【補正対象書類名】特許請求の範囲
【補正対象項目名】全文
【補正方法】変更
【補正の内容】
【特許請求の範囲】
【請求項１】
透明な有機ELディスプレイを用いた広告情報提供システムであって、広告情報提供サーバが、送信されてきた広告情報を受信する広告情報管理部と、広告情報を記憶する広告情報記憶部と、送信されてきた広告情報を画像データと音声データとに分離する分離部と、広告情報を広告情報提供装置へ送信する通信情報管理部と、広告情報提供者端末装置から広告情報提供希望データや消費者端末装置から広告情報配信希望信号を受信する回線制御部とを備え、広告情報提供装置が、サーバから送られてきた広告情報を受信する通信部と、通信部から送られてきた画像データと音声データを画像データベース、音声データベースにそれぞれ格納するように指示する広告情報制御部と、広告情報を出力表示する透明な有機ELディスプレイとスピーカーと、を備えることを特徴とする広告情報提供システム。
【請求項２】
透明な有機ELディスプレイを用いた広告情報提供方法であって、広告情報提供サーバが、通信網を介して送信されてきた広告情報を受信し、受信した広告情報から画像データと音声データとに分離し、通信網を介して広告情報提供装置へ送信し、別に必要に応じて消費者端末装置へ広告情報を配信する処理と、前記広告情報提供装置が、前記広告情報提供サーバから送信されてきた広告情報を受信して、透明な有機ELディスプレイに出力表示する処理とを含むことを特徴とする広告情報提供方法。
【請求項３】
透明な有機ELディスプレイを用いた広告情報提供方法プログラムが記録された記録媒体であって、通信網を介して送信されてきた広告情報を受信し、受信した広告情報から画像データと音声データとを分離し、通信網を介して広告情報提供装置へ送信し前記透明な有機ELディスプレイに広告情報を出力表示させ、消費者端末装置へ広告情報を配信する処理を前記広告情報提供サーバに実行させる広告情報提供方法プログラムが記録されたことを特徴とする記録媒体。
【手続補正２】
【補正対象書類名】明細書
【補正対象項目名】全文
【補正方法】変更
【補正の内容】
【発明の詳細な説明】
【技術分野】
【０００１】
本発明は、透明な有機ELディスプレイを用いた広告情報提供システムを実現するための技術に関する。
【背景技術】
【０００２】
従来、消費者に広告情報を提供する際、テレビやラジオのCM、新聞や雑誌の広告、折込みチラシ、屋外広告、交通広告、SP、ダイレクトメール、LEDなどを使った街頭ディスプレイ、チラシを配る、ホームページ上での広告、プロジェクターを使った宣伝、各種サイン、看板、屋外・街頭宣伝、車両にシールやステッカーを貼る、車両内での吊り広告、コンビニなどに設置したキオスク端末、液晶ディスプレイやプラズマディスプレイを使った広告、FM文字放送、等の方法があった。
【特許文献１】特開2003-122266
【特許文献２】特開2002-351374
【特許文献３】特開2003-43963
【特許文献４】特開2003-108858
【特許文献５】特開2001-202455
【特許文献６】特開2001-283084
【特許文献７】特開2002-215076
【特許文献８】特開2002-251158
【特許文献９】特開2003-308025
【発明の開示】
【発明が解決しようとする課題】
【０００３】
従来のプラズマディスプレイは、大型テレビにしか使用できず、発光素子の寿命の短さで、焼き付きも起きやすい。また、曲げにくく消費電力も大きい。また、液晶ディスプレイは、バックライトを使うため消費電力が大きく、コントラストが比較的悪い。また、応答速度も遅く、視野角も狭い。
【０００４】
また、照明には点光源の白熱灯、線光源の蛍光灯などがあった。しかしながら、白熱灯は熱を生じやすく消費電力も大きく、寿命も比較的短い。また、蛍光灯には水銀が使われており、環境に悪影響を与える。
【０００５】
POPにおいて、何処で何を購入するかのイニシアチブはお客様にある。お客様に数あるお店の中から自店を選んで頂き、またより多くお買物をして頂く為には、お店は元より取扱商品についても、より良くご理解を頂くことが大変必要となる。
【０００６】
景気の動向は、お客様の購買意識を大きく左右する。景気低迷時は当然のように購買意欲を盛り上げる仕掛けを、景気好調時にも衝動購買への仕掛けが必要となる。POP広告は景気・不景気にかかわらず、お客様の購買意識を左右する。時代とともに生活様式も変わってくる。また理想を求めた新しい生活感も存在する。そうした生活意識の変革とともに、ものに対する考え方や購買意識も変わる。従ってその時代に即応した生活向上意識を満足させる仕掛けが必要となる。
【０００７】
技術の開発や革新により、新種の商品が開発されると、当然のように新しい形態の業種や
業態が誕生する。そうした商品や販売店では、顧客に認知をして頂くことが不可欠である。例え同じものであっても、年齢や性別、性格や生活環境などの違いから、顧客ごとに捉え方は千差万別である。従って客層や商品ごとの顧客ターゲットに合わせた商品紹介が必要となる。
【０００８】
国際競争の激化時代を迎え、外国製品の氾濫は元より、国外の小売業者の参入も増加しつつある。国産品との差別化を始め輸入先の原産国表示もお客様にとって大切な情報源である。POP広告への単価の低下、少ロット化への要求も、依然強い。
【０００９】
POP広告の効果測定指標として、売上数量がよく用いられているが、最も基本的指標である「掲出率」を用いる企業は、わずかである。POP広告において、「販売効果」の把握が、今後の大きな焦点である。
【００１０】
また、OOHでは都市生活者のライフスタイルが変化し、自宅でのマスコミ４媒体への接触時間が減少し、自宅外で過ごす時間帯が増加傾向にあることに着目した動きであるが、屋外メディアと、交通メディアをバランス良く、ミックスしたメディア展開のニーズが強まってきている。
【００１１】
また、プロジェクターでは広告媒体としてターゲットが見え、顧客のわかりやすさがあるが、昼間の訴求力が弱い。また、一瞬で通過する入口では、利用者の注意を引くのが難しい。またプロジェクターのランプ切れの心配もある。
【００１２】
また、屋外広告においては地方と都市を結ぶネットワーク型プランや、夕方のみ放映をするプライム型プランなどクライアントのニーズにあったプランを提供する必要性も高まっている。
【００１３】
また、駅構内媒体には今後、整理・統合・販売方式改変等が、必要とされている。
【００１４】
また、交通広告には、旧態依然とした業界の体制・体質や広告効果指標の未整備、割り当て制度に代表されるバイイングの不透明性さなどが、最もたるものとしてあげられる。少子化による輸送人員低下も課題である。
【００１５】
また、広告情報が一方通行で単調になりがちで、消費者の好みで選べず広告効果の定量化ができなかった。
【００１６】
また、広告情報がリアルタイムなものでなく、固定的であったり、地域固有のローカルな広告などには適さない、などの問題があった。
【００１７】
本発明では、上記課題を克服するために、透明な有機ELディスプレイを用いた情報提供システム及び方法及び記録媒体の提供を目的とする。
【課題を解決するための手段】
【００１８】
請求項１に係る発明は、透明な有機ELディスプレイを用いた広告情報提供システムであって、広告情報提供サーバが、送信されてきた広告情報を受信する広告情報管理部と、広告情報を記憶する広告情報記憶部と、送信されてきた広告情報を画像データと音声データとに分離する分離部と、広告情報を広告情報提供装置へ送信する通信情報管理部と、広告情報提供者端末装置から広告情報提供希望データや消費者端末装置から広告情報配信希望信号を受信する回線制御部とを備え、広告情報提供装置が、サーバから送られてきた広告情報を受信する通信部と、通信部から送られてきた画像データと音声データを画像データベース、音声データベースにそれぞれ格納するように指示する広告情報制御部と、広告情報を出力表示する透明な有機ELディスプレイとスピーカー、とを備えることを特徴とする広告情報提供システムである。
【００１９】
また、請求項２に係る発明は、透明な有機ELディスプレイを用いた広告情報提供方法であって、広告情報提供サーバが、通信網を介して送信されてきた広告情報を受信し、受信した広告情報から画像データと音声データとに分離し、通信網を介して広告情報提供装置へ送信し、別に必要に応じて消費者端末装置へ広告情報を配信する処理と、前記広告情報提供装置が、前記広告情報提供サーバから送信されてきた広告情報を受信して、透明な有機ELディスプレイに出力表示する処理とを含むことを特徴とする広告情報提供方法である。
【００２０】
また、請求項３に係る発明は、透明な有機ELディスプレイを用いた広告情報提供方法プログラムが記録された記録媒体であって、通信網を介して送信されてきた広告情報を受信し、受信した広告情報から画像データと音声データとを分離し、通信網を介して広告情報提供装置へ送信し前記透明な有機ELディスプレイに広告情報を出力表示させ、消費者端末装置へ広告情報を配信する処理を前記広告情報提供サーバに実行させる広告情報提供方法プログラムが記録されたことを特徴とする記録媒体である。
【発明の効果】
【００２１】
有機ELディスプレイは、耐震・耐熱性に富み、応答速度が速く消費電力が少なくてすみ、寿命も長く視野角もよい自発光型のディスプレイである。
【００２２】
色素増感太陽電池を有機ELディスプレイに組み合わせシステム化することで、紫外光から保護し、また消費電力を節約することが出来る。
【００２３】
POPとして、にぎやかな店舗を演出でき集客向上につながる、ショッピングの直前にPRできる、売上効果を生む、メディアミックスを実現できるなどの効果がある。また販売直結型の広告、キャンペーン期間中のPOSデータと連動した効果検証がしやすい。また、ディスプレイに二次元バーコードなどを表示したり、チップを埋め込んだ広告物とのコミュニケーションなど携帯端末と連動した企画もつくりやすい。
【００２４】
また、セールスキャンペーン型への展開がしやすい。携帯端末と連動したサービスの入口にもなる。単純なサーキュレーションでは測れない価値もあり、テストマーケティングのツールとして非常に有効である。多額の費用がかかるテレビ広告を出す前に電子ポスターで反応を見ることができる。
【００２５】
また重量が軽く、メンテナンスがしやすく、お客様のニーズにあったリーズナブルなものを提案しやすい。
【００２６】
プロジェクターのかわりに、イメージの演出に成功させ新しいメディアとなる。お客様誘導効果やイメージにぴったりのディスプレイとして効果をあげる。また、多彩な内容の情報を提供される、鮮やかな映像が浮かび上がる、説明映像が浮かび上がる、内部が見えるとともに、購買意欲を煽る、色々な店舗に応用できるなどの効果もあり、室内からの視界を妨げず、外部に鮮明な映像を表示することも出来る。ガラスをスクリーンとして利用する新しい情報媒体が通行する人々の目を引きつけ、高いアイキャッチ効果がある。
【００２７】
また、ウィンドウをスクリーンに利用しながら、開放感を損なうことなく、新たな広告スペースとして利用できる。省スペース型の映像情報表示システムである。プロジェクタ−と透明なフィルムを使う方法などでは不可能であったが、大きな面でより鮮明に映像表示できる、スペースをとらない、複数箇所で表示できる、また持ち運びもできるようになる、といった効果もある。
【００２８】
店舗・ショールームなどにおいて、明るくすっきりしたディスプレイデザインにマッチする。チラシ広告、キャンペーン情報などを独自に編集してタイムリーに表示できるなどの効果もある。
【００２９】
屋外広告において、ユビキタスネットワーク社会の実現と、地球環境と共存する社会づくりをし、街全体を活性化し集客につながるソリューションになる。
【００３０】
また、街の景観と一体化していることの大切さを認識し、街のもつ雰囲気、イメージを的確につかみ、見る層にあったコンテンツを流す。
【００３１】
屋外のメリットは、TVよりもコストが安い、マスとしても、限定メディアとしても使える。地域密着でターゲットを絞り込むことができる。双方向性も有す。
【００３２】
また、派手に明るくしたり、音を出し人の視線を引きつけることで様々な街の犯罪を防止する効果もある。
【００３３】
モバイル端末と連動したマーケティング機能をもたせることも可能で、交通広告を合理化する手法として期待は大きい、サーキュレーションは絶大、広告単価が安く、接触頻度が高い。
【００３４】
またETCが広まれば、料金所のノンストップ通行による料金所通過時間の短縮やキャッシュレス化が実現し、利用者の利便性、快適性が大幅に向上する。
【００３５】
また家電などに付けることで、表示機能を付与し補助的な表示機能を付与することができる。また、電子機器への着脱性および表示装置の携帯性に優れ、ユーザに高い利便性を提供できる。
【００３６】
また、従来にない場所で広告し、広告情報を消費者が無料で受信したり、また買うことで広告情報そのものに新たな付加価値がうまれ、新たなビジネスや市場をうみ、産業の活性化につながる。また、環境に優しく、省エネ効果があり、ローコストで効率的である。
【００３７】
また、映像を重ねることで、空間が重なっていると知覚できるようになり、その空間を形作る一部または全てを壊すことなく低コストで改装・改築し、その空間を再生し甦らせることができる。また、複雑で多様な空間を映像や文字を使って情報表示することで宣伝・演出効果がより促進される。
【００３８】
また、本発明では、ディスプレイを通して視覚できるようにするだけでなく、ディスプレイに反射する景色と、ディスプレイを透かしてみる景色と、ディスプレイによって映し出される映像とを重ねることができ、非常に美観をともなうものとなる。
【００３９】
また、夜はイルミネーション効果をうむことができる。
【００４０】
また、アクセス履歴を記録しておくことで、広告効果の定量化を行うことができ、ニーズに対応した広告情報を提供でき、消費者の好みで選べるようになることで広告効果も増し、双方向なものとなる。
【００４１】
また、広告情報がリアルタイムなものになり、地域固有のローカルな広告などもしやすくなり、地域振興・地場産業の発展に貢献する。
【００４２】
欲しい人が、欲しい情報をリアルタイムで得られるメディア、一般の人がいかに使いやすいかを考えた優しいメディアとして用いることができターゲットが明確なため、広告媒体としての評価も高い。
【００４３】
将来的に新しい販促・集客ツールとして活用する道も開ける。
【発明を実施するための最良の形態】
【００４４】
以下、本発明の実施の形態について、図面を参照して説明する。
【００４５】
図1は、本発明に用いる有機ELディスプレイの模式的な構造図である。1aは陰極、1bは電子注入層、1cは電子輸送層、1dは発光層、1eはホール輸送層、1fはホール注入層、1gは陽極である。
【００４６】
陽極1gにはITO、陰極1aには、マグネシウムやリチウムなどの薄い膜をつけて陰極処理などをしたITOを用いることで透明にする。
【００４７】
低分子系の場合、電子注入層1bには、リチウムなどアルカリ金属、フッ化リチウム、酸化リチウム、リチウム錯体、アルカリ金属ドープ有機層、電子輸送層1cには、アルミ錯体、オキサジアゾール類、トリアゾール類、フェナントロリン類、発光層1dには、アルミ錯体、アントラセン類、希土類錯体、イリジウム錯体、各種蛍光色素、ホール輸送層1eには、アリールアミン類、ホール注入層1fには、アリールアミン類、フタロシアニン類、ルイス酸ドープ有機層が用いられる。また、高分子系の場合、電子注入層1bには、バリウム、カルシウム、発光層1dには、Π共役系（ポリフェニレンビニレン類、ポリフルオレン類、ポリチオフェン類）、色素含有ポリマー系（非共役系）側錯型ポリマー、主錯型ポリマー、ホール注入層1fには、ポリアニリン＋有機酸、ポリチオフェン＋ポリマー酸が用いられる。
【００４８】
図2は、フレキシブル有機ELディスプレイの典型的な構造図である。2aはバリアフィルム,2bは高分子有機EL,2cは陰極,2dは陽極,2eは接着剤,2fは絶縁層である。
【００４９】
フレキシブル基板に設けられたEL素子からなるEL発光部及び各EL素子に接続される電極を設けるとともに、表示面をフィルム等の透明材料で覆い、かつ全体を可撓性材料で封止することにより、ディスプレイ全体に可撓性を持たせている。
【００５０】
有機ELディスプレイのピクセルを、フルカラーで光らせる方法はパッシブマトリクス法と、アクティブマトリクス法の二種類ある。
【００５１】
図3は、パッシブマトリクスの構造を示す図である。パッシブマトリクス（パッシブ型）は、陽極と陰極が縦横に交差していて、その交点を選択してドライバICで光らせる方法である。3aは一画素の開口スペース、3bは外付けドライバICである。原理的には、テレビの走査線と同じで、時間差（時間分割）がある。外付けのドライバIC3bで駆動する。構造が比較的簡単で製造装置が安価にできる。
【００５２】
図4は、アクティブマトリクスの構造を示す図である。アクティブマトリクス（アクティブ型）は、一つ一つの発光素子にスイッチング素子として、トランジスタ（TFT）がすべてについている。4aはTFT,4bは発光スペースである。TFT4aは一画素について一つとは限らず、二、三個ついていてもよい。このTFT4aで発光輝度をコントロールする。発光に必要な電流は、キャパシタから供給する。キャパシタとは、電荷容量ともいい、電荷を蓄える働きをする。
【００５３】
低分子系の有機トランジスタでは、ペンタセンやナフタレンなどの単結晶が半導体層に用いられている。
【００５４】
高分子系の有機トランジスタでは、導体にPEDOT（ポリチオフェニン）やPPV（ポリエチレンビニレン）などが用いられる。絶縁膜には、PVPh（ポリビニルフェノール）などが用いられる。半導体層にはポリチオフェン系などのものが使われている。
【００５５】
高電子移動度の有機半導体（ペンタセン）と、非常に薄い（2.5nm）SAM（自己組織化単分子膜）ゲート絶縁膜を使用する分子TFTなどもある。
【００５６】
高性能透明有機トランジスタ、チオール酸と呼ばれる有機半導体の素材を使った有機トランジスタ、ナノ材料の自己組織化現象を利用した有機トランジスタなどもある。また、酸化チタンは短波長の光しか吸収しないので、太陽光を効率良く電気に変える為に、増感剤として色素（Ru錯体）が用いられる。この色素はアンテナとして働き、太陽光を吸収して電子を酸化チタン膜に注入して発電が行われる。太陽光だけでなく、室内の電灯の光も発電に利用できるという利点を持っている。
【００５７】
2〜20インチの小〜中型はアクティブ型でTFTは低温ポリシリコン、20〜40インチの中〜大型はアクティブ型でTFTはアモルフォスシリコン、40〜100インチの大〜特大型はパッシブ型が考えられる。将来的には、2〜100インチまでを、フィルム基板ですべて有機TFTを用いたアクティブ駆動で実現できる。
【００５８】
また、該ディスプレイは、できるだけ透明な方が好ましいが、様々な用途に使用されることを考えると、むしろ透明度には幅があった方がよい。また立体的に見えるようにするなどのために、何重にも重ねてもよい。また色素などを使って着色しても良い。
【００５９】
透明な照明として用いる時は、ラッピングなどをすれば透明な看板・サインになる。透明な白色有機ELに電気泳動式パネルやフィルムを組み合わせたものでも良い。
【００６０】
白色有機ELは特開2004-63349、特開2004-63209、特開2002-164170などに詳しい。また、白熱灯のように球状にしたり、蛍光灯のように円筒状にしたりと、その形状は問わない。
【００６１】
また、本発明ではこの透明な有機ELディスプレイの両側面を、透明な太陽電池で覆う。こうすることで、紫外光に弱い有機ELディスプレイを保護すると同時に、電力を得ることが出来る（不図示）。
【００６２】
また、マルチフォトン素子（公知の技術）を使うことで、発光効率を増すことが出来る。マルチフォトン素子とは、陽極と陰極の間に電荷発生層を何層か挿入することであり、量子効率を高めることである（不図示）。
【００６３】
従来のボトムエミッション型において、金属陰極を透明なITOにすれば、表裏同じくらいの輝度の発光を示すが、必ずしも同じである必要はない。
【００６４】
封止膜には、金属酸化物や窒化物などの薄膜がある。また、ポリマー膜と、セラミック膜を数層にわたって繰り返し成膜する方法もある。
【００６５】
また、エリアカラーとフルカラーがありエリアカラーで十分なこともある。
【００６６】
また、フルカラーの技術には、３色発光法、フィルター法（白色法）、色変換法、フォトブリーチング法などがある。
【００６７】
また、フレキシブルディスプレイ自体をフラットスピーカーにしても良い（公知の技術）。
【００６８】
図5は、本実施形態の広告情報表示システムの構成を示すブロック図である。データベースを除く各ブロックともに具体的には、CPU並びにメモリを含む周辺LSIで構成され、CPUがメモリに記録されたオペレーティングシステムを含むプログラムを読み出し、逐次実行することにより、以下に示すブロックが持つ各機能を実現するものである。
【００６９】
同図に示すように、広告情報表示システムは広告情報提供サーバ50と、広告情報提供装置51と通信網52を備えている。ここで広告情報管理サーバ50は、回線制御部5aと、通信情報管理部5bと、位置情報管理部5cと、広告情報管理部5dと、プログラム設計部5eと、分離部5fと、アクセス履歴データベース5gと、広告情報データベース5hと、画像データベース5iと、音声データベース5jと、プログラムデータベース5kとにより構成されている。サーバの場所は問わない。
【００７０】
広告情報は、画像データと、音声データから構成される。画像データは、ディスプレイに画面表示されるデータであり、文字表示と映像表示、静止画像と動作画像の別を問わない。音声データは、画像データに連動して出力される音声からなるデータである。なお、画像データ又は音声データの一方を広告情報としても良い。
【００７１】
また、広告情報には付加データが付される。付加データには、広告情報対象消費者の性別、年齢層、他の指定データとが含まれる。また例えば、ある地域内に設置したカメラによるリアルタイム映像情報、及び地域内に設置したセンサによって検出した情報、例えば温度センサや湿度センサ、騒音センサによって検出した温度や、湿度、騒音などの情報を地域情報としても良い。またこれらのセンサ情報と前述した情報を組み合させたものを地域情報として提供しても良い。また、緊急時の警察、消防、役所などからの緊急情報でも構わない。
【００７２】
回線制御部5aは、広告情報提供者端末装置からの広告情報提供希望データを受信し、また消費者端末装置から、広告情報配信希望信号を受け付け希望の広告情報を配信する。広告情報提供希望データには、広告情報対象消費者の性別、年齢層、希望時間帯、曜日などがある。また、広告情報配信希望信号は広告情報の配信を希望する旨の意思表示をする信号である。
【００７３】
消費者端末装置は、携帯電話機、PHS、PDA、PCなどに代表される一般の消費者個人の所有する通信端末により構成されている。なお、広告情報提供者端末装置、広告情報提供装置、消費者端末装置はそれぞれ独立した別々の構成である。
【００７４】
通信情報管理部5bは、広告情報を広告情報提供装置51に送信する。
【００７５】
位置情報管理部5cは、例えばGPS（Global Positioning System）の機能又は、PHSもしくは携帯電話機等の機能の一部を有する。GPSは、地球上に打ち上げられた人工衛星からの電波を利用して、現在位置や高度を求める装置である。受信装置の電源投入によって動作させるようにすることにより、電源投入後に受信装置の現在位置を自動的に取得することができる。ディファレンシャルGPS、車速センサ、ジャイロなどを組み合わせ、計算することで、位置を知ることも出来る。
【００７６】
また、PHSや携帯電話等を用いた移動体通信においては、電話機が現在いずれの基地局のエリア内に位置するかを把握するために、電源投入直後や、移動により異なる基地局の電波が強くなった時に、電話機と基地局との間で交信を行って、常に最新の位置を把握するようになっている。この機能を積極的に利用したものとして、PHSの位置情報確認サービス等がある。このような移動体通信の位置情報把握機能を備えることにより、GPSの場合と同様に受信する。
【００７７】
広告情報管理部5dは、情報源から広告情報を含んだ情報を受信し、広告情報データベース5hへ送信し保存する。また、位置情報管理部5cから位置情報を取得する。
【００７８】
また、広告情報管理部5dは、掲示場所を含む消費者端末装置からのアクセス履歴をアクセス履歴データベース5gに記憶する。アクセス履歴には、アクセスの結果だけでなく、消費者の性別、年齢なども含まれていても良い。
【００７９】
また、広告情報管理部5dは、受信した広告情報の内容が有害か否かを判断する機能を有する。有害とされる広告情報には、公の秩序又は善良の風俗を害するおそれがあるもの等が該当する。判断の結果、有害とされた広告情報は、更新されるまで広告情報データベース5hに記憶するか、又は、広告情報管理部5dにおいて消去される。このように受信した広告情報の内容を確認することにより、有害とされる広告情報を排除することができる。
【００８０】
プログラム設計部5eは、広告情報提供者から受信した広告情報提供希望データにもとづいて、タイムプログラムを設計する。設計されたタイムプログラムは、プログラム設計部5eからプログラムデータベース5kに送信され、記憶される。
【００８１】
分離部5fは、広告情報を画像データと音声データに分離する。
【００８２】
情報源としては、各種プロバイダサーバ、行政サービスなどのサービスセンター、衛星放送、TV放送、VTR、DVDビデオ、ビデオCD、公衆回線（ISDN）、広告作成業者のつくったデータ、気象庁の気象情報、警察庁・国交省の道路情報、内閣府・消防庁の危機管理情報、などがある。
【００８３】
通信網52には、IrDA通信、デジタル放送の地上波又は衛星通信網や、公衆回線・CATV・ADSL・光ファイバーなどのインターネット網、光ファイバーケーブル、同軸ケーブル、光・電波ビーコン、FM多重放送、DOPA網、パケット通信、UHF（300MHz〜3GHz）での移動体衛星通信、CATVインターネット、WLL（FWA）の無線インターネット、配電線網やPHS網・PLC網などがあるが、特に限定しない。MMACなども利用できる。
【００８４】
広告情報提供装置51は、通信部5lと、広告情報制御部5mと、表示制御部5nと、音声出力部5oと、プログラムデータベース5pと、画像データベース5qと音声データベース5rと、透明な有機ELディスプレイ5sと、スピーカー5tとにより構成されている。ディスプレイ5sがスピーカー5tを兼ねても良い。これは、店舗や車両などに置かれる。
【００８５】
広告情報制御部5mは、画像データを画像データベース5qへ、音声データを音声データベース5rへ、タイムプログラムをプログラムデータベース5pへ、それぞれ送信して記憶させる。また広告情報制御部5mは、タイムプログラムにしたがって、広告情報を出力表示させる。
【００８６】
次に、本実施形態の広告情報提供システムの動作について、図6を参照して説明する。同図は、広告情報提供システムの動作を示すフローチャートである。
【００８７】
同図に示すように、まず広告情報提供者端末装置から通信網52を介して送信されてきた広告情報提供希望データが、広告情報提供サーバ50の回線制御部5aにおいて受信される（ステップ1）。
【００８８】
これにもとづいて、広告情報管理部5dは広告情報を、広告情報提供希望データや位置情報管理部5cからの位置情報にもとづいて、選択して受信する。また、上記広告情報を広告情報データベース5hへ送信して記憶させる（ステップ2）。
【００８９】
一方プログラム設計部5eにおいて、広告情報提供希望データにもとづいて、提供する広告情報のタイムプログラムが設計される。設計されたタイムプログラムは、プログラム設計部5eからプログラムデータベース5kへ送信され記憶される。
【００９０】
また、広告情報データベース5hから広告情報が読み出され、広告情報管理部5dを介し、分離部5fへ送られる。分離部5fは、広告情報を画像データと音声データに分離する（ステップ3）。分離されたデータは、画像データベース5i、音声データベース5jへそれぞれ送信され記憶される。
【００９１】
その後、広告情報提供サーバ50から広告情報提供装置51へ、広告情報を送信する時刻になると、画像データと音声データが読み出され、広告情報管理部5d、通信情報管理部5b、及び通信網52を介して広告情報提供装置51へ送信される。この広告情報の転送にともない、プログラムデータベース5kに記憶されたタイムプログラムも転送される（ステップ4）。
【００９２】
広告情報提供装置51の通信部5lにおいて、受信された広告情報である画像データと音声データは、広告情報制御部5mを介し、それぞれ画像データベース5q、音声データベース5rへ送信され記憶される。これら広告情報とともに転送されたタイムプログラムもプログラムデータベース5pへ送信され記憶される。
【００９３】
広告情報制御部5mにおいて、受信したタイムプログラムにしたがい、画像データベース5q、音声データベース5rから画像データと、音声データが順次読み出され、表示制御部5nと、音声出力部5oへ送信される。透明な有機ELディスプレイ5s、スピーカー5tにおいて、受信した広告情報がそれぞれ出力される（ステップ5）。
【００９４】
一方、消費者端末装置から広告情報配信希望信号が回線制御部5aにおいて受信されなければ終了だが、受信された場合、消費者からのアクセス履歴が、回線制御部5a、通信情報管理部5bを介してアクセス履歴データベース5gに送信され、記憶される。広告情報管理部5dにおいて、回線制御部5aで上記広告情報配信希望信号が着信したことが確認されると（ステップ6）、広告情報である、画像データと音声データを、画像データベース5i、音声データベース5jからそれぞれ読み出し、広告情報管理部5dから通信情報管理部5b、回線制御部5aを介して、消費者端末装置に配信される（ステップ7）。そして消費者端末装置において、受信した広告情報が出力される。
【００９５】
そして、消費者端末装置、広告情報提供サーバ50及び広告情報提供装置51において終了の操作が行われるまで、以上の動作が繰り返される（ステップ8）。
【００９６】
また、例えば交通広告に用いられる場合、前記広告情報提供装置51又は、広告情報提供サーバ50と広告情報提供装置51の双方が、乗合輸送車に設置し、管理センター（不図示）を設ける。管理センターの設置場所は問わない。サーバは電信柱や信号機などにも設置されうる。
【００９７】
管理センターは、所定地域の鉄道路線を運行する全ての列車を管理しており、この運行管理に用いるコンピュータを主体とした周知の運行管理装置が設けられている。これは、管理対象となる全ての列車の運行位置を実時間で把握し、この運行位置情報を列車番号とともに、実時間で供給する。
【００９８】
乗合輸送車が複数の地域を順次移動すると、各地域に進入する毎に広告情報データベース5hに蓄積されている広告情報を順次更新していく。
【００９９】
各車両に搭載されている制御CPUは、更新された広告情報を指定された広告情報提供装置51に表示させて広告情報を切り換える。広告情報は各地域毎に対応して用意されている。
【０１００】
乗合輸送車として、鉄道列車を適用したが、これに限定されることはなく、他の乗合輸送車、例えばタクシーや乗合バス、船や旅客機など他の乗合輸送車に適用しても同様の効果が得られることはいうまでもない。
【０１０１】
また、電車や路線バスなどは、予め定められた軌道路線を予め定められたタイムテーブルにしたがって移動することから、このタイムテーブルにもとづいて、現在時刻から運行車両の現在位置を判断することができる。車両ID、時刻、位置情報（GPS）などからも判断できる。
【０１０２】
一方、タクシーなどの移動車両は、運行位置や、運行時間が定まっていないため、GPSにより現在位置を判断し、かつ実際に乗車している時間帯に適した内容の広告情報を提供する。
【０１０３】
上記広告情報提供システムは、鉄道、バス、タクシーなどの事業者が独自に構築する場合は、広告依頼者と事業者との間で、料金体系を設定すればよい。また、複数の事業者とそれらを擁する広告代理店とでシステムを構築する場合は、広告依頼者が広告代理店に料金を支払い、広告システムを導入する各事業者は広告実績に応じて、広告代理店から広告掲載料金を徴収する。
【実施例】
【０１０４】
以下、本発明の実施の形態について、図面を参照して説明する。
【０１０５】
図7は、コンビニやスーパーの出入口を示す図である。7は出入口のドアや、窓ガラスに貼った場合である。
【０１０６】
図8は、コンビニやスーパーの店内を示す図である。8aは商品棚に、8bは買い物カゴに、8cはフロア−広告として用いる場合である。
【０１０７】
図9は、コンビニやスーパーの店内を示す図である。9は催事コーナーのPOPに付けた場合である。
【０１０８】
図10は、その他の店舗やホテルの出入口を示す図である。10は店舗やホテルなどの出入口に貼った場合である。この他、レジや窓口でも良い。
【０１０９】
POP（ポップ）は、お店にとって比較的安価な費用で、高い効果が得られる販促ツールであると同時に、ご来店のお客様にとっても、安心してお買物をして頂く為の道標となる情報源である。POP（ピーオーピーまたはポップ）広告といって、英語の「Point Of Purchase advertising」の頭文字を取った略語で、日本では購買時点の広告と訳されている。従って、POP広告はお店のものであると同時に、お客様の為のものでもある。
【０１１０】
「ものを言わぬセールスマン」とも言われ、店員の商品説明を補ってくれる販促ツールである。購買時点でのお客様の購買意欲を高め、購買決定に大きな役割を果たす。昨今はショッピングを楽しむお客様も多く、そのような方々には店員の口頭説明などの過剰サービスが、却って「わずらわしい」存在になっている。描き方や取り付け方によっては、POP広告本来の効果や役割が発揮されないばかりか販売姿勢をも問われるなど経営にもかかわることから、お店の活性化や商売繁盛の決め手ともなる大切なものである。
【０１１１】
材料には、紙、段ボール、プラスチック、金属、木、布などが用いられている。
メーカーは、カテゴリー全体のアピールをしたいと考えており、カテゴリー・マネージメント・ツールとして必要とされている小売店独自に改良できる。
【０１１２】
店舗の広告媒体は今後、物流システムや顧客情報データベースと密接に連動する方向へと進化を遂げる。
【０１１３】
図11は、レストランなどを示す図である。11はレストランなどのメニューに用いられる場合である。
【０１１４】
図12は、エスカレーターもしくは階段を示す図である。12aは、エスカレーターもしくは階段などのガラス部分、12bはエスカレーターもしくは階段の蹴上げや踏み面、12cはエスカレーターもしくは階段の手すり、12dはエスカレーターもしくは階段の掲示板に用いられる場合である。
【０１１５】
図13は、電話ボックスを示す図である。13は電話ボックスに用いられる場合である。この場合、事故、事件、災害などの緊急用に地図などを表示したり様々な補助をする。
【０１１６】
従来の広告媒体として、交通機関の停車駅の通路、壁、電車の車内等に設置されるポスタ−や各種販売店舗の内外に設置されるPOP広告、さらには列車の中吊り広告があり、人目に付く場所に設置される。
【０１１７】
交通広告は、近年ではマスコミ４媒体の保管メディアとしてのみならず、ビジネスマンやOLなどをターゲットとした生活動線メディアとしてクライアントにも注目されている。
【０１１８】
アウト・オブ・ホーム（OOH）・メディアとは、自宅外で接触するメディアであり、主に屋外広告、交通広告を包括した新しい概念である。OOH概念は、マスコミ４媒体との統合したプランニングやバイイングを目指すものといえる。
【０１１９】
広告主ニーズが、商品・サービス中心・キャンペーン志向に変化する中で、マスコミ４媒体と、OOHのメディアミックス展開も着実に増えており、特にターミナル駅や繁華街などの拠点で集中的に屋外広告、交通広告を展開する例が目立っている。
【０１２０】
広告媒体の多様化と、景気低迷において、広告主が費用対効果をシビアに求め、効果の数値化のデータの必要性がある。複数のビジョンに、同じタイミングで同一の映像を流すビジョンジャックなども好調である。
【０１２１】
ビジョンジャックとは、通常のテレビCF素材の流用ではない、街の特性とオーディエンスのマッチングにより、巨大な情報装置の様相を呈す。
【０１２２】
また、避難、案内誘導標識、誘導灯などとしても利用される。
【０１２３】
また、家の中と外、それに店内で、同じ宣伝を違う媒体で見るというトータルコミュニケーションのツールとなることもできる。
【０１２４】
また、屋外広告の質が高い欧州では、広告主にテレビCMよりはるかに高い効果が得られる媒体として認識されている。
【０１２５】
また、今後も街の特性と、連動しながらエンターテインメント系や通信系など、様々な若者をターゲットとした商品告知に利用されていくメディアとして発展が期待される。
【０１２６】
図14は、駅を示す図である。14aは駅でん、14bは駅貼り、14cは駅だて、14dはベンチ広告に用いられる場合である。
【０１２７】
図15は、改札口を示す図である。15aはフリーポスター、15bはフラッグ広告、15cは横断幕広告、15dはフロア−広告である。
【０１２８】
図16は、駅構内など建物内を示す図である。16はアドピラーと呼ばれ、柱に巻きつける場合である。駅フラッグ、柱巻広告、フロア−広告といった駅空間を利用した媒体も大型キャンペーン時には、駅ジャックとして人気を博している。
【０１２９】
図17は、自動改札機を示す図である。17は自動改札機に付けられる場合である。
【０１３０】
図18は、電車前面を示す図である。18は電車前面に用いられる場合である。
【０１３１】
図19は、電車側面を示す図である。19は、側面（外貼り）ステッカーである。
【０１３２】
車内媒体では、額面、窓上、ドア横が、掲出機関が比較的長いため、年間を通じて人気がある。また、IT関連企業がURLアドレスを全面的に訴求するべく、ロングレンジでブランディングを目的として、活用している。
【０１３３】
ステッカーはサイズが小さいものの、戸袋位置に掲出されるため、良媒体として広告主に好評である。
【０１３４】
広告貸切電車は、大型キャンペーン対応として、広告主がビジュアルに工夫を凝らした展開に運用されている。
【０１３５】
図20は、電車内部を示す図である。20aは中吊り、20bは手すり、20cは窓上ポスター、20dはドア上ポスター、20eはツインステッカー、20fは戸袋ステッカー、20gは網棚横ステッカー、20hは窓ステッカー、20iはフロア−広告、20jは貫通路上ステッカー、20kは車両連結部ポスター、20lはドア横ポスター、20mはドア横下ステッカー、20nはドア横上ポスター、20oは小枠額面ポスター、20pはアドシーリング（天井）である。
【０１３６】
この他に、ドア注意ステッカー、出入口上部ポスター、連結ステッカー、正面ポスター、妻窓ステッカーなどがある。
【０１３７】
図21は、バスの外観を示す図である。21aは普通ステッカー、21bは外側板、21cはフロントガラスである。
【０１３８】
バスロケーションシステムは、車載器を積んだバスから、移動体通信を使用し車両ＩＤ（個々の車両を識別する番号）、時刻、位置情報（緯度・経度）などをセンタ側に一定間隔で送信し、センタ側で計算した結果として、車両の現在位置を把握し、インターネットや携帯電話などを通じて、利用者に対して路線バス・高速バスの運行状況やバス停への接近情報などを表示・提供することにより、バス利用の利便性の向上を図るシステムである。
【０１３９】
バスの車内で目的地の到着予測時刻を提供したり、パソコンや携帯電話でバスの遅れや到着予測時刻、ダイヤ・料金等を提供することで、バス利用者の利便性が向上する。
【０１４０】
また、乗務員に対して、異常気象時の運行規制の設定などの指示が可能となることから、バスの安全性が向上する。
【０１４１】
さらに、運行状況のデータを蓄積・統計処理することで、運行管理の高度化に活用することができるし、自家用車から高速バスへの利用転換を促し、高速道路での交通量減少に伴う渋滞の軽減が期待できる。
【０１４２】
図22は、バスの後部を示す図である。22aは後部ステッカー、22bは後部板である。
【０１４３】
図23は、バス内部を示す図である。23aは車内額面ポスター、23bは吊り革広告、23cは運転座席背面ポスター、23dは天吊りポスター、23eは普通ステッカーである。この他に、車内扉上広告、側吊りポスター、横枠ポスターなどもある。
【０１４４】
ITSは、Intelligent Transport Systemsの略で、DSRCなどの通信を用いて、人と道路と車とを、情報でネットワークすることにより、道路ユーザーの利便性を向上させるとともに、交通事故、渋滞などの道路交通問題の解決を目指す。ITSは以下の、ナビゲーションシステムの高度化、自動料金収受システム、安全運転の支援、交通管理の最適化、道路管理の効率化、公共交通の支援、商用車の効率化、歩行者等の支援、緊急車両の運行支援の９つの開発分野から構成されている。
【０１４５】
DSRCはDedicated Short Range Communicationの略で、日本のETCで使われている5.8GHzアクティブ方式DSRCは大量の情報を高速で受信できる。双方向・高速大容量通信（最大無線伝送速度4Mbps）が可能であり、路車間での多様なITSサービスを官民が、共通の通信方式で提供できるように、ITU（国際電気通信連合）において、国際標準化されている。
【０１４６】
ETCは、コンピュータシステムで課金が行われるので、これが普及すれば、乗り継ぎ割引、夜間割引や、環境対策のためルートによって料金を変えるなど利用者ニーズや環境対策のためのルートによって料金を変えるなど、利用者ニーズや環境対策などに対応したきめ細かな料金制度の導入が可能になる。
【０１４７】
主に車載器、ICカード、路側アンテナで構成されている。車両に装着した車載器に契約情報などを記録したICカードを挿入し、有料道路の料金所のトールゲートに接続した有料道路のコンピュータシステムとICカードとの双方に記録して、料金所で料金所支払いのために止まることなく、通行することができる。
【０１４８】
車載器は、車両のダッシュボードの上などに設置する無線装置で、ICカードを挿入してICカードと路側アンテナとの間で料金計算に必要な情報の通信を行う。UTMS（新交通管理システム）とは、光ビーコンを用いた個々の車両と交通管制システムとの双方向通信等の高度な情報通信技術により「安全・快適にして環境にやさしい交通社会」の実現を目指すシステムである。
【０１４９】
また、PTPS（公共車両優先システム）、ITCS（高度交通管制システム）、HELP（緊急通報システム）、MOCS（車両通行管理システム）、DRGS（動的経路誘導システム）、EPMS（交通公害提言システム）、PICS（歩行者等支援情報通信システム）FAST（緊急車両支援情報通信システム）、DSSS（安全運転支援システム）、IIIS（高度画像情報システム）、AMIS（交通情報提供システム）などがあり、それぞれの分野で本発明は重要な役割を果たす。
【０１５０】
図24は、タクシー外観を示す図である。24aはサイドステッカー、24bは表示板に用いられる場合である。
【０１５１】
図25は、タクシー後部を示す図である。25はリア−ウィンドウステッカーに用いられる場合である。
【０１５２】
図26は、タクシー内後部座席を示す図である。26は座席広告に用いられる場合である。最先端の情報通信技術を用いて、道路、車両、人を一体のシステムとして構築するITSは、公共交通機関であるタクシーと深く関連していることから、ITSの動向注視は重要であり、ITSとタクシーの関わりについては常に検討しながらタクシー無線の高度化を進める必要がある。タクシー無線の高度化を進め、タクシー事業全体が活性化し、利用者へのサービスが飛躍的に向上することが望まれる。
【０１５３】
図27は、自動車の運転座席を示す図である。27は自動車の運転補助のために、用いられる場合である。この場合、安全運転の邪魔にならないようにする点が最も大切である。また、ミラーに付けることもある。
【０１５４】
図28は、車いすを示す図である。28は車いすに用いられる場合である。この場合、様々な補助をするディスプレイとして利用される。
【０１５５】
歩行者ITSはITSの主要な開発分野の一つであり、高齢者や障害者を含む歩行者、車いす使用者、自転車利用者などに、安全・安心・円滑な移動環境を提供するためのシステムである。
【０１５６】
具体的には、歩行者の位置を高精度に測定する技術、詳細なデジタル地図、通信機能を持った携帯端末などにより、注意喚起、周辺情報提供、経路案内の３つのサービスを総合的に提供する。
【０１５７】
この他に、パチンコ台や受付カウンター、自動販売機、電柱広告などにも用いることができる。
【０１５８】
上記本発明において、照明に用いる場合、100ボルトの交流電流をコンバーターで直流に変換したり、インバーターを付けて、高周波で光らせる。
【０１５９】
また、本発明における有機ELディスプレイにマイクロサーバ（公知の技術）を組み込んで、ネットワーク越しに他のサーバと相互連携を行いながら、利用者の状況に応じた情報支援を行い、ユビキタスコンピューティングの一端を担うことも考えられる。
【０１６０】
また、本発明に用いられる太陽電池は、発生する電気を利用して熱作用が強い赤外光の反射率を制御することで、夏は赤外光を反射させ、冬は室内に取り入れるなどへの応用も期待できる。
【０１６１】
また、紫外線だけを吸収して発電する。酸化亜鉛の半導体と銅アルミ酸化物の半導体を組み合わせて作る。発電に使用する紫外光は太陽光の輻射エネルギーのうち６％と小さいが、赤外光の制御などを含めて考えると、太陽光の利用効率は現在の太陽電池よりも優れている。
【０１６２】
また、太陽電池自体を含めて紫外光による種々の劣化が未然に防止される。赤外光（熱線）制御により節約できるエネルギーまで含めると、太陽光の利用効率は通常の太陽電池を超える。バンドギャップ３eV以上の半導体が透明半導体となりうる。
【０１６３】
また、クマリン系色素増感酸化物半導体光電極は様々な色をもつ有機色素を用いることにより、透明でカラフルなファッション性のある太陽電池を作成できる。
【０１６４】
また、フタロシアニンやぺリレンを用い、色素型はシリコンより安価で制約のないタイプの実用化につながる。
【０１６５】
また、タッチパネルを利用することも出来る。タッチパネルには感圧式と静電式の二通りがある。前者は圧力の変化を感知し、後者は静電気による電気信号を感知する。
【０１６６】
また、画面に二次元バーコードを表示させることもできる。表示した二次元バーコードを、二次元バーコードリーダ機能を持つカメラ付携帯電話で読み取らせると、二次元バーコードに埋め込まれているテキストやURLが携帯電話に表示され、簡便に指定のサイトにアクセスすることができる。
【０１６７】
また、広告物などにつけられたIDタグの情報を読み取ることで、より詳しい情報や音楽・映像などのコンテンツを楽しむことが可能になる。
【０１６８】
また、上記各実施形態において、広告情報管理部5dが受信するアプリケーションプログラムは、ハイパーメディアに対応しており、所定画面上のアイコン又は絵文字等を指定することによって、リンクされた他の画面に移動することができるようになっている。
【０１６９】
国内での電波の主な利用例として
30kHz〜300kHzの長波LFでは、船舶・航空機用ビーコン、標準電波、
300kHz〜3MHzの中波MFでは、船舶通信、中波放送（AMラジオ）、アマチュア無線、船舶・航空機用ビーコン、
3MHz〜30MHzの短波HFでは、船舶・航空機無線、短波放送、アマチュア無線、
30MHz〜300MHzの超短波VHFでは、FM放送（コミュニティ放送）、TV放送、防災行政無線、消防無線、列車無線、警察無線、簡易無線、航空管制無線、無線呼び出し、アマチュア無線、コードレス無線、
300MHz〜3GHzの極長短波UHFでは、携帯電話、PHS、MCAシステム、タクシー無線、TV放送、防災行政無線、移動体衛星通信、警察無線、簡易無線、レーダー、アマチュア無線、パーソナル無線、無線LAN（2.4GHz帯）、コードレス電話、無線アクセス（2.4GHz帯）、ISM機器、
3GHz〜30GHzのマイクロ波SHFでは、マイクロ波中継、衛星通信、衛星放送、レーダー、電波天文・宇宙研究、無線LAN（5.2GHz帯）、無線アクセスシステム（5,22,26,38GHz帯）、狭域通信システム、ISM機器、
30GHz〜300GHzのミリ波EHFでは、電波天文、衛星通信、簡易通信、レーダー、
などがある。
【０１７０】
また、現在の第３世代移動通信システム（IMT-2000,International  Mobile Telecommunications-2000）は、デジタル方式の次世代移動通信システムとして、世界中どこでも使えるグローバルサービス、固定網並みの高品質音声サービス、簡単な動画の伝送やインターネットアクセスなどのマルチメディア移動通信サービスの提供を特徴としている。
【０１７１】
さらに、セルラーに対応し、より通信速度の速い新たな、第４世代移動通信システムも利用できる。また、搬送波の周波数帯域を広げ、出力の低い電波にするスペクトラム拡散通信（直接拡散方式）でもよい。
【０１７２】
超広帯域無線方式（UWB：Ultra Wideband）とは、パルス状の電波を発射するなど数GHz幅以上の非常に広い周波数帯域にわたって電力を放射するシステムで、100Mbps規模の高速通信を可能にする無線方式である。また、同方式により、正確な測位も可能とされる。具体的には、デジタルテレビやビデオの動画像・大容量データの高速伝送、測位・測定を必要とする分野での利用が考えられている。
【０１７３】
また、Bluetoothは世界共通ISMバンド（2.4GHz）使用短距離無線規格で低コスト、低消費電力、小型、軽量で、高度な相互接続性をもっている。
【０１７４】
今後は、テレビの電波状態がデジタル化されるとともに、インターネットとテレビが一つの画面に表示されるようになる。
【０１７５】
また、デジタル衛星放送システムは、単にテレビジョン放送を視聴するということにとどまらず、多くのチャンネル数による大容量のデジタルデータの伝送システムとして利用することが可能である。即ち、デジタル衛星放送の受信機は、画像・音声データ以外にその番組の視聴者に関連した契約情報等や、パーソナルコンピュータ用のデータ等を多重化して送出するデジタルデータの受け口としての機能をもっている。
【０１７６】
例えば、現在の衛星放送システムにおける一つの放送においては、現在放送中或いは放送予定の番組の内容説明EIT（ Event Information Table）、電子番組表EPG（Electric Program Guide）、視聴料金、視聴年齢制限を始めとするとともに配信される。具体的には、視聴料金、視聴年齢制限等の情報が受信端末に共通の共通情報ECM（Entitlement Management Message）として番組情報とともに放送される。
【０１７７】
またターゲットIDは、各受信端末のICカード部に登録されている視聴者属性情報と同様に規定されている。すなわち、広告に関する商品、サービスを供給したい消費者あるいは、購買層の範囲を特定するために、ターゲットIDが使用される。具体的には、性別・年齢・地域趣味等の情報をターゲットIDが有する。このターゲットIDは放送信号中では、一連の広告のデータの先頭に付加される。
【０１７８】
また、音声情報と画像情報の双方を提供する場合、音声情報は画像情報に対応しているものであっても良いし、画像とは全く独立したものであっても良い。
【０１７９】
また、サーバと表示部とを専用回線を用いて接続して、これら専用回線を用いて閉鎖的なネットワークにて接続するようにすることは、これらが不正なアクセスにさらされる危険性を低く抑えることができることから好ましいが、本発明はこれに限定されるものではなく、その他の手法としては、ケーブルテレビ（CATV）のデータ通信網や、衛生データ放送等の無線回線を用いたもの、或いはインターネット網に接続可能な機能を有する携帯電話機を内蔵したものとしても良く、これら接続手法は、設置環境や表示能力にあわせて適宜選択すれば良い。
【０１８０】
また上記実施形態において正確な時刻を知る手段として、電波時計がある。電波時計は、腕時計や、置き時計等でも実用化されており、特定の周波数で送信されてくる時刻情報を受信して、自動的にその時刻に時計をあわせることにより、ユーザーが設定操作を行うことなく、常に正確な時刻を得ることを可能にしたものである。
【０１８１】
また、FM放送の時刻情報機能は、近年開始された付加機能サービスであり、FM放送に時刻情報を多重することによって、ラジオ等の表示部に現在時刻を表示可能にすることができる。
【０１８２】
また、PHSや携帯電話の時刻情報取得機能は、既存の時刻確認番号（117）等にダイヤルすることにより、現在時刻を取得するものである。
【０１８３】
また、上記実施形態において、位置情報通知手段には、GPS（人口衛星位置決定システム）や、道路交通情報システム（VICS）などを利用する他に、移動体通信網の基地局の識別情報から得られる位置情報を利用することができる。また、路線バス等の場合は、次のバス停留所に乗客に知らせるための車内放送の録音テープ等の記録媒体に各バスの停留所に対応した位置情報を重畳しておけば、バス運行中に行われる車内放送により、現在の路線バスの位置検出を行うことができる。
【０１８４】
移動体との通信手段に移動体通信を用いる他に、DSRC通信方式などの狭域無線通信を用いても、同様の効果が得られる。
【０１８５】
機器組込み用コンピュータのソフトウェアは、1つ1つの個別開発になりがちであり、類似した機能もそれぞれ新たに開発していた。さらに一方、要求される機能は高度化し、開発期間の短縮化も求められているという状況があった。そこで、T-Engineプロジェクトは、この問題を解決するために、「ミドルウェアの流通」「永く使える100年ソフトの実現」をキーワードとし、ハードウェア開発プラットフォームとリアルタイムオペレーティングシステムの規格化を行い、ミドルウェアというオペレーティングシステムと応用ソフトウェアの中間に位置するソフトウェア部品群の流通を促すガイドラインを提供しようとしている。
【０１８６】
また、TRONは瞬時に命令をこなせるためリアルタイムOSとして優れているうえ、オープンOSのため使用量がいらず低コストですむ。TRONとはThe Realtime Operating system Nucleusの略である。ITRONは機器組み込み用で携帯電話やビデオカメラ、エンジン制御などに使われる。BTRONは人との対話に用いられ、パソコン、PDA、電子ブックなどに使われる。CTRONは通信制御に用いられ、電話局の電子交換機などに使われる。eTRONは電子チケットなどに使われる。
【０１８７】
また、Linuxとは、ユーザが必要な機能やソフトを自分達で開発し、ユーザが自由にソースを入手、変更可能なOSであり、これらTRONやLinuxが使われることが好ましい。
【０１８８】
また、ETCにより、料金所の処理能力が大幅に向上し、料金所渋滞が解消に向かう。料金所でのストップ＆ゴーが減少するため、発進・加速に伴う騒音や窒素酸化物などが軽減され、料金所周辺の環境が改善される。
【０１８９】
インターチェンジが近くにある地域は、人口も増え、所得の伸びも高く、企業立地も進む傾向にあることから、地域の活性化や利便性の向上などを目的に、新たなインターチェンジ設置の強い要望がある。従来の料金支払いシステムでは、料金所を一箇所に集約するため、広い敷地の大規模な構造のインターチェンジが必要だったが、ETCを活用すれば、処理能力が大きく、料金所を集約する必要もないので、コンパクトな料金所構造が必要となり、地域の実情に即してインターチェンジを追加することも容易になる。
【０１９０】
この他、既存の料金所でも、ETCが普及すれば有人ブースの減少などにより、管理コストの削減が見込まれる。また、地域が活性化する。
【０１９１】
また、スマートコミュニケーションの実現により道路利用者は、従来のETCサービスに加え、リクエストに応じた、詳細な走行サポート情報（渋滞情報、車線規制情報、休憩施設情報等）の入手、外部インターネット接続による様々な情報源入手、音楽データ配信、Eメール、電子決済等の、様々なサービスを受けることが可能となる。
【０１９２】
スマートコミュニケーションとは、ETCで用いられている路車間通信（狭域専用通信:DSRC）技術を活用し、車内への多様なサービスを提供するものである。
【０１９３】
情報サービス内容には、道路交通、天候、緊急、休憩施設、観光、宿泊、レストラン予約、一般駐車場、カーナビデータの更新、医療機関、インターネット接続、ライブ映像、道路管理者からのお知らせ、自動車のメンテナンス、IP電話、メールの送受信、受信エリア外のTV放送受信、音楽データ配信、電子決済、地域情報、異常・災害、ダウンロード・ストリ−ミング、ガソリンスタンド注文、修理予約および決済などがある。
【０１９４】
マルチDSRCサービスとは、ETCの双方向・高速大容量のDSRCを活用して行う官民の多様なサービスで、車内への各社情報提供や、駐車場での料金決済などが考えられる。
【０１９５】
このようなマルチDSRCサービスを一つの共通無線機で効率良く提供していくための技術が、スマートコミュニケーション基盤である。具体的には、無線通信の処理手順（プロトコル）である。
【０１９６】
ETCに加えて、マルチDSRCサービスのような多様なサービスが実現することになり、道路利用者の利便性向上とETC普及促進が期待される。
【０１９７】
また、道路交通における安全と円滑を図り、交通公害の防止につながる。安全・快適にして環境にやさしい交通社会を実現する。信号機を整備することで、交通事故を防止する。
【０１９８】
また、車の流れに応じて、交通信号機や可変情報板をコントロールすることに、交通渋滞や混雑が、大幅に減少する。
【０１９９】
また、交通信号機による停止回数が少なくなったり、渋滞のない道路への案内情報により、イライラ運転などによる事故が減少する。
【０２００】
また、渋滞や混雑などでの車の停止回数が少なくなることで、停止・発進時に排出される排気ガスや騒音が減少し、人にやさしい環境を実現できる。
【０２０１】
また、スムーズな流れによる車の燃料消費量の減少は、エネルギーの省電力化と安定した低物価の確保につながり、地球にやさしい環境が実現できる。
【０２０２】
また、高速道路の走行も、交差点での分岐も安心で快適である。
【０２０３】
また、見やすい情報表示と適切なボイスサポートによるルート案内をし、状況や目的に合わせて必要な情報をわかりやすく、まるで通い慣れた道のように車は目的地を目指す。
【０２０４】
また、現在位置や経路案内などの静的情報をはじめ、交通管制センターで把握している渋滞情報や、事故等の動的情報を提供することで、状況に応じた適切な迂回措置や、経路選択を可能にし、交通安全の円滑化、そして環境の改善に寄与する。
【０２０５】
また、光ビーコンとの双方向通信を行うことで、広範囲の交通情報だけでなく、進行方向の交通状況についても簡易図形表示型等により、詳細かつ容易な形で交通情報を受信できる。
【０２０６】
また、交差点間を走行するために要する時間（リンク旅行時間）を受信することにより、渋滞を避け最短時間で目的地に向かう経路を誘導・案内することができる。ETCは、「Electronic Toll Collection System」の略で、有料道路の料金所で一旦停止することなく、DSRCを用いて自動的に料金の支払いを行うシステムである。
【０２０７】
また、車載器と料金所ゲート設置のアンテナとの間には、国際電気通信連合（ITU）で国際標準化された5.8GHzDSRCの無線通信技術を採用している。
【０２０８】
また、ノンストップ自動料金所収受システムもある。
【０２０９】
AHSは、道路側のカメラ等、情報収集インフラや経路誘導インフラと、車両側のカメラ、車載センサなどによる情報収集、路−車間通信や、車−車間通信による情報のやり取りにより、自車両及び周辺車両の位置や、挙動をリアルタイムに把握し、安全な運転を支援する。
【０２１０】
VICSとは、道路交通情報通信システムのことで、Vehicle Information and Communication Systemの略である。VICSは、警察庁、総務省及び国土交通省が、協力して進める事業であり、システムセンターで編集処理されて、光ビーコン、電波ビーコン、FM多重放送の３つのメディアを通して、VICS対応の車載器に提供される。
【０２１１】
また、AHS（Advanced cruise-assist Highway Systems;走行支援道路システム）は、道路と自動車が無線通信により連携し、ドライバーに対してリアルタイムで情報提供や警報、操作支援を行う走行支援システムでもある。
【０２１２】
また、AHSは、事故を回避するために、危険事象の未発見や発見の遅れに対する「情報提供」、判断の誤りに対する「警報」、操作の誤りに対する「操作支援」を段階的に行う。
【０２１３】
また、カーナビは、自車位置を表示、目的地の地図検索、目的地までの経路探索、目的地までのルート検索をする。
【０２１４】
VICS３メディア（光ビーコン、電波ビーコン、FM放送）、ETC、iモード,インターナビシステム、G-BOOK、緊急情報支援（HELPNET）などのメディアもある。
【０２１５】
光ビーコンは、光（近赤外線）を媒体として利用し、一般道路に設置する。また、都道府県警察が設置し、一般道と高速道路の情報を提供する（設置された場所に必要な情報を詳細に提供）。
【０２１６】
電波ビーコンは、電波（準マイクロ波）を媒体として利用し、主に高速道路に設置する。道路管理者が設置し、高速道路（一部の一般道路を含む）の情報を提供する（設置された場所に必要な情報を詳細に提供）。
【０２１７】
FM多重放送は、電波（FM放送波）を媒体として利用し、VICSセンタ−が、NHKのFM多重放送の設備を使って放送する。
【０２１８】
なお、各部は専用のハードウェアにより実現されるものであっても良く、また、この各部はメモリ及びCPU（中央演算装置）により構成、各部の機能を実現するためのプログラムをメモリにロードして実行することにより、その機能を実行させるものであっても良い。
【０２１９】
また、各部の機能を実現するためのプログラムをコンピュータ読み取り可能な記録媒体に記録して、この記録媒体に記録させたプログラムをコンピュータシステムに読み込ませ、実行させることにより、実現しても良い。なおここでいう「コンピュータシステム」とは、OSや周辺機器等のハードウェアを含むものとする。
【０２２０】
また、「コンピュータ読み取り可能な記録媒体」とは、フレキシブルディスク、光磁気ディスク、RAM、CD-ROM等の可搬媒体、コンピュータシステムに内蔵されるハードディスク等の記憶装置のことをいう。さらに、「コンピュータ読み取り可能な記録媒体」とは、インターネット等のネットワーク回線等の通信回線を介してプログラムを送信する場合の通信線のように、短時間の間、動的にプログラムを保持するもの、その場合のホストサーバやクライアントとなるコンピュータシステム内部の揮発性メモリのように、一定時間プログラムを保持しているものも含むものとする。また、上記プログラムは、前述した機能の
一部を実現するためのものであっても良く、さらに前述した機能をコンピュータシステムにすでに記録されているプログラムとの組み合わせで実現できるものであっても良い。
【０２２１】
以上説明したシステムは、これを機能させるためのプログラムでも実現される。このプログラムはコンピューターで読み取り可能な記録媒体に格納されている。本発明では、この記録媒体としてROMがプログラムメディアであっても良いし、また外部記憶装置として、CD-ROMドライブ等のプログラムメディアであっても良い。いずれの場合においても、格納されているプログラムはCPUがアクセスして実行させる構成であっても良いし、あるいはいずれの場合もプログラムを読み出し、読み出されたプログラムは、図示されていないプログラム記憶エリアにダウンロードされて、そのプログラムが実行される方式であっても良い。このダウンロード用のプログラムは予め本体装置に格納されているものとする。
【０２２２】
ここで、上記プログラムメディアは、本体と分離可能に構成される記録媒体であり、磁気テープやカセットテープ等のテープ系、フレキシブルディスク（商標登録）やハードディスク等の磁気ディスクや、CD-ROM／MO／MD／DVD等の光ディスクのディスク系、ICカード／光カード等のカード系、あるいは、マスクROM，EPROM，EEPROM，フラッシュROM等による半導体メモリを含めた固定的にプログラムを担持する媒体であっても良い。
【０２２３】
さらに、外部の通信ネットワークとの通信接続手段を介して、通信ネットワークからプログラムをダウンロードするように、流動的にプログラムを担持する媒体であっても良い。なお、このように通信ネットワークからプログラムをダウンロードする場合には、そのダウンロード用プログラムは予め本体装置に格納しておくか、あるいは別の記録媒体からインストールされるものであっても良い。なお、記録媒体に格納されている内容としては、プログラムに限定されずデータであっても良い。
【０２２４】
広告情報は、広告情報提供サーバのハードディスク等に格納されていてもよく、またRAM（Randam Access Memory）のような揮発性のメモリ等に格納し提示しても良い。
【０２２５】
なお、メモリは、ハードディスク装置や光磁気ディスク装置、フラッシュメモリ等の不揮発性のメモリや、CD-ROM等の読み出しのみが可能な記録媒体、RAMのような揮発性のメモリ、あるいはこれらの組み合わせにより構成されるものとする。光メモリや、有機メモリ、分子メモリでも良い。
【０２２６】
広告データを保持するメモリは、予め複数の広告データを保持する他、車両内においてCD-ROMやDVD等の外部記録媒体から取り込んだ画像データを保持したり、車両外に設置されたサーバ等に蓄積されている画像データや携帯端末から送信される画像データを受信機を介してダウンロードして取り込み保持する。また、フラッシュEEPROM、記憶素子に有機材料を採用した有機メモリ、データの記憶に原子間力顕微鏡（AFM;atomic force microscope）の仕組みを応用した「Millipede」、光ディスクで使用されてきた相変化膜を記憶素子とした相変化メモリ（OUM）、磁性材料を用いる磁器メモリなどもある。
【０２２７】
プラスチック製光メモリは、いっそうに複数のホログラムを重ね合わせて記録し、最盛時に液晶シャッターによるフィルタ−を透過させることで特定のパターンのみを読み出すことができる。
【０２２８】
各実施形態における広告事業者サーバ及び街頭広告装置での処理は、プログラムに制御されたコンピュータにより実行される。このプログラムは、例えば、磁気ディスク、半導体メモリ、その他の任意のコンピュータで読み取り可能なものを使用することができる。また、記録媒体に記憶されたプログラムは、記録媒体を直接コンピュータに装着して、当該コンピュータに読み込ませてもよいし、通信回線を介してコンピュータに読み込ませても良い。
【０２２９】
以上、この発明の実施形態を図面を参照して詳述してきたが、具体的な構成はこの実施形態に限られるものではなく、この発明の要旨を逸脱しない範囲の設計変更等も含まれる。
【０２３０】
また、各情報提供装置では、広告の時間帯や放映時間、放映回数等を装置ごとに調整可能にして広告を行う。
【０２３１】
前述した実施例は、本発明の一具体例にすぎず、本発明がこれらの実施形態の構成に限定されることはなく、これらの組み合わせなども本発明に含まれることはいうまでもないことである。
【図面の簡単な説明】
【０２３２】
【図１】本発明に係る有機ELディスプレイの模式的な構造図である。
【図２】本発明に係るフレキシブル有機ELディスプレイの典型的な構造図である。
【図３】本発明に係るパッシブマトリクスの構造を示す図である。
【図４】本発明に係るアクティブマトリクスの構造を示す図である。
【図５】本発明に係る広告情報表示システムの構成を示すブロック図である。
【図６】本発明に係る広告情報提供システムの動作を示すフローチャートである。
【図７】本発明に係るコンビニやスーパーの出入口を示す図である。
【図８】本発明に係るコンビニやスーパーの店内を示す図である。
【図９】本発明に係るコンビニやスーパーの店内を示す図である。
【図１０】本発明に係るその他の店舗やホテルの出入口を示す図である。
【図１１】本発明に係るレストランなどを示す図である。
【図１２】本発明に係るエスカレーターもしくは階段を示す図である。
【図１３】本発明に係る電話ボックスを示す図である。
【図１４】本発明に係る駅を示す図である。
【図１５】本発明に係る改札口を示す図である。
【図１６】本発明に係る駅構内など建物内を示す図である。
【図１７】本発明に係る自動改札機を示す図である。
【図１８】本発明に係る電車前面を示す図である。
【図１９】本発明に係る電車側面を示す図である。
【図２０】本発明に係る電車内部を示す図である。
【図２１】本発明に係るバスの外観を示す図である。
【図２２】本発明に係るバスの後部を示す図である。
【図２３】本発明に係るバス内部を示す図である。
【図２４】本発明に係るタクシー外観を示す図である。
【図２５】本発明に係るタクシー後部を示す図である。
【図２６】本発明に係るタクシー内後部座席を示す図である。
【図２７】本発明に係る自動車の運転座席を示す図である。
【図２８】本発明に係る車いすを示す図である。
【符号の説明】
【０２３３】
1a  陰極
1b  電子注入層
1c  電子輸送層
1d  発光層
1e  ホール輸送層
1f  ホール注入層
1g  陰極
2a  バリアフィルム
2b  高分子有機EL
2c  陰極
2d  陽極
2e  接着剤
2f  絶縁層
3a  一画素の開口スペース
3b  外付けドライバ IC
4a  TFT
4b  発光スペース
50  広告情報提供サーバ
51  広告情報提供装置
52  通信網
5a  回線制御部
5b  通信情報管理部
5c  位置情報管理部
5d  広告情報管理部
5e  プログラム設計部
5f  分離部
5g  アクセス履歴データベース
5h  広告情報データベース
5i  画像データベース
5j  音声データベース
5k  プログラムデータベース
5l  通信部
5m  広告情報制御部
5n  表示制御部
5o  音声出力部
5p  プログラムデータベース
5q  画像データベース
5r  音声データベース
5s  透明な有機ELディスプレイ
5t  スピーカー
7  出入口のドアや、窓ガラスに貼った透明な有機ELディスプレイ
8a  商品棚のPOP
8b  買い物カゴに用いられる透明な有機ELディスプレイ
8c  フロア−広告
9  催事コーナーのPOP
10  店舗やホテルなどの出入口に貼った透明な有機ELディスプレイ
11  レストランなどのメニュー
12a  エスカレーターもしくは階段などのガラス部分に貼った透明な有機ELディスプレイ
12b  エスカレーターもしくは階段の蹴上げや踏み面
12c  エスカレーターもしくは階段の手すり
12d  エスカレーターもしくは階段の掲示板
13  電話ボックスに貼った透明な有機ELディスプレイ
14a  駅でん
14b  駅貼り
14c  駅だて
14d  ベンチ広告
15a  フリーポスター
15b  フラッグ広告
15c  横断幕広告
15d  フロア−広告
16  アドピラー
17  自動改札機に付けられる透明な有機ELディスプレイ
18  電車前面に用いられる透明な有機ELディスプレイ
19  側面（外貼り）ステッカー
20a  中吊り
20b  手すり
20c  窓上ポスター
20d  ドア上ポスター
20e  ツインステッカー
20f  戸袋ステッカー
20g  網棚横ステッカー
20h  窓ステッカー
20i  フロア−広告
20j  貫通路上ステッカー
20k  車両連結部ポスター
20l  ドア横ポスター
20m  ドア横下ステッカー
20n  ドア横上ポスター
20o  小枠額面ポスター
20p  アドシーリング（天井）
20q  網棚ポスター
21a  普通ステッカー
21b  外側板
21c  フロントガラス
22a  後部ステッカー
22b  後部板
23a  車内額面ポスター
23b  吊り革広告
23c  運転座席背面ポスター
23d  天吊りポスター
23e  普通ステッカー
24a  サイドステッカー
24b  表示板
25  リア−ウィンドウステッカー
26  座席広告
27  自動車の運転補助のための透明な有機ELディスプレイ
28  車いすに用いられる透明な有機ELディスプレイ
【手続補正３】
【補正対象書類名】図面
【補正対象項目名】全図
【補正方法】変更
【補正の内容】
【図１】
2005070740.tif 000033
【図２】
2005070740.tif 000034
【図３】
2005070740.tif 000035
【図４】
2005070740.tif 000036
【図５】
2005070740.tif 000037
【図６】
2005070740.tif 000038
【図７】
2005070740.tif 000039
【図８】
2005070740.tif 000040
【図９】
2005070740.tif 000041
【図１０】
2005070740.tif 000042
【図１１】
2005070740.tif 000043
【図１２】
2005070740.tif 000044
【図１３】
2005070740.tif 000045
【図１４】
2005070740.tif 000046
【図１５】
2005070740.tif 000047
【図１６】
2005070740.tif 000048
【図１７】
2005070740.tif 000049
【図１８】
2005070740.tif 000050
【図１９】
2005070740.tif 000051
【図２０】
2005070740.tif 000052
【図２１】
2005070740.tif 000053
【図２２】
2005070740.tif 000054
【図２３】
2005070740.tif 000055
【図２４】
2005070740.tif 000056
【図２５】
2005070740.tif 000057
【図２６】
2005070740.tif 000058
【図２７】
2005070740.tif 000059
【図２８】
2005070740.tif 000060
【手続補正書】
【提出日】平成16年9月24日(2004.9.24)
【手続補正１】
【補正対象書類名】特許請求の範囲
【補正対象項目名】全文
【補正方法】変更
【補正の内容】
【特許請求の範囲】
【請求項１】
透明な有機ELディスプレイを用いた広告情報提供システムであって、広告情報提供サーバが、送信されてきた広告情報を受信する広告情報管理部と、広告情報を記憶する広告情報記憶部と、送信されてきた広告情報を映像データと音声データとに分離する分離部と、広告情報を広告情報提供装置へ送信する通信情報管理部と、広告情報提供者端末装置から広告情報提供希望データや消費者端末装置から広告情報配信希望信号を受信する回線制御部とを備え、広告情報提供装置が、サーバから送られてきた広告情報を受信する通信部と、通信部から送られてきた映像データと音声データを映像データベース、音声データベースにそれぞれ格納するように指示する広告情報制御部と、広告情報を出力表示する透明な有機ELディスプレイとスピーカーとを、備えることを特徴とする広告情報提供システム。
【請求項２】
透明な有機ELディスプレイを用いた広告情報提供方法であって、広告情報提供サーバが、通信網を介して送信されてきた広告情報を受信し、受信した広告情報から映像データと音声データとに分離し、通信網を介して広告情報提供装置へ送信し、別に必要に応じて消費者端末装置へ広告情報を配信する処理と、前記広告情報提供装置が、前記広告情報提供サーバから送信されてきた広告情報を受信して、透明な有機ELディスプレイに出力表示する処理とを、含むことを特徴とする広告情報提供方法。
【請求項３】
透明な有機ELディスプレイを用いた広告情報提供方法プログラムが記録された記録媒体であって、通信網を介して送信されてきた広告情報を受信し、受信した広告情報から映像データと音声データとを分離し、通信網を介して広告情報提供装置へ送信し前記透明な有機ELディスプレイに広告情報を出力表示させ、消費者端末装置へ広告情報を配信する処理を前記広告情報提供サーバに実行させる広告情報提供方法プログラムが記録されたことを特徴とする記録媒体。
【手続補正２】
【補正対象書類名】明細書
【補正対象項目名】全文
【補正方法】変更
【補正の内容】
【発明の詳細な説明】
【技術分野】
【０００１】本発明は、透明な有機ELディスプレイを用いた広告情報提供システムを実現するための技術に関する。
【背景技術】
【０００２】従来、消費者に広告情報を提供する際・テレビやラジオのCM・新聞や雑誌の広告・折込みチラシ・屋外広告・交通広告・SP・ダイレクトメール・LEDなどを使った街頭ディスプレイ・チラシを配る・ホームページ上での広告・プロジェクターを使った宣伝・各種サイン・看板・屋外広告・街頭宣伝・車両にシールやステッカーを貼る・車両内での吊り広告・コンビニなどに設置したキオスク端末・液晶ディスプレイやプラズマディスプレイを使った広告・FM文字放送等の方法があった。【特許文献１】特開2003-122266
【特許文献２】特開2002-351374
【特許文献３】特開2003-43963
【特許文献４】特開2003-108858
【特許文献５】特開2001-202455
【特許文献６】特開2001-283084
【特許文献７】特開2002-215076
【特許文献８】特開2002-251158
【特許文献９】特開2003-308025
【発明の開示】
【発明が解決しようとする課題】
【０００３】従来のプラズマディスプレイは、大型テレビにしか使用できず、発光素子の寿命の短さで、焼き付きも起きやすい。また、曲げにくく消費電力も大きい。また、液晶ディスプレイは、バックライトを使うため消費電力が大きく、コントラストが比較的悪い。また、応答速度も遅く、視野角も狭い。【０００４】また、照明には点光源の白熱灯、線光源の蛍光灯などがあった。しかしながら、白熱灯は熱を生じやすく消費電力も大きく、寿命も比較的短い。また、蛍光灯には水銀が使われており、環境に悪影響を与える。【０００５】POPにおいて、何処で何を購入するかのイニシアチブはお客様にある。お客様に数あるお店の中から自店を選んで頂き、またより多くお買物をして頂く為には、お店はもとより取扱商品についても、より良くご理解を頂くことが大変必要となる。【０００６】景気の動向は、お客様の購買意識を大きく左右する。景気低迷時は当然のように購買意欲を盛り上げる仕掛けを、景気好調時にも衝動購買への仕掛けが必要となる。POP広告は景気・不景気にかかわらず、お客様の購買意識を左右する。時代とともに生活様式も変わってくる。また理想を求めた新しい生活感も存在する。そうした生活意識の変革とともに、ものに対する考え方や購買意識も変わる。従ってその時代に即応した生活向上意識を満足させる仕掛けが必要となる。【０００７】技術の開発や革新により、新種の商品が開発されると、当然のように新しい形態の業種や業態が誕生する。そうした商品や販売店では、顧客に認知をして頂くことが不可欠である。例え同じものであっても、年齢や性別、性格や生活環境などの違いから、顧客ごとに捉え方は千差万別である。従って客層や商品ごとの顧客ターゲットに合わせた商品紹介が必要となる。【０００８】国際競争の激化時代を迎え、外国製品の氾濫は元より、国外の小売業者の参入も増加しつつある。国産品との差別化を始め輸入先の原産国表示もお客様にとって大切な情報源である。POP広告への単価の低下、少ロット化への要求も、依然強い。【０００９】POP広告の効果測定指標として、売上数量がよく用いられているが、最も基本的な指標である「掲出率」を用いる企業は、わずかである。POP広告において、「販売効果」の把握が、今後の大きな焦点である。【００１０】また、OOHは都市生活者のライフスタイルが変化し、自宅でのマスコミ４媒体への接触時間が減少し、自宅外で過ごす時間帯が増加傾向にあることに着目した動きであるが、屋外メディアと交通メディアを、バランス良くミックスしたメディア展開のニーズが強まってきている。【００１１】また、プロジェクターは広告媒体としてターゲットが見え、顧客のわかりやすさがあるが、昼間の訴求力が弱い。また、一瞬で通過する入口では、利用者の注意を引くのが難しい。また、プロジェクターのランプ切れの心配もある。【００１２】また、屋外広告においては地方と都市を結ぶネットワーク型プランや、夕方のみ放映をするプライム型プランなど、クライアントのニーズにあったプランを提供する必要性も高まっている。【００１３】また、駅構内媒体には今後、整理・統合・販売方式改変等が必要とされている。【００１４】また、交通広告には、旧態依然とした業界の体制・体質や広告効果指標の未整備、割り当て制度に代表されるバイイングの不透明性さなどが、最もたるものとしてあげられる。少子化による輸送人員低下も課題である。【００１５】また、広告情報が一方通行で単調になりがちで、消費者の好みで選べず広告効果の定量化ができなかった。【００１６】また、広告情報がリアルタイムなものでなく、固定的であったり、地域固有のローカルな広告などには適さない、などの問題があった。【００１７】本発明では、上記課題を克服するために、透明な有機ELディスプレイを用いた広告情報提供システム及びこれを用いた広告情報提供方法及び記録媒体の提供を目的とする。
【課題を解決するための手段】
【００１８】請求項１に係る発明は、透明な有機ELディスプレイを用いた広告情報提供システムであって、広告情報提供サーバが、送信されてきた広告情報を受信する広告情報管理部と、広告情報を記憶する広告情報記憶部と、送信されてきた広告情報を映像データと音声データとに分離する分離部と、広告情報を広告情報提供装置へ送信する通信情報管理部と、広告情報提供者端末装置から広告情報提供希望データや消費者端末装置から広告情報配信希望信号を受信する回線制御部とを備え、広告情報提供装置が、サーバから送られてきた広告情報を受信する通信部と、通信部から送られてきた映像データと音声データを映像データベース、音声データベースにそれぞれ格納するように指示する広告情報制御部と、広告情報を出力表示する透明な有機ELディスプレイとスピーカーとを、備えることを特徴とする広告情報提供システムである。【００１９】また、請求項２に係る発明は、透明な有機ELディスプレイを用いた広告情報提供方法であって、広告情報提供サーバが、通信網を介して送信されてきた広告情報を受信し、受信した広告情報から映像データと音声データとに分離し、通信網を介して広告情報提供装置へ送信し、別に必要に応じて消費者端末装置へ広告情報を配信する処理と、前記広告情報提供装置が、前記広告情報提供サーバから送信されてきた広告情報を受信して、透明な有機ELディスプレイに出力表示する処理とを、含むことを特徴とする広告情報提供方法である。【００２０】また、請求項３に係る発明は、透明な有機ELディスプレイを用いた広告情報提供方法プログラムが記録された記録媒体であって、通信網を介して送信されてきた広告情報を受信し、受信した広告情報から映像データと音声データとを分離し、通信網を介して広告情報提供装置へ送信し前記透明な有機ELディスプレイに広告情報を出力表示させ、消費者端末装置へ広告情報を配信する処理を前記広告情報提供サーバに実行させる広告情報提供方法プログラムが記録されたことを特徴とする記録媒体である。
【発明の効果】
【００２１】有機ELディスプレイは、耐震・耐熱性に富み、応答速度が速く消費電力が少なくてすみ、寿命も長く視野角もよい自発光型のディスプレイである。【００２２】色素増感太陽電池を透明な有機ELディスプレイに組み合わせシステム化することで、紫外光から保護し、また消費電力を節約することができる。【００２３】POPとして、にぎやかな店舗を演出でき集客向上につながる、ショッピングの直前にPRできる、売上効果を生む、メディアミックスを実現できるなどの効果がある。また販売直結型の広告、キャンペーン期間中のPOSデータと連動した効果検証がしやすい。また、ディスプレイに二次元バーコードなどを表示したり、チップを埋め込んだ広告物とのコミュニケーションなど携帯端末と連動した企画もつくりやすい。【００２４】また、セールスキャンペーン型への展開がしやすい。携帯端末と連動したサービスの入口にもなる。単純なサーキュレーションでは測れない価値もあり、テストマーケティングのツールとして非常に有効である。多額の費用がかかるテレビ広告を出す前に電子ポスターで反応を見ることができる。【００２５】また、重量が軽く、メンテナンスがしやすく、お客様のニーズにあったリーズナブルなものを提案しやすい。【００２６】プロジェクターのかわりに、イメージの演出に成功させ新しいメディアとなる。お客様誘導効果やイメージにぴったりのディスプレイとして効果をあげる。また、多彩な内容の情報を提供できる、鮮やかな映像が浮かび上がる、説明映像が浮かび上がる、内部が見えるとともに、購買意欲を煽る、色々な店舗に応用できるなどの効果もあり、室内からの視界を妨げず、外部に鮮明な映像を表示することもできる。ガラスをスクリーンとして利用する新しい情報媒体が通行する人々の目を引きつけ、高いアイキャッチ効果がある。【００２７】また、ウィンドウをスクリーンに利用しながら、開放感を損なうことなく、新たな広告スペースとして利用できる。省スペース型の映像情報表示システムである。プロジェクタ−と透明なフィルムを使う方法などでは不可能であったが、大きな面でより鮮明に映像表示できる、スペースをとらない、複数箇所で表示できる、また持ち運びもできるようになる、といった効果もある。【００２８】店舗・ショールームなどにおいて、明るくすっきりしたディスプレイデザインにマッチする。チラシ広告やキャンペーン情報などを独自に編集して、タイムリーに表示できるなどの効果もある。【００２９】屋外広告において、ユビキタスネットワーク社会の実現と、地球環境と共存する社会づくりをし、街全体を活性化し集客につながるソリューションになる。【００３０】また、街の景観と一体化していることの大切さを認識し、街のもつ雰囲気、イメージを的確につかみ、見る層にあったコンテンツを流す。【００３１】屋外のメリットは、TVよりもコストが安い、マスとしても、限定メディアとしても使える。地域に密着してターゲットを絞り込むことができる。双方向性も有す。【００３２】また、派手に明るくしたり音を出し、人の視線を引きつけることで、様々な街の犯罪を防止する効果もある。【００３３】モバイル端末と連動したマーケティング機能をもたせることも可能で、交通広告を合理化する���法として期待は大きい。また、サーキュレーションは絶大で、広告単価が安く、接触頻度が高い。【００３４】またETCが広まれば、料金所のノンストップ通行による料金所通過時間の短縮やキャッシュレス化が実現し、利用者の利便性、快適性が大幅に向上する。【００３５】また家電などに付けることで、表示機能を付与し補助的な表示機能を付与することができる。また、電子機器への着脱性および表示装置の携帯性に優れ、ユーザに高い利便性を提供できる。【００３６】また、従来にない場所で広告し、広告情報を消費者が無料で受信したり、また買うことで広告情報そのものに新たな付加価値がうまれ、新たなビジネスや市場をうみ、産業の活性化につながる。また、環境に優しく、省エネ効果があり、ローコストで効率的である。【００３７】また、映像を重ねることで、空間が重なっていると知覚できるようになり、その空間を形作る一部又は全てを壊すことなく低コストで改装・改築し、その空間を再生し甦らせることができる。また、複雑で多様な空間を映像や文字を使って情報表示することで、宣伝・演出効果がより促進される。【００３８】また、本発明では、ディスプレイを通して視覚できるようにするだけでなく、ディスプレイに反射する景色と、ディスプレイを透かして見る景色と、ディスプレイによって映し出される映像とを重ねることができ、非常に美観をともなうものとなる。【００３９】また、夜はイルミネーション効果をうむことができる。【００４０】また、アクセス履歴を記録しておくことで、広告効果の定量化を行うことができ、ニーズに対応した広告情報を提供でき、消費者の好みで選べるようになることで広告効果も増し、双方向なものとなる。【００４１】また、広告情報がリアルタイムなものになり、地域固有のローカルな広告などもしやすくなり、地域振興・地場産業の発展に貢献する。【００４２】欲しい人が、欲しい情報をリアルタイムで得られるメディア、一般の人がいかに使いやすいかを考えた優しいメディアとして用いることができ、ターゲットが明確なため、広告媒体としての評価も高い。【００４３】将来的に新しい販促・集客ツールとして活用する道も開ける。
【発明を実施するための最良の形態】
【００４４】以下、本発明の実施の形態について、図面を参照して説明する。【００４５】図1は、本発明に用いる有機ELディスプレイの模式的な構造図である。1aは陰極、1bは電子注入層、1cは電子輸送層、1dは発光層、1eはホール輸送層、1fはホール注入層、1gは陽極である。【００４６】陽極1gにはITO、陰極1aには、マグネシウムやリチウムなどの薄い膜をつけて陰極処理などをしたITOを用いることで透明にする。【００４７】低分子系の場合、電子注入層1bには、リチウムなどアルカリ金属、フッ化リチウム、酸化リチウム、リチウム錯体、アルカリ金属ドープ有機層、電子輸送層1cには、アルミ錯体、オキサジアゾール類、トリアゾール類、フェナントロリン類、発光層1dには、アルミ錯体、アントラセン類、希土類錯体、イリジウム錯体、各種蛍光色素、ホール輸送層1eには、アリールアミン類、ホール注入層1fには、アリールアミン類、フタロシアニン類、ルイス酸ドープ有機層が用いられる。また、高分子系の場合、電子注入層1bには、バリウム、カルシウム、発光層1dには、Π共役系（ポリフェニレンビニレン類、ポリフルオレン類、ポリチオフェン類）、色素含有ポリマー系（非共役系）側錯型ポリマー、主錯型ポリマー、ホール注入層1fには、ポリアニリン＋有機酸、ポリチオフェン＋ポリマー酸が用いられる。【００４８】図2は、フレキシブル有機ELディスプレイの典型的な構造図である。2aはバリアフィルム、2bは高分子有機EL、2cは陰極、2dは陽極、2eは接着剤、2fは絶縁層である。【００４９】フレキシブル基板に設けられたEL素子からなるEL発光部、及び各EL素子に接続される電極を設けるとともに、表示面をフィルム等の透明材料で覆い、かつ全体を可撓性材料で封止することにより、ディスプレイ全体に可撓性を持たせている。【００５０】有機ELディスプレイのピクセルをフルカラーで光らせる方法は、パッシブマトリクス法とアクティブマトリクス法の二種類ある。【００５１】図3は、パッシブマトリクスの構造を示す図である。パッシブマトリクス（パッシブ型）は、陽極と陰極が縦横に交差していて、その交点を選択してドライバICで光らせる方法である。3aは一画素の開口スペース、3bは外付けドライバICである。原理的には、テレビの走査線と同じで、時間差（時間分割）がある。外付けのドライバIC3bで駆動する。構造が比較的簡単で製造装置が安価にできる。【００５２】図4は、アクティブマトリクスの構造を示す図である。アクティブマトリクス（アクティブ型）は、一つ一つの発光素子にスイッチング素子として、トランジスタ（TFT）がすべてについている。4aはTFT、4bは発光スペースである。TFT4aは一画素について一個とは限らず、二、三個ついていてもよい。このTFT4aで発光輝度をコントロールする。発光に必要な電流は、キャパシタから供給する。キャパシタとは、電荷容量とも言い、電荷を蓄える働きをする。【００５３】低分子系の有機トランジスタでは、ペンタセンやナフタレンなどの単結晶が半導体層に用いられている。【００５４】高分子系の有機トランジスタでは、導体にPEDOT（ポリチオフェニン）やPPV（ポリエチレンビニレン）などが用いられる。絶縁膜には、PVPh（ポリビニルフェノール）などが用いられる。半導体層にはポリチオフェン系などのものが使われている。【００５���】高電子移動度の有機半導体（ペンタセン）と、非常に薄い（2.5nm）SAM（自己組織化単分子膜）ゲート絶縁膜を使用する分子TFTなどもある。【００５６】高性能透明有機トランジスタ、チオール酸と呼ばれる有機半導体の素材を使った有機トランジスタ、ナノ材料の自己組織化現象を利用した有機トランジスタなどもある。また、酸化チタンは短波長の光しか吸収しないので、太陽光を効率良く電気に変える為に、増感剤として色素（Ru錯体）が用いられる。この色素はアンテナとして働き、太陽光を吸収して電子を酸化チタン膜に注入して発電が行われる。太陽光だけでなく、室内の電灯の光も発電に利用できるという利点を持っている。【００５７】2〜20インチの小〜中型は、アクティブ型でTFTは低温ポリシリコン、20〜40インチの中〜大型は、アクティブ型でTFTはアモルフォスシリコン、40〜100インチの大〜特大型は、パッシブ型が考えられる。将来的には、2〜100インチまでを、フィルム基板ですべて有機TFTを用いたアクティブ駆動で実現できる。【００５８】また、該ディスプレイは、できるだけ透明な方が好ましいが、様々な用途に使用されることを考えると、むしろ透明度には幅があった方がよい。また立体的に見えるようにするなどのために、何重にも重ねてもよい。また色素などを使って着色してもよい。【００５９】透明な照明として用いる時は、ラッピングなどをすれば透明な看板・サインになる。透明な白色有機ELに電気泳動式パネルやフィルムを組み合わせたものでも良い。【００６０】白色有機ELは特開2004-63349、特開2004-63209、特開2002-164170などに詳しい。また、白熱灯のように球状にしたり、蛍光灯のように円筒状にしたりと、その形状は問わない。【００６１】また、本発明ではこの透明有機ELディスプレイの両側面を、透明な太陽電池で覆う。こうすることで、紫外光に弱い有機ELディスプレイを保護すると同時に、電力を得ることができる（不図示）。【００６２】また、マルチフォトン素子（公知の技術）を使うことで、発光効率を増すことができる。マルチフォトン素子とは、陽極と陰極の間に電荷発生層を何層か挿入することであり、量子効率を高めることである（不図示）。【００６３】従来のボトムエミッション型において、金属陰極を透明なITOにすれば、表裏同じくらいの輝度の発光を示すが、必ずしも同じである必要はない。【００６４】封止膜には、金属酸化物や窒化物などの薄膜がある。また、ポリマー膜とセラミック膜を、数層にわたって繰り返し成膜する方法もある。【００６５】また、エリアカラーとフルカラーがあり、エリアカラーで十分なこともある。【００６６】また、フルカラーの技術には、３色発光法、フィルター法（白色法）、色変換法、フォトブリーチング法などがある。【００６７】また、フレキシブルディスプレイ自体をフラットスピーカーにしてもよい（公知の技術）。【００６８】図5は、本発明に係る広告情報提供システムの構成を示すブロック図である。データベースを除く各ブロックともに具体的には、CPU並びにメモリを含む周辺LSIで構成され、CPUがメモリに記録されたオペレーティングシステムを含むプログラムを読み出し、逐次実行することにより、以下に示す各ブロックが持つ各機能を実現するものである。【００６９】同図に示すように���広告情報提供システムは広告情報提供サーバ50と、広告情報提供装置51と通信網52を備えている。ここで広告情報提供サーバ50は、回線制御部5aと、通信情報管理部5bと、位置情報管理部5cと、広告情報管理部5dと、プログラム設計部5eと、分離部5fと、アクセス履歴データベース5gと、広告情報データベース5hと、映像データベース5iと、音声データベース5jと、プログラムデータベース5kとにより構成されている。サーバの場所は問わない。【００７０】広告情報は、映像データと音声データから構成される。映像データは、ディスプレイに画面表示されるデータであり、文字表示と映像表示、静止画像と動作画像の別を問わない。音声データは、映像データに連動して出力される音声からなるデータである。なお、映像データ又は音声データの一方を、広告情報としてもよい。【００７１】また、広告情報には付加データが付される。付加データには、広告情報対象消費者の性別や年齢層や他の指定データが含まれる。また例えば、ある地域内に設置したカメラによるリアルタイム映像情報、及び地域内に設置したセンサによって検出した情報、例えば温度センサや湿度センサ、騒音センサによって検出した温度や、湿度、騒音などの情報を地域情報としてもよい。またこれらのセンサ情報と前述した情報を組み合させたものを地域情報として提供してもよい。また、緊急時の警察・消防・役所などからの緊急情報でも構わない。【００７２】回線制御部5aは、広告情報提供者端末装置からの広告情報提供希望データを受信し、また、消費者端末装置から広告情報配信希望信号を受け付け、希望の広告情報を配信する。広告情報提供希望データには、広告情報対象消費者の性別・年齢層・希望時間帯・曜日などがある。また、広告情報配信希望信号は広告情報の配信を希望する旨の意思表示をする信号である。【００７３】消費者端末装置は、携帯電話機、PHS・PDA・PCなどに代表される一般の消費者個人の所有する通信端末により構成されている。なお、広告情報提供者端末装置、広告情報提供装置51、消費者端末装置はそれぞれ独立した別々の構成である。【００７４】通信情報管理部5bは、広告情報を広告情報提供装置51に送信する。【００７５】位置情報管理部5cは、例えばGPS（Global Positioning System）の機能又は、PHSもしくは携帯電話機等の機能の一部を有する。GPSは、地球上に打ち上げられた人工衛星からの電波を利用して、現在位置や高度を求める装置である。受信装置の電源投入によって動作させるようにすることにより、電源投入後に受信装置の現在位置を自動的に取得することができる。ディファレンシャルGPS・車速センサ・ジャイロなどを組み合わせ、計算することで、位置を知ることもできる。【００７６】また、PHSや携帯電話等を用いた移動体通信においては、電話機が現在いずれの基地局のエリア内に位置するかを把握するために、電源投入直後や、移動により異なる基地局の電波が強くなった時に、電話機と基地局との間で交信を行って、常に最新の位置を把握するようになっている。この機能を積極的に利用したものとして、PHSの位置情報確認サービス等がある。このような移動体通信の位置情報把握機能を備えることにより、GPSの場合と同様に受信する。【００７７】広告情報管理部5dは、情報源から広告情報���含んだ情報を受信し、広告情報データベース5hへ送信し保存する。また、位置情報管理部5cから位置情報を取得する。【００７８】また、広告情報管理部5dは、掲示場所を含む消費者端末装置からのアクセス履歴を回線制御部5a、通信情報管理部5bを介し、アクセス履歴データベース5gに記憶する。アクセス履歴には、アクセスの結果だけでなく、消費者の性別、年齢なども含まれていてもよい。【００７９】また、広告情報管理部5dは、受信した広告情報の内容が有害か否かを判断する機能を有する。有害とされる広告情報には、公の秩序又は善良の風俗を害するおそれがあるもの等が該当する。判断の結果、有害とされた広告情報は、更新されるまで広告情報データベース5hに記憶するか、又は、広告情報管理部5dにおいて消去される。このように受信した広告情報の内容を確認することにより、有害とされる広告情報を排除することができる。【００８０】プログラム設計部5eは、広告情報提供者端末装置から受信した広告情報提供希望データにもとづいて、タイムプログラムを設計する。設計されたタイムプログラムは、プログラム設計部5eからプログラムデータベース5kに送信され、記憶される。【００８１】分離部5fは、広告情報を映像データと音声データに分離する。【００８２】情報源としては、各種プロバイダサーバ・行政サービスなどのサービスセンター・衛星放送・TV放送・VTR・DVDビデオ・ビデオCD・公衆回線（ISDN）・広告作成業者の作ったデータ・気象庁の気象情報・警察庁や国交省の道路情報・内閣府や消防庁の危機管理情報、などがある。【００８３】通信網52には、IrDA通信・デジタル放送の地上波又は衛星通信網・公衆回線やCATVやADSLや光ファイバーなどのインターネット網・光ファイバーケーブル・同軸ケーブル・光ビーコンや電波ビーコン・FM多重放送・DOPA網・パケット通信・UHF（300MHz〜3GHz）での移動体衛星通信・CATVインターネット・WLL（FWA）の無線インターネット・配電線網やPHS網やPLC網などがあるが、特に限定しない。MMACなども利用できる。【００８４】広告情報提供装置51は、通信部5lと、広告情報制御部5mと、表示制御部5nと、音声出力部5oと、プログラムデータベース5pと、映像データベース5qと音声データベース5rと、透明な有機ELディスプレイ5sと、スピーカー5tとにより構成されている。透明な有機ELディスプレイ5sがスピーカー5tを兼ねてもよい。広告情報提供装置51は、店舗や車両などに置かれる。【００８５】広告情報制御部5mは、映像データを映像データベース5qへ、音声データを音声データベース5rへ、タイムプログラムをプログラムデータベース5pへ、それぞれ送信して記憶させる。また広告情報制御部5mは、タイムプログラムにしたがって、広告情報を出力表示させる。【００８６】次に、本発明に係る広告情報提供システムの動作について、図6を参照して説明する。同図は、広告情報提供システムの動作を示すフローチャートである。【００８７】同図に示すように、まず広告情報提供者端末装置から通信網52を介して送信されてきた広告情報提供希望データが、広告情報提供サーバ50の回線制御部5aにおいて受信される（ステップ1）。【００８８】これにもとづいて、広告情報管理部5dは広告情報を、広告情報提供希望データや位置情報管理部5cからの位置情報にもとづいて、選択して受信する。また、上記広告情報を広告情報データベース5hへ送信して記憶させる（ステップ2）。【００８９】一方プログラム設計部5eにおいて、広告情報提供希望データにもとづいて、提供する広告情報のタイムプログラムが設計される。設計されたタイムプログラムは、プログラム設計部5eからプログラムデータベース5kへ送信され記憶される。【００９０】また、広告情報データベース5hから広告情報が読み出され、広告情報管理部5dを介し、分離部5fへ送られる。分離部5fは、広告情報を映像データと音声データに分離する（ステップ3）。分離されたデータは、映像データベース5i、音声データベース5jへそれぞれ送信され記憶される。【００９１】その後、広告情報提供サーバ50から広告情報提供装置51へ、広告情報を送信する時刻になると、映像データと音声データが読み出され、広告情報管理部5d、通信情報管理部5b、及び通信網52を介して広告情報提供装置51へ送信される。この広告情報の転送にともない、プログラムデータベース5kに記憶されたタイムプログラムも転送される（ステップ4）。【００９２】広告情報提供装置51の通信部5lにおいて、受信された広告情報である映像データと音声データは、広告情報制御部5mを介し、それぞれ映像データベース5q、音声データベース5rへ送信され記憶される。これら広告情報とともに転送されたタイムプログラムも、プログラムデータベース5pへ送信され記憶される。【００９３】広告情報制御部5mにおいて、受信したタイムプログラムにしたがい、映像データベース5q、音声データベース5rから映像データと、音声データが順次読み出され、表示制御部5nと、音声出力部5oへそれぞれ送信される。透明な有機ELディスプレイ5s、スピーカー5tにおいて、受信した広告情報がそれぞれ出力される（ステップ5）。【００９４】一方、消費者端末装置から広告情報配信希望信号が回線制御部5aにおいて受信されなければ終了だが、受信された場合、広告情報管理部5dが消費者からのアクセス履歴を、回線制御部5a、通信情報管理部5bを介してアクセス履歴データベース5gに送信し、記憶させる。広告情報管理部5dにおいて、回線制御部5aで上記広告情報配信希望信号が着信したことが確認されると（ステップ6）、広告情報である、映像データと音声データを、映像データベース5i、音声データベース5jからそれぞれ読み出し、広告情報管理部5dから通信情報管理部5b、回線制御部5aを介して、消費者端末装置に配信される（ステップ7）。そして消費者端末装置において、受信した広告情報が出力される。【００９５】そして、消費者端末装置、広告情報提供サーバ50及び広告情報提供装置51において終了の操作が行われるまで、以上の動作が繰り返される（ステップ8）。【００９６】また、例えば交通広告に用いられる場合、前記広告情報提供装置51又は、広告情報提供サーバ50と広告情報提供装置51の双方を、乗合輸送車に設置し、管理センター（不図示）を設ける。管理センターの設置場所は問わない。広告情報提供サーバ50は電信柱や信号機などにも設置されうる。【００９７】管理センターは、所定地域の鉄道路線を運行する全ての列車を管理しており、この運行管理に用いるコンピュータを主体とした周知の運行管理装置が設けられている。これは、管理対象となる全ての列車の運行位置を実時間で把握し、この運行位置情報を列車番号とともに、実時間で供給する。【００９８】乗合輸送車が複数の地域を順次移動すると、各地域に進入する毎に広告情報データベース5hに蓄積されている広告情報を順次更新していく。【００９９】各車両に搭載されている制御CPUは、更新された広告情報を指定された広告情報提供装置51に表示させて広告情報を切り換える。広告情報は各地域毎に対応して用意されている。【０１００】乗合輸送車として、鉄道列車を適用したが、これに限定されることはなく、他の乗合輸送車、例えばタクシーや乗合バス、船や旅客機など他の乗合輸送車に適用しても同様の効果が得られることは言うまでもない。【０１０１】また、電車や路線バスなどは、予め定められた軌道路線を予め定められたタイムテーブルにしたがって移動することから、このタイムテーブルにもとづいて、現在時刻から運行車両の現在位置を判断することができる。車両ID・時刻・位置情報（GPS）などからも判断できる。【０１０２】一方、タクシーなどの移動車両は、運行位置や、運行時間が定まっていないため、GPSにより現在位置を判断し、かつ実際に乗車している時間帯に適した内容の広告情報を提供する。【０１０３】上記広告情報提供システムは、鉄道・バス・タクシーなどの事業者が独自に構築する場合は、広告依頼者と事業者との間で、料金体系を設定すればよい。また、複数の事業者とそれらを擁する広告代理店とでシステムを構築する場合は、広告依頼者が広告代理店に料金を支払い、広告システムを導入する各事業者は広告実績に応じて、広告代理店から広告掲載料金を徴収する。
【実施例】
【０１０４】以下、本発明の実施の形態について、図面を参照して説明する。【０１０５】図7は、コンビニやスーパーの出入口を示す図である。7は出入口のドアや、窓ガラスに貼った場合である。【０１０６】図8は、コンビニやスーパーの店内を示す図である。8aは商品棚に、8bは買い物カゴに、8cはフロア−広告として用いる場合である。【０１０７】図9は、コンビニやスーパーの店内を示す図である。9は催事コーナーのPOPに付けた場合である。【０１０８】図10は、その他の店舗やホテルの出入口を示す図である。10は店舗やホテルなどの出入口に貼った場合である。この他、レジや窓口でもよい。【０１０９】POP（ポップ）は、お店にとって比較的安価な費用で、高い効果が得られる販促ツールであると同時に、ご来店のお客様にとっても、安心してお買物をして頂く為の道標となる情報源である。POP（ピーオーピーまたはポップ）広告といって、英語の「Point Of Purchase advertising」の頭文字を取った略語で、日本では購買時点の広告と訳されている。従って、POP広告はお店のものであると同時に、お客様の為のものでもある。【０１１０】「ものを言わぬセールスマン」とも言われ、店員の商品説明を補ってくれる販促ツールである。購買時点でのお客様の購買意欲を高め、購買決定に大きな役割を果たす。昨今はショッピングを楽しむお客様も多く、そのような方々には店員の口頭説明などの過剰サービスが、却って「わずらわしい」存在になっている。描き方や取り付け方によっては、POP広告本来の効果や役割が発揮されないばかりか販売姿勢をも問われるなど経営にもかかわることから、お店の活性化や商売繁盛の決め手ともなる大切なものである。【０１１１】材料には、紙・段ボール・プラスチック・金属・木・布などが用いられている。メーカーは、カテゴリー全体のアピールをしたいと考えており、カテゴリー・マネージメント・ツールとして必要とされている小売店独自に改良できる。【０１１２】店舗の広告媒体は今後、物流システムや顧客情報データベースと密接に連動する方向へと進化を遂げる。【０１１３】図11は、レストランなどを示す図である。11はレストランなどのメニューに用いられる場合である。【０１１４】図12は、エスカレーターもしくは階段を示す図である。12aは、エスカレーターもしくは階段などのガラス部分、12bはエスカレーターもしくは階段の蹴上げや踏み面、12cはエスカレーターもしくは階段の手すり、12dはエスカレーターもしくは階段の掲示板に用いられる場合である。【０１１５】図13は、電話ボックスを示す図である。13は電話ボックスに用いられる場合である。この場合、事故・事件・災害などの緊急用に地図などを表示したり様々な補助をする。【０１１６】従来の広告媒体として、交通機関の停車駅の通路・壁・電車の車内等に設置されるポスタ−や各種販売店舗の内外に設置されるPOP広告、さらには列車の中吊り広告があり、人目に付く場所に設置される。【０１１７】交通広告は、近年ではマスコミ４媒体の補完メディアとしてのみならず、ビジネスマンやOLなどをターゲットとした生活動線メディアとしてクライアントにも注目されている。【０１１８】アウト・オブ・ホーム（OOH）・メディアとは、自宅外で接触するメディアであり、主に屋外広告・交通広���を包括した新しい概念である。OOH概念は、マスコミ４媒体との統合したプランニングやバイイングを目指すものといえる。【０１１９】広告主ニーズが、商品・サービス中心・キャンペーン志向に変化する中で、マスコミ４媒体と、OOHのメディアミックス展開も着実に増えており、特にターミナル駅や繁華街などの拠点で集中的に屋外広告・交通広告を展開する例が目立っている。【０１２０】広告媒体の多様化と、景気低迷において、広告主が費用対効果をシビアに求め、効果の数値化のデータの必要性がある。複数のビジョンに、同じタイミングで同一の映像を流すビジョンジャックなども好調である。【０１２１】ビジョンジャックとは、通常のテレビCF素材の流用ではなく、街の特性とオーディエンスのマッチングにより、巨大な情報装置の様相を呈す。【０１２２】また、避難・案内誘導標識・誘導灯などとしても利用される。【０１２３】また、家の中と外、それに店内で、同じ宣伝を違う媒体で見るというトータルコミュニケーションのツールとなることもできる。【０１２４】また、屋外広告の質が高い欧州では、広告主にテレビCMよりはるかに高い効果が得られる媒体として認識されている。【０１２５】また、今後も街の特性と連動しながら、エンターテインメント系や通信系など様々な若者をターゲットとした商品告知に、利用されていくメディアとして発展が期待される。【０１２６】図14は、駅を示す図である。14aは駅でん、14bは駅貼り、14cは駅だて、14dはベンチ広告に用いられる場合である。【０１２７】図15は、改札口を示す図である。15aはフリーポスター、15bはフラッグ広告、15cは横断幕広告、15dはフロア−広告である。【０１２８】図16は、駅構内など建物内を示す図である。16はアドピラーと呼ばれ、柱に巻きつける場合である。駅フラッグ、柱巻広告、フロア−広告といった駅空間を利用した媒体も大型キャンペーン時には、駅ジャックとして人気を博している。【０１２９】図17は、自動改札機を示す図である。17は自動改札機に付けられる場合である。【０１３０】図18は、電車前面を示す図である。18は電車前面に用いられる場合である。【０１３１】図19は、電車側面を示す図である。19は、側面（外貼り）ステッカーである。【０１３２】車内媒体では、額面、窓上、ドア横が、掲出機関が比較的長いため、年間を通じて人気がある。また、IT関連企業がURLアドレスを全面的に訴求するべく、ロングレンジでブランディングを目的として活用している。【０１３３】ステッカーは、サイズが小さいものの戸袋位置に掲出されるため、良媒体として広告主に好評である。【０１３４】広告貸切電車は、大型キャンペーン対応として、広告主がビジュアルに工夫を凝らした展開に運用されている。【０１３５】図20は、電車内部を示す図である。20aは中吊り、20bは手すり、20cは窓上ポスター、20dはドア上ポスター、20eはツインステッカー、20fは戸袋ステッカー、20gは網棚横ステッカー、20hは窓ステッカー、20iはフロア−広告、20jは貫通路上ステッカー、20kは車両連結部ポスター、20lはドア横ポスター、20mはドア横下ステッカー、20nはドア横上ポスター、20oは小枠額面ポスター、20pはアドシーリング（天井）、20qは網棚ポスターである。【０１３６】この他に、ドア注意ステッカー、出入口上部ポスター、連結ステッカー、正面ポスター、妻窓ステッカーなどがある。【０１３７】図21は、バスの外観を示す図である。21aは普通ステッカー、21bは外側板、21cはフロントガラスである。【０１３８】バスロケーションシステムは、車載器を積んだバスから、移動体通信を使用し車両ＩＤ（個々の車両を識別する番号）・時刻・位置情報（緯度・経度）などをセンター側に一定間隔で送信し、センター側で計算した結果として、車両の現在位置を把握し、インターネットや携帯電話などを通じて、利用者に対して路線バス・高速バスの運行状況やバス停への接近情報などを表示・提供することにより、バス利用の利便性の向上を図るシステムである。【０１３９】バスの車内で目的地の到着予測時刻を提供したり、パソコンや携帯電話でバスの遅れや到着予測時刻・ダイヤ・料金等を提供することで、バス利用者の利便性が向上する。【０１４０】また、乗務員に対して、異常気象時の運行規制の設定などの指示が可能となることから、バスの安全性が向上する。【０１４１】さらに、運行状況のデータを蓄積・統計処理することで、運行管理の高度化に活用することができるし、自家用車から高速バスへの利用転換を促し、高速道路での交通量減少に伴う渋滞の軽減が期待できる。【０１４２】図22は、バスの後部を示す図である。22aは後部ステッカー、22bは後部板である。【０１４３】図23は、バス内部を示す図である。23aは車内額面ポスター、23bは吊り革広告、23cは運転座席背面ポスター、23dは天吊りポスター、23eは普通ステッカーである。この他に、車内扉上広告、側吊りポスター、横枠ポスターなどもある。【０１４４】ITSは、Intelligent Transport Systemsの略で、DSRCなどの通信を用いて、人と道路と車とを、情報でネットワークすることにより、道路ユーザーの利便性を向上させるとともに、交通事故・渋滞などの道路交通問題の解決を目指す。ITSは以下の、ナビゲーションシステムの高度化・自動料金収受システム・安全運転の支援・交通管理の最適化・道路管理の効率化・公共交通の支援・商用車の効率化・歩行者等の支援・緊急車両の運行支援の９つの開発分野から構成されている。【０１４５】DSRCはDedicated Short Range Communicationの略で、日本のETCで使われている5.8GHzアクティブ方式DSRCは大量の情報を高速で受信できる。双方向・高速大容量通信（最大無線伝送速度4Mbps）が可能であり、路車間での多様なITSサービスを、官民が共通の通信方式で提供できるように、ITU（国際電気通信連合）において国際標準化されている。【０１４６】ETCは、Electronic Toll Collection Systemの略で、有料道路の料金所で一旦停止することなく、DSRCを用いて自動的に料金の支払いを行うシステムである。コンピュータシステムで課金が行われるので、これが普及すれば乗り継ぎ割引・夜間割引や、環境対策のためルートによって料金を変えるなど、利用者ニーズや環境対策のためのルートによって料金を変えるなど、利用者ニーズや環境対策などに対応したきめ細かな料金制度の導入が可能になる。【０１４７】主に車載器・ICカード・路側アンテナで構成されている。車両に装着した車載器に契約情報などを記録したICカードを挿入し、有料道路の料金所のトールゲートに接続した有料道路のコンピュータシステムとICカードとの双方に記録して、��金所で料金所支払いのために止まることなく、通行することができる。【０１４８】車載器は、車両のダッシュボードの上などに設置する無線装置で、ICカードを挿入してICカードと路側アンテナとの間で料金計算に必要な情報の通信を行う。UTMS（新交通管理システム）とは、光ビーコンを用いた個々の車両と交通管制システムとの双方向通信等の高度な情報通信技術により、「安全・快適にして環境にやさしい交通社会」の実現を目指すシステムである。【０１４９】また、PTPS（公共車両優先システム）・ITCS（高度交通管制システム）・HELP（緊急通報システム）・MOCS（車両通行管理システム）・DRGS（動的経路誘導システム）・EPMS（交通公害提言システム）・PICS（歩行者等支援情報通信システム）・FAST（緊急車両支援情報通信システム）・DSSS（安全運転支援システム）・IIIS（高度画像情報システム）・AMIS（交通情報提供システム）などがあり、それぞれの分野で本発明は重要な役割を果たす。【０１５０】図24は、タクシー外観を示す図である。24aはサイドステッカー、24bは表示板に用いられる場合である。【０１５１】図25は、タクシー後部を示す図である。25はリア−ウィンドウステッカーに用いられる場合である。【０１５２】図26は、タクシー内後部座席を示す図である。26は座席広告に用いられる場合である。最先端の情報通信技術を用いて、道路・車両・人を一体のシステムとして構築するITSは、公共交通機関であるタクシーと深く関連していることから、ITSの動向注視は重要であり、ITSとタクシーの関わりについては常に検討しながらタクシー無線の高度化を進める必要がある。タクシー無線の高度化を進め、タクシー事業全体が活性化し、利用者へのサービスが飛躍的に向上することが望まれる。【０１５３】図27は、自動車の運転座席を示す図である。27は自動車の運転補助のために、用いられる場合である。この場合、安全運転の邪魔にならないようにする点が最も大切である。また、ミラーに付けることもある。【０１５４】図28は、車いすを示す図である。28は車いすに用いられる場合である。この場合、様々な補助をするディスプレイとして利用される。【０１５５】歩行者ITSはITSの主要な開発分野の一つであり、高齢者や障害者を含む歩行者・車いす使用者・自転車利用者などに、安全・安心・円滑な移動環境を提供するためのシステムである。【０１５６】具体的には、歩行者の位置を高精度に測定する技術で、詳細なデジタル地図を提供し、通信機能を持った携帯端末などにより、注意喚起・周辺情報提供・経路案内の３つのサービスを総合的に提供する。【０１５７】この他に、パチンコ台や受付カウンター・自動販売機・電柱広告などにも用いることができる。また、美術館や博物館などの展示スペースにも用いることができる。【０１５８】上記本発明において、照明に用いる場合、100ボルトの交流電流をコンバーターで直流に変換したり、インバーターを付けて、高周波で光らせる。【０１５９】また、本発明における有機ELディスプレイにマイクロサーバ（公知の技術）を組み込んで、ネットワーク越しに他のサーバと相互連携を行いながら、利用者の状況に応じた情報支援を行い、ユビキタスコンピューティングの一端を担うことも考えられる。【０１６０】また、本発明に用いられ��太陽電池は、発生する電気を利用して熱作用が強い赤外光の反射率を制御することで、夏は赤外光を反射させ、冬は室内に取り入れるなどへの応用も期待できる。【０１６１】また、紫外線だけを吸収して発電する。酸化亜鉛の半導体と銅アルミ酸化物の半導体を組み合わせて作る。発電に使用する紫外光は太陽光の輻射エネルギーのうち６％と小さいが、赤外光の制御などを含めて考えると、太陽光の利用効率は現在の太陽電池よりも優れている。【０１６２】また、太陽電池自体を含めて紫外光による種々の劣化が未然に防止される。赤外光（熱線）制御により節約できるエネルギーまで含めると、太陽光の利用効率は通常の太陽電池を超える。バンドギャップ３eV以上の半導体が透明半導体となりうる。【０１６３】また、クマリン系色素増感酸化物半導体光電極は様々な色をもつ有機色素を用いることにより、透明でカラフルなファッション性のある太陽電池を作成できる。【０１６４】また、フタロシアニンやぺリレンを用い、色素型はシリコンより安価で制約のないタイプの実用化につながる。【０１６５】また、タッチパネルを利用することもできる。タッチパネルには感圧式と静電式の二通りがある。前者は圧力の変化を感知し、後者は静電気による電気信号を感知する。【０１６６】また、画面に二次元バーコードを表示させることもできる。表示した二次元バーコードを、二次元バーコードリーダ機能を持つカメラ付携帯電話で読み取らせると、二次元バーコードに埋め込まれているテキストやURLが携帯電話に表示され、簡便に指定のサイトにアクセスすることができる。【０１６７】また、透明な有機ELディスプレイにつけられたIDタグの情報を読み取ることで、より詳しい情報や音楽・映像などのコンテンツを楽しむことが可能になる。【０１６８】また、上記各実施形態において、広告情報管理部5dが受信するアプリケーションプログラムは、ハイパーメディアに対応しており、所定画面上のアイコン又は絵文字等を指定することによって、リンクされた他の画面に移動することができるようにしてもよい。【０１６９】国内での電波の主な利用例として、30kHz〜300kHzの長波LFでは、船舶・航空機用ビーコン、標準電波、300kHz〜3MHzの中波MFでは、船舶通信、中波放送（AMラジオ）、アマチュア無線、船舶・航空機用ビーコン、3MHz〜30MHzの短波HFでは、船舶・航空機無線、短波放送、アマチュア無線、30MHz〜300MHzの超短波VHFでは、FM放送（コミュニティ放送）、TV放送、防災行政無線、消防無線、列車無線、警察無線、簡易無線、航空管制無線、無線呼び出し、アマチュア無線、コードレス無線、300MHz〜3GHzの極長短波UHFでは、携帯電話、PHS、MCAシステム、タクシー無線、TV放送、防災行政無線、移動体衛星通信、警察無線、簡易無線、レーダー、アマチュア無線、パーソナル無線、無線LAN（2.4GHz帯）、コードレス電話、無線アクセス（2.4GHz帯）、ISM機器、3GHz〜30GHzのマイクロ波SHFでは、マイクロ波中継、衛星通信、衛星放送、レーダー、電波天文・宇宙研究、無線LAN（5.2GHz帯）、無線アクセスシステム（5、22、26、38GHz帯）、狭域通信システム、ISM機器、30GHz〜300GHzのミリ波EHFでは、電波天文、衛星通信、簡易通信、レーダー、などがある。【０１７０】また、現在の第３世代移動通信システム（IMT‐2000：International Mobile Telecommunications‐2000）は、デジタル方式の次世代移動通信システムとして、世界中どこでも使えるグローバルサービス・固定網並みの高品質音声サービス・簡単な動画の伝送やインターネットアクセスなどのマルチメディア移動通信サービスの提供を特徴としている。【０１７１】さらに、セルラーに対応しより通信速度の速い、新たな第４世代移動通信システムも利用できる。また、搬送波の周波数帯域を広げ、出力の低い電波にするスペクトラム拡散通信（直接拡散方式）でもよい。【０１７２】超広帯域無線方式（UWB：Ultra WideBand）とは、パルス状の電波を発射するなど数GHz幅以上の非常に広い周波数帯域にわたって電力を放射するシステムで、100Mbps規模の高速通信を可能にする無線方式である。また、同方式により、正確な測位も可能とされる。具体的には、デジタルテレビやビデオの動画像・大容量データの高速伝送、測位・測定を必要とする分野での利用が考えられている。【０１７３】また、Bluetoothは世界共通ISMバンド（2.4GHz）使用短距離無線規格で低コスト・低消費電力・小型・軽量で、高度な相互接続性をもっている。【０１７４】今後は、テレビの電波状態がデジタル化されるとともに、インターネットとテレビが一つの画面に表示されるようになる。【０１７５】また、デジタル衛星放送システムは、単にテレビジョン放送を視聴するということにとどまらず、多くのチャンネル数による大容量のデジタルデータの伝送システムとして利用することが可能である。即ち、デジタル衛星放送の受信機は、映像・音声データ以外にその番組の視聴者に関連した契約情報等や、パーソナルコンピュータ用のデータ等を多重化して送出するデジタルデータの受け口としての機能をもっている。【０１７６】例えば、現在の衛星放送システムにおける一つの放送においては、現在放送中或いは放送予定の番組の内容説明EIT（Event Information Table）・電子番組表EPG（Electric Program Guide）・視聴料金・視聴年齢制限を始めとするとともに、配信される。具体的には、視聴料金・視聴年齢制限等の情報が受信端末に、共通の共通情報ECM（Entitlement Control Message）として番組情報とともに放送される。【０１７７】またターゲットIDは、各受信端末のICカード部に登録されている視聴者属性情報と同様に規定されている。すなわち、広告に関する商品・サービスを供給したい消費者あるいは、購買層の範囲を特定するために、ターゲットIDが使用される。具体的には、性別・年齢・地域趣味等の情報をターゲットIDが有する。このターゲットIDは放送信号中では、一連の広告のデータの先頭に付加される。【０１７８】また、映像情報と音声情報の双方を提供する場合、音声情報は映像情報に対応しているものであってもよいし、映像とは全く独立したものであってもよい。【０１７９】また、サーバと表示部とを専用回線を用いて接続して、これら専用回線を用いて閉鎖的なネットワークにて接続するようにすることは、これらが不正なアクセスにさらされる危険性を低く抑えることができることから好ましいが、本発明はこれに限定されるものではなく、その他の手法としては、ケーブルテレビ（CATV）のデータ通信網や、衛生データ放送等の無線回線を用いたもの、或いはインターネット網に接続可能な機能を有する携帯電話機を内蔵したものとしてもよく、これら接続手法は、設置環境や表示能力にあわせて適宜選択すればよい。【０１８０】また上記実施形態において正確な時刻を知る手段として、電波時計がある。電波時計は、腕時計や、置き時計等でも実用化されており、特定の周波数で送信されてくる時刻情報を受信して、自動的にその時刻に時計をあわせることにより、ユーザーが設定操作を行うことなく、常に正確な時刻を得ることを可能にしたものである。【０１８１】また、FM放送の時刻情報取得機能は、近年開始された付加機能サービスであり、FM放送に時刻情報を多重することによって、ラジオ等の表示部に現在時刻を表示可能にすることができる。【０１８２】また、PHSや携帯電話の時刻情報取得機能は、既存の時刻確認番号（117）等にダイヤルすることにより、現在時刻を取得するものである。【０１８３】また、上記実施形態において、位置情報通知手段には、GPS（人口衛星位置決定システム）や、VICS（道路交通情報通信システム）などを利用する他に、移動体通信網の基地局の識別情報から得られる位置情報を利用することができる。また、路線バス等の場合は、次のバス停留所に乗客に知らせるための車内放送の録音テープ等の記録媒体に各バスの停留所に対応した位置情報を重畳しておけば、バス運行中に行われる車内放送により、現在の路線バスの位置検出を行うことができる。【０１８４】移動体との通信手段に移動体通信を用いる他に、DSRC通信方式などの狭域無線通信を用いても、同様の効果が得られる。【０１８５】機器組み込み用コンピュータのソフトウェアは、1つ1つの個別開発になりがちであり、類似した機能もそれぞれ新たに開発していた。さらに一方、要求される機能は高度化し、開発期間の短縮化も求められているという状況があった。そこで、T-Engineプロジェクトは、この問題を解決するために、「ミドルウェアの流通」・「永く使える100年ソフトの実現」をキーワードとし、ハードウェア開発プラットフォームとリアルタイムオペレーティングシステムの規格化を行い、ミドルウェアというオペレーティングシステムと応用ソフトウェアの中間に位置するソフトウェア部品群の流通を促すガイドラインを提供しようとしている。【０１８６】また、TRONは瞬時に命令をこなせるためリアルタイムOSとして優れているうえ、オープンOSのため使用量がいらず低コストですむ。TRONとはThe Realtime Operating system Nucleusの略である。ITRONは機器組み込み用で携帯電話やビデオカメラ・エンジン制御などに使われる。BTRONは人との対話に用いられ、パソコン・PDA・電子ブックなどに使われる。CTRONは通信制御に用いられ、電話局の電子交換機などに使われる。eTRONは電子チケットなどに使われる。【０１８７】また、Linuxとは、ユーザが必要な機能やソフトを自分達で開発し、ユーザが自由にソースを入手、変更可能なOSであり、これらTRONやLinuxが使われることが好ましい。【０１８８】また、ETCにより、料金所の処理能力が大幅に向上し、料金所渋滞が解消に向かう。料金所でのストップ＆ゴーが減少するため、発進・加速に伴う騒音や窒素酸化物などが軽減され、料金所周辺の環境が改善される。【０１８９】インターチェンジが近くにある地域は、人口も増え、所得の伸びも高く、企業立地も進む傾向にあることから���地域の活性化や利便性の向上などを目的に、新たなインターチェンジ設置の強い要望がある。従来の料金支払いシステムでは、料金所を一箇所に集約するため、広い敷地の大規模な構造のインターチェンジが必要だったが、ETCを活用すれば、処理能力が大きく、料金所を集約する必要もないので、コンパクトな料金所構造が必要となり、地域の実情に即してインターチェンジを追加することも容易になる。【０１９０】この他、既存の料金所でも、ETCが普及すれば有人ブースの減少などにより、管理コストの削減が見込まれる。また、地域が活性化する。【０１９１】また、スマートコミュニケーションの実現により道路利用者は、従来のETCサービスに加え、リクエストに応じた詳細な走行サポート情報（渋滞情報・車線規制情報・休憩施設情報等）の入手・外部インターネット接続による様々な情報源入手・音楽データ配信・Eメール・電子決済等の、様々なサービスを受けることが可能となる。【０１９２】スマートコミュニケーションとは、ETCで用いられている路車間通信（狭域専用通信:DSRC）技術を活用し、車内への多様なサービスを提供するものである。【０１９３】情報サービス内容には、道路交通・天候・緊急・休憩施設・観光・宿泊・レストラン予約・一般駐車場・カーナビデータの更新・医療機関・インターネット接続・ライブ映像・道路管理者からのお知らせ・自動車のメンテナンス・IP電話・メールの送受信・受信エリア外のTV放送受信・音楽データ配信・電子決済・地域情報・異常や災害・ダウンロードストリ−ミング・ガソリンスタンド注文・修理予約および決済などがある。【０１９４】マルチDSRCサービスとは、ETCの双方向・高速大容量のDSRCを活用して行う官民の多様なサービスで、車内への各社情報提供や、駐車場での料金決済などが考えられる。【０１９５】このようなマルチDSRCサービスを一つの共通無線機で効率良く提供していくための技術が、スマートコミュニケーション基盤である。具体的には、無線通信の処理手順（プロトコル）である。【０１９６】ETCに加えて、マルチDSRCサービスのような多様なサービスが実現することになり、道路利用者の利便性向上とETC普及促進が期待される。【０１９７】また、道路交通における安全と円滑を図り、交通公害の防止につながる。安全・快適にして環境にやさしい交通社会を実現する。信号機を整備することで、交通事故を防止する。【０１９８】また、車の流れに応じて、交通信号機や可変情報板をコントロールすることで、交通渋滞や混雑が大幅に減少する。【０１９９】また、交通信号機による停止回数が少なくなったり、渋滞のない道路への案内情報により、イライラ運転などによる事故が減少する。【０２００】また、渋滞や混雑などでの車の停止回数が少なくなることで、停止・発進時に排出される排気ガスや騒音が減少し、人にやさしい環境を実現できる。【０２０１】また、スムーズな流れによる車の燃料消費量の減少は、エネルギーの省電力化と安定した低物価の確保につながり、地球にやさしい環境が実現できる。【０２０２】また、高速道路の走行も、交差点での分岐も安心で快適である。【０２０３】また、見やすい情報表示と適切なボイスサポートによるルート案内をし、状況や目的に合わせて必要な情報をわかりや��く、まるで通い慣れた道のように車は目的地を目指す。【０２０４】また、現在位置や経路案内などの静的情報をはじめ、交通管制センターで把握している渋滞情報や、事故等の動的情報を提供することで、状況に応じた適切な迂回措置や、経路選択を可能にし、交通安全の円滑化、そして環境の改善に寄与する。【０２０５】また、光ビーコンとの双方向通信を行うことで、広範囲の交通情報だけでなく、進行方向の交通状況についても簡易図形表示型等により、詳細かつ容易な形で交通情報を受信できる。【０２０６】また、交差点間を走行するために要する時間（リンク旅行時間）を受信することにより、渋滞を避け最短時間で目的地に向かう経路を誘導・案内することができる。【０２０７】また、車載器と料金所ゲート設置のアンテナとの間には、国際電気通信連合（ITU）で国際標準化された5.8GHzDSRCの無線通信技術を採用している。【０２０８】また、ノンストップ自動料金所収受システムもある。【０２０９】AHSは、道路側のカメラ等の情報収集インフラや経路誘導インフラと、車両側のカメラ・車載センサなどによる情報収集、路−車間通信や、車−車間通信による情報のやり取りにより、自車両及び周辺車両の位置や、挙動をリアルタイムに把握し、安全な運転を支援する。【０２１０】VICSとは、道路交通情報通信システムのことで、Vehicle Information and Communication Systemの略である。VICSは、警察庁・総務省及び国交省が、協力して進める事業であり、システムセンターで編集処理されて、光ビーコン・電波ビーコン・FM多重放送の３つのメディアを通して、VICS対応の車載器に提供される。【０２１１】また、AHS（Advanced cruise-assist Highway Systems：走行支援道路システム）は、道路と自動車が無線通信により連携し、ドライバーに対してリアルタイムで情報提供や警報や操作支援を行う走行支援システムでもある。【０２１２】また、AHSは、事故を回避するために、危険事象の未発見や発見の遅れに対する「情報提供」・判断の誤りに対する「警報」・操作の誤りに対する「操作支援」を段階的に行う。【０２１３】また、カーナビは、自車位置を表示、目的地の地図検索、目的地までの経路探索、目的地までのルート検索をする。【０２１４】VICS３メディア（光ビーコン・電波ビーコン・FM放送）・ETC・iモード・インターナビシステム・G-BOOK・緊急情報支援（HELPNET）などのメディアもある。【０２１５】光ビーコンは、光（近赤外線）を媒体として利用し、一般道路に設置する。都道府県警察が設置し、一般道と高速道路の情報を提供する（設置された場所に必要な情報を詳細に提供）。【０２１６】電波ビーコンは、電波（準マイクロ波）を媒体として利用し、主に高速道路に設置する。道路管理者が設置し、高速道路（一部の一般道路を含む）の情報を提供する（設置された場所に必要な情報を詳細に提供）。【０２１７】FM多重放送は、電波（FM放送波）を媒体として利用し、VICSセンタ−が、NHKのFM多重放送の設備を使って放送する。【０２１８】なお、各部は専用のハードウェアにより実現されるものであってもよく、また、この各部はメモリ及びCPU（中央演算装置）により構成、各部の機能を実現するためのプログラムをメモリにロードして実行することにより、その機能を実行させるものであってもよい。���０２１９】また、各部の機能を実現するためのプログラムをコンピュータ読み取り可能な記録媒体に記録して、この記録媒体に記録させたプログラムをコンピュータシステムに読み込ませ、実行させることにより、実現してもよい。なおここでいう「コンピュータシステム」とは、OSや周辺機器等のハードウェアを含むものとする。【０２２０】また、「コンピュータ読み取り可能な記録媒体」とは、フレキシブルディスク・光磁気ディスク・RAM・CD-ROM等の可搬媒体・コンピュータシステムに内蔵されるハードディスク等の記憶装置のことをいう。さらに、「コンピュータ読み取り可能な記録媒体」とは、インターネット等のネットワーク回線等の通信回線を介してプログラムを送信する場合の通信線のように、短時間の間、動的にプログラムを保持するもの、その場合のホストサーバやクライアントとなるコンピュータシステム内部の揮発性メモリのように、一定時間プログラムを保持しているものも含むものとする。また、上記プログラムは、前述した機能の一部を実現するためのものであってもよく、さらに前述した機能をコンピュータシステムにすでに記録されているプログラムとの組み合わせで実現できるものであってもよい。【０２２１】以上説明したシステムは、これを機能させるためのプログラムでも実現される。このプログラムは、コンピューターで読み取り可能な記録媒体に格納されている。本発明では、この記録媒体としてROMがプログラムメディアであってもよいし、また外部記憶装置として、CD-ROMドライブ等のプログラムメディアであってもよい。いずれの場合においても、格納されているプログラムはCPUがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。【０２２２】ここで、上記プログラムメディアは、本体と分離可能に構成される記録媒体であり、磁気テープやカセットテープ等のテープ系、フレキシブルディスク（商標登録）やハードディスク等の磁気ディスクや・CD-ROM・MO・MD・DVD等の光ディスクのディスク系・ICカード／光カード等のカード系・あるいは、マスクROM・EPROM・EEPROM・フラッシュROM等による半導体メモリを含めた固定的にプログラムを担持する媒体であってもよい。【０２２３】さらに、外部の通信ネットワークとの通信接続手段を介して、通信ネットワークからプログラムをダウンロードするように、流動的にプログラムを担持する媒体であってもよい。なお、このように通信ネットワークからプログラムをダウンロードする場合には、そのダウンロード用プログラムは予め本体装置に格納しておくか、あるいは別の記録媒体からインストールされるものであってもよい。なお、記録媒体に格納されている内容としては、プログラムに限定されずデータであってもよい。【０２２４】広告情報は、広告情報提供サーバのハードディスク等に格納されていてもよく、またRAM（Random Access Memory）のような揮発性のメモリ等に格納し提示してもよい。【０２２５】なお、メモリは、ハードディスク装置や光磁気ディ���ク装置・フラッシュメモリ等の不揮発性のメモリ・CD-ROM等の読み出しのみが可能な記録媒体・RAMのような揮発性のメモリ、あるいはこれらの組み合わせにより構成されるものとする。光メモリ・有機メモリ・分子メモリでもよい。【０２２６】広告データを保持するメモリは、予め複数の広告データを保持する他、車両内においてCD-ROMやDVD等の外部記録媒体から取り込んだ映像データを保持したり、車両外に設置されたサーバ等に蓄積されている映像データや携帯端末から送信される映像データを受信機を介してダウンロードして取り込み保持する。また、フラッシュEEPROM・記憶素子に有機材料を採用した有機メモリ・データの記憶に原子間力顕微鏡（AFM：Atomic Force Microscope）の仕組みを応用した「Millipede」・光ディスクで使用されてきた相変化膜を記憶素子とした相変化メモリ（OUM）・磁性材料を用いる磁器メモリなどもある。【０２２７】プラスチック製光メモリは、一層に複数のホログラムを重ね合わせて記録し、最盛時に液晶シャッターによるフィルタ−を透過させることで特定のパターンのみを読み出すことができる。【０２２８】各実施形態における各広告情報提供サーバ及び各広告情報提供装置での処理は、プログラムに制御されたコンピュータにより実行される。このプログラムは、例えば、磁気ディスク・半導体メモリ・その他の任意のコンピュータで読み取り可能なものを使用することができる。また、記録媒体に記憶されたプログラムは、記録媒体を直接コンピュータに装着して、当該コンピュータに読み込ませてもよいし、通信回線を介してコンピュータに読み込ませてもよい。【０２２９】以上、この発明の実施形態を図面を参照して詳述してきたが、具体的な構成はこの実施形態に限られるものではなく、この発明の要旨を逸脱しない範囲の設計変更等も含まれる。【０２３０】また、各広告情報提供装置では、広告の時間帯や放映時間、放映回数等を装置ごとに調整可能にして広告を行ってもよい。【０２３１】前述した実施例は、本発明の一具体例にすぎず、本発明がこれらの実施形態の構成に限定されることはなく、これらの組み合わせなども本発明に含まれることは言うまでもないことである。
【図面の簡単な説明】
【０２３２】
【図１】本発明に係る有機ELディスプレイの模式的な構造図である。
【図２】本発明に係るフレキシブル有機ELディスプレイの典型的な構造図である。
【図３】本発明に係るパッシブマトリクスの構造を示す図である。
【図４】本発明に係るアクティブマトリクスの構造を示す図である。
【図５】本発明に係る広告情報提供システムの構成を示すブロック図である。
【図６】本発明に係る広告情報提供システムの動作を示すフローチャートである。
【図７】本発明に係るコンビニやスーパーの出入口を示す図である。
【図８】本発明に係るコンビニやスーパーの店内を示す図である。
【図９】本発明に係るコンビニやスーパーの店内を示す図である。
【図１０】本発明に係るその他の店舗やホテルの出入口を示す図である。
【図１１】本発明に係るレストランなどを示す図である。
【図１２】本発明に係るエスカレーターもしくは階段を示す図である。
【図１３】本発明に係る電話ボックスを示す図である。
【図１４】本発明に係る駅を示す図である。
【図１５】本発明に係る改札口を示す図である。
【図１６】本発明に係る駅構内など建物内を示す図である。
【図１７】本発明に係る自動改札機を示す図である。
【図１８】本発明に係る電車前面を示す図である。
【図１９】本発明に係る電車側面を示す図である。
【図２０】本発明に係る電車内部を示す図である。
【図２１】本発明に係るバスの外観を示す図である。
【図２２】本発明に係るバスの後部を示す図である。
【図２３】本発明に係るバス内部を示す図である。
【図２４】本発明に係るタクシー外観を示す図である。
【図２５】本発明に係るタクシー後部を示す図である。
【図２６】本発明に係るタクシー内後部座席を示す図である。
【図２７】本発明に係る自動車の運転座席を示す図である。
【図２８】本発明に係る車いすを示す図である。
【符号の説明】
【０２３３】1a  陰極1b  電子注入層1c  電子輸送層1d  発光層1e  ホール輸送層1f  ホール注入層1g  陽極2a  バリアフィルム2b  高分子有機EL2c  陰極2d  陽極2e  接着剤2f  絶縁層3a  一画素の開口スペース3b  外付けドライバ IC4a  TFT4b  発光スペース50  広告情報提供サーバ51  広告情報提供装置52  通信網5a  回線制御部5b  通信情報管理部5c  位置情報管理部5d  広告情報管理部5e  プログラム設計部5f  分離部5g  アクセス履歴データベース5h  広告情報データベース5i  映像データベース5j  音声データベース5k  プログラムデータベース5l  通信部5m  広告情報制御部5n  表示制御部5o  音声出力部5p  プログラムデータベース5q  映像データベース5r  音声データベース5s  透明な有機ELディスプレイ5t  スピーカー7  出入口のドアや、窓ガラスに貼った透明な有機ELディスプレイ8a  商品棚のPOP8b  買い物カゴに用いられる透明な有機ELディスプレイ8c  フロア−広告9  催事コーナーのPOP10  店舗やホテルなどの出入口に貼った透明な有機ELディスプレイ11  レストランなどのメニュー12a  エスカレーターもしくは階段のガラス部分に貼った透明な有機ELディスプレイ12b  エスカレーターもしくは階段の蹴上げや踏み面12c  エスカレーターもしくは階段の手すり12d  エスカレーターもしくは階段の掲示板13  電話ボックスに貼った透明な有機ELディスプレイ14a  駅でん14b  駅貼り14c  駅だて14d  ベンチ広告15a  フリーポスター15b  フラッグ広告15c  横断幕広告15d  フロア−広告16  アドピラー17  自動改札機に付けられる透明な有機ELディスプレイ18  電車前面に用いられる透明な有機ELディスプレイ19  側面（外貼り）ステッカー20a  中吊り20b  手すり20c  窓上ポスター20d  ドア上ポスター20e  ツインステッカー20f  戸袋ステッカー20g  網棚横ステッカー20h  窓ステッカー20i  フロア−広告20j  貫通路上ステッカー20k  車両連結部ポスター20l  ドア横ポスター20m  ドア横下ステッカー20n  ドア横上ポスター20o  小枠額面ポスター20p  アドシーリング（天井）20q  網棚ポスター21a  普通ステッカー21b  外側板21c  フロントガラス22a  後部ステッカー22b  後部板23a  車内額面ポスター23b  吊り革広告23c  運転座席背面ポスター23d  天吊りポスター23e  普通ステッカー24a  サイドステッカー24b  表示板25  リア−ウィンドウステッカー26  座席広告27  自動車の運転補助のための透明な有機ELディスプレイ28  車いすに用いられる透明な有機ELディスプレイ
【手続補正３】
【補正対象書類名】図面
【補正対象項目名】図５
【補正方法】変更
【補正の内容】
【図５】
2005070740.tif 000061
【手続補正４】
【補正対象書類名】図面
【補正対象項目名】図２０
【補正方法】変更
【補正の内容】
【図２０】
2005070740.tif 000062